【事件の表示】
　特許第３３４６３３６号「ネットワークコピーファイル管理システム、コピーシステム、コピーサーバ、ネットワークコピーファイル管理方法、コンピュータ可読媒体」の請求項１、２、５、８ないし１０、１３ないし１６に係る特許に対する特許異議の申立てについて、次のとおり決定する。
【結　論】
　訂正を認める。
　特許第３３４６３３６号の請求項１、２、５、８ないし１０、１３ないし１６に係る特許を取り消す。
【理　由】
１．手続の経緯
　特許第３３４６３３６号の発明についての出願は、平成１１年５月６日に特許出願されたもので、平成１４年９月６日にその発明について特許権の設定登録がなされた後、請求項１、２、５、８〜１０、１３〜１６に係る特許について特許異議申立人キヤノン株式会社より特許異議の申立てがなされ、取消理由が通知され、その指定期間内である平成１６年５月１０日に訂正請求がなされたものである。
　
２．訂正の適否についての判断
（１）訂正の内容
訂正事項ａ．特許請求の範囲の請求項１を
「ネットワークを介して互いに接続されたコピーシステムと端末とからなるネットワークコピーファイル管理システムにおいて、
　前記コピーシステムは、
　複数頁の原稿を夫々読み取って複数頁分の画像データを得る画像読取部と、
　この画像読取部によって得られた複数頁分の画像データを画像ファイルのフォーマットに変換することによって一つの画像ファイルに格納して、ディスクに保存する画像ファイル保存部と、
　端末からの所定範囲の画像ファイルの管理情報の要求に応じて、要求された所定範囲の画像ファイルの管理情報を前記端末へ送信する管理情報応答部と、
　端末からの画像ファイルの要求に応じて、要求された画像ファイルを前記ディスクから読み出して、読み出した画像ファイルを当該画像ファイルに含まれる各画像データ毎の画像ファイルに分割して、前記端末へ送信する画像ファイル送信部と、
　前記端末を構成するコンピュータに対して、所定範囲の画像ファイルの管理情報を前記管理情報応答部に要求させ、この要求に応じて前記管理情報応答部が送信した各画像ファイルの管理情報をその画像ファイルに含まれる画像データ頁数を含めて表示させ、表示されている管理情報が示す画像ファイルのうちの何れかが前記端末のオペレータによって特定された場合には当該特定された画像ファイルを前記画像ファイル送信部へ要求させるプログラムを格納したコンピュータ可読媒体と、
　前記端末からの要求に応じて、前記コンピュータ可読媒体に格納されている前記プログラムを、前記端末へ送信するプログラム送信部と
を備えることを特徴とするネットワークコピーファイル管理システム」
と訂正する。
　
訂正事項ｂ．同請求項３を
「ネットワークを介して互いに接続されたコピーシステムと端末とからなるネットワークコピーファイル管理システムにおいて、
　前記コピーシステムは、
　原稿を読み取って画像データを得る画像読取部と、
　この画像読取部によって得られた画像データを画像ファイルのフォーマットに変換してディスクに保存する画像ファイル保存部と、
　端末からの要求に応じて、要求された所定範囲の画像ファイルの管理情報を前記端末へ送信する管理情報応答部と、
　端末からの要求に応じて、要求された画像ファイルを前記ディスクから読み出して前記端末へ送信する画像ファイル送信部と、
　前記端末を構成するコンピュータに対して、所定範囲の画像ファイルの管理情報を前記管理情報応答部に要求させ、この要求に応じて前記管理情報応答部が送信した管理情報を表示させ、表示されている管理情報が示す画像ファイルのうちの何れかが前記端末のオペレータによって特定された場合には当該特定された画像ファイルを前記画像ファイル送信部へ要求させるプログラムを格納したコンピュータ可読媒体と、
　前記端末からの要求に応じて、前記コンピュータ可読媒体に格納されている前記プログラムを、前記端末へ送信するプログラム送信部と
を備え、
　前記画像ファイル保存部は、前記画像データをＪＰＥＧ圧縮することによって詳細画像用ＪＰＥＧデータを生成するとともに、前記画像データの解像度を落としてからＪＰＥＧ圧縮することによって概略画像用ＪＰＥＧデータを生成し、これら詳細画像用ＪＰＥＧデータ及び前記概略画像用ＪＰＥＧデータを結合して一つのＪＰＥＧファイルに格納することを特徴とするネットワークコピーファイル管理システム」
と訂正する。
　
訂正事項ｃ．同請求項６を
「ネットワークを介して互いに接続されたコピーシステムと端末とからなるネットワークコピーファイル管理システムにおいて、
　前記コピーシステムは、
　原稿を読み取って画像データを得る画像読取部と、
　この画像読取部によって得られた画像データを画像ファイルのフォーマットに変換してディスクに保存する画像ファイル保存部と、
　端末からの要求に応じて、要求された所定範囲の画像ファイルの管理情報を前記端末へ送信する管理情報応答部と、
　端末からの要求に応じて、要求された画像ファイルを前記ディスクから読み出して前記端末へ送信する画像ファイル送信部と、
　前記端末を構成するコンピュータに対して、所定範囲の画像ファイルの管理情報を前記管理情報応答部に要求させ、この要求に応じて前記管理情報応答部が送信した管理情報を表示させ、表示されている管理情報が示す画像ファイルのうちの何れかが前記端末のオペレータによって特定された場合には当該特定された画像ファイルを前記画像ファイル送信部へ要求させるプログラムを格納したコンピュータ可読媒体と、
　前記端末からの要求に応じて、前記コンピュータ可読媒体に格納されている前記プログラムを、前記端末へ送信するプログラム送信部と
を備え、
　前記画像ファイルはＴＩＦＦファイルであり、
　前記画像ファイル保存部は、前記画像データの解像度を落としてからＪＰＥＧ圧縮することによって概略画像用ＪＰＥＧデータを生成し、前記画像データ及び前記概略画像用ＪＰＥＧデータを結合して一つのＴＩＦＦファイルに格納する
ことを特徴とするネットワークコピーファイル管理システム」
と訂正する。
　
訂正事項ｄ．同請求項１３を、
「原稿を読み取るスキャナ及びこのスキャナによって読み出された画像データに基づいて印字を行うプリンタを有するとともに、ネットワークを介して端末と通信可能なコピーシステムであって、
　前記スキャナが複数頁の原稿を夫々読み取ることによって得られた複数頁分の画像データを画像ファイルのフォーマットに変換することによって一つの画像ファイルに格納してディスクに保存する画像ファイル保存部と、
　前記端末が前記ディスク内に格納されている所定範囲の画像ファイルの管理情報を要求して来た場合には、要求された所定範囲の画像ファイルの管理情報を前記端末へ送信する管理情報応答部と、
　前記端末へ送信された管理情報のうちの何れかに対応する画像ファイルを前記端末が要求して来た場合には、要求された画像ファイルを前記ディスクから読み出して前記端末へ送信する画像ファイル送信部と、
　前記画像ファイル保存部に格納されている何れかの画像ファイルについての移動又はリネームを前記端末が指示してきた場合には、当該画像ファイルについて前記端末から指示された移動又はリネームを行う画像ファイル操作部と、
　前記端末を構成するコンピュータに対して、所定範囲の画像ファイルの管理情報を前記管理情報応答部に要求させ、この要求に応じて前記管理情報応答部が送信した各画像ファイルの管理情報をその画像ファイルに含まれる画像データの頁数を含めて表示させ、表示されている管理情報が示す画像ファイルのうちの何れかが前記端末のオペレータによって特定された場合には、当該特定された画像ファイルを前記画像ファイル送信部へ要求させ、表示されている管理情報が示す何れかの画像ファイルに対する移動又はリネームの指示が前記端末のオペレータによって入力された場合には当該指示を前記画像ファイル操作部へ送信させるプログラムを格納したコンピュータ可読媒体と、
　前記端末からの要求に応じて、前記コンピュータ可読媒体に格納されている前記プログラムを、前記端末へ送信するプログラム送信部と
を備えることを特徴とするコピーシステム。」
と訂正する。
　
訂正事項ｅ．同請求項１４を、
「原稿を読み取るスキャナ及びこのスキャナによって読み出された画像データに基づいて印字を行うプリンタに夫々接続されることによってコピーシステムを構成するとともに、ネットワークを介して端末と通信可能なコピーサーバであって、
　前記スキャナが複数頁の原稿を夫々読み取ることによって得られた複数頁分の画像データを画像ファイルのフォーマットに変換することによって一つの画像ファイルに格納してディスクに保存する画像ファイル保存部と、
　前記端末が前記ディスク内に格納されている所定範囲の画像ファイルの管理情報を要求して来た場合には、要求された所定範囲の画像ファイルの管理情報を前記端末へ送信する管理情報応答部と、
　前記端末へ送信された管理情報のうちの何れかに対応する画像ファイル中の何れかの画像データを前記端末が要求して来た場合には、要求された画像ファイル中の画像データを前記ディスクから読み出して前記端末へ送信する画像ファイル送信部と、
　前記端末を構成するコンピュータに対して、所定範囲の画像ファイルの管理情報を前記管理情報応答部に要求させ、この要求に応じて前記管理情報応答部が送信した各画像ファイルの管理情報をその画像ファイルに含まれる画像データの頁数を含めて表示させ、表示されている管理情報が示す画像ファイルのうちの何れかの中の画像データが前記端末のオペレータによって特定された場合には当該特定された画像ファイル中の画像データを前記画像ファイル送信部へ要求させるプログラムを格納したコンピュータ可読媒体と、
　前記端末からの要求に応じて、前記コンピュータ可読媒体に格納されている前記プログラムを、前記端末へ送信するプログラム送信部と
を備えることを特徴とするコピーサーバ。」
と訂正する。
　
訂正事項ｆ．同請求項１５を、
「ネットワークを介して互いに接続されたコピーシステムと端末とからなるネットワークコピーシステムにおいて、前記コピーシステムが複数頁の原稿を夫々読み取ることによって得られた複数頁分の画像データを格納した画像ファイルを管理するネットワークコピーファイル管理方法であって、
　前記端末がプログラムを前記コピーシステムに要求し、
　要求されたプログラムを前記コピーシステムが前記端末に対して送信し、
　所定範囲の画像ファイルの管理情報を、前記端末が前記プログラムに従って前記コピーシステムに対して要求し、
　要求された所定範囲の画像ファイルの管理情報を、前記コピーシステムが前記端末に対して送信し、
　送信された各画像ファイルの管理情報をその画像ファイルに含まれる画像データの頁数を含めて前記端末が前記プログラムに従って表示し、
　表示された管理情報のうちオペレータによって特定された管理情報に対応する画像ファイルを、前記端末が前記プログラムに従って前記コピーシステムに対して要求し、
　要求された画像ファイルを、前記コピーシステムが前記端末に対して送信し、　表示された管理情報が示す何れかの画像ファイルに対する移動又はリネームの指示がオペレータによって入力された場合には、当該指示を前記端末が前記プログラムに従って前記コピーシステムに対して送信し、
　指示された画像ファイルに対する移動又はリネームを前記コピーシステムが行う
ことを特徴とするネットワークコピーファイル管理方法。」
と訂正する。
　
訂正事項ｇ．同請求項１６を、
「原稿を読み取るスキャナ及びこのスキャナによって読み出された画像データに基づいて印字を行うプリンタに夫々接続されることによってコピーシステムを構成するとともに、ネットワークを介して端末と通信可能なコンピュータに対して、
　前記スキャナが複数頁の原稿を夫々読み取ることによって得られた複数頁分の画像データを画像ファイルのフォーマットに変換することによって一つの画像ファイルに格納してディスクに保存させ、
　前記端末が前記ディスク内に格納されている所定範囲の画像ファイルの管理情報を要求して来た場合には、要求された所定範囲の画像ファイルの管理情報を前記端末へ送信させ、
　前記端末へ送信された管理情報のうちの何れかに対応する画像ファイル中の何れかの画像データを前記端末が要求して来た場合には、要求された画像ファイル中の画像データを前記ディスクから読み出して前記端末へ送信させるとともに、
　前記端末を構成するコンピュータに対して、所定範囲の画像ファイルの管理情報を前者のコンピュータに要求させ、この要求に応じて前者のコンピュータが送信した各画像ファイルの管理情報をその画像ファイルに含まれる画像データの頁数を含めて表示させ、表示されている管理情報が示す画像ファイルのうちの何れかの中の画像データが前記端末のオペレータによって特定された場合には当該特定された画像ファイル中の画像データを前者のコンピュータへ要求させるプログラムを、前記端末からの要求に応じて前記端末へ送信させる
プログラムを格納したコンピュータ可読媒体。」
と訂正する。
　
訂正事項ｈ．明細書中段落【０００８】を、
「即ち、請求項１記載の発明は、ネットワークを介して互いに接続されたコピーシステムと端末とからなるネットワークコピーファイル管理システムにおいて、前記コピーシステムは、複数頁の原稿を夫々読み取って複数頁分の画像データを得る画像読取部と、この画像読取部によって得られた複数頁分の画像データを画像ファイルのフォーマットに変換することによって一つの画像ファイルに格納して、ディスクに保存する画像ファイル保存部と、端末からの所定範囲の画像ファイルの管理情報の要求に応じて、要求された所定範囲の画像ファイルの管理情報を前記端末へ送信する管理情報応答部と、端末からの画像ファイルの要求に応じて、要求された画像ファイルを前記ディスクから読み出して、読み出した画像ファイルを当該画像ファイルに含まれる各画像データ毎の画像ファイルに分割して、前記端末へ送信する画像ファイル送信部と、前記端末を構成するコンピュータに対して、所定範囲の画像ファイルの管理情報を前記管理情報応答部に要求させ、この要求に応じて前記管理情報応答部が送信した各画像ファイルの管理情報をその画像ファイルに含まれる画像データ頁数を含めて表示させ、表示されている管理情報が示す画像ファイルのうちの何れかが前記端末のオペレータによって特定された場合には当該特定された画像ファイルを前記画像ファイル送信部へ要求させるプログラムを格納したコンピュータ可読媒体と、前記端末からの要求に応じて、前記コンピュータ可読媒体に格納されている前記プログラムを、前記端末へ送信するプログラム送信部とを、備えることを特徴とする。」
と訂正する。
　
訂正事項ｉ．同段落【００１２】を、
「請求項３記載の発明は、ネットワークを介して互いに接続されたコピーシステムと端末とからなるネットワークコピーファイル管理システムにおいて、前記コピーシステムは、原稿を読み取って画像データを得る画像読取部と、この画像読取部によって得られた画像データを画像ファイルのフォーマットに変換してディスクに保存する画像ファイル保存部と、端末からの要求に応じて、要求された所定範囲の画像ファイルの管理情報を前記端末へ送信する管理情報応答部と、端末からの要求に応じて、要求された画像ファイルを前記ディスクから読み出して前記端末へ送信する画像ファイル送信部と、前記端末を構成するコンピュータに対して、所定範囲の画像ファイルの管理情報を前記管理情報応答部に要求させ、この要求に応じて前記管理情報応答部が送信した管理情報を表示させ、表示されている管理情報が示す画像ファイルのうちの何れかが前記端末のオペレータによって特定された場合には当該特定された画像ファイルを前記画像ファイル送信部へ要求させるプログラムを格納したコンピュータ可読媒体と、前記端末からの要求に応じて、前記コンピュータ可読媒体に格納されている前記プログラムを、前記端末へ送信するプログラム送信部とを備え、前記画像ファイル保存部は、前記画像データをＪＰＥＧ圧縮することによって詳細画像用ＪＰＥＧデータを生成するとともに、前記画像データの解像度を落としてからＪＰＥＧ圧縮することによって概略画像用ＪＰＥＧデータを生成し、これら詳細画像用ＪＰＥＧデータ及び前記概略画像用ＪＰＥＧデータを結合して一つのＪＰＥＧファイルに格納することを、特徴とする。」
と訂正する。
　
訂正事項ｊ．同段落【００１５】を、
「請求項６記載の発明は、ネットワークを介して互いに接続されたコピーシステムと端末とからなるネットワークコピーファイル管理システムにおいて、前記コピーシステムは、原稿を読み取って画像データを得る画像読取部と、この画像読取部によって得られた画像データを画像ファイルのフォーマットに変換してディスクに保存する画像ファイル保存部と、端末からの要求に応じて、要求された所定範囲の画像ファイルの管理情報を前記端末へ送信する管理情報応答部と、端末からの要求に応じて、要求された画像ファイルを前記ディスクから読み出して前記端末へ送信する画像ファイル送信部と、前記端末を構成するコンピュータに対して、所定範囲の画像ファイルの管理情報を前記管理情報応答部に要求させ、この要求に応じて前記管理情報応答部が送信した管理情報を表示させ、表示されている管理情報が示す画像ファイルのうちの何れかが前記端末のオペレータによって特定された場合には当該特定された画像ファイルを前記画像ファイル送信部へ要求させるプログラムを格納したコンピュータ可読媒体と、前記端末からの要求に応じて、前記コンピュータ可読媒体に格納されている前記プログラムを、前記端末へ送信するプログラム送信部とを備え、前記画像ファイルはＴＩＦＦファイルであり、前記画像ファイル保存部は、前記画像データの解像度を落としてからＪＰＥＧ圧縮することによって概略画像用ＪＰＥＧデータを生成し、前記画像データ及び前記概略画像用ＪＰＥＧデータを結合して一つのＴＩＦＦファイルに格納することを、特徴とする。」
と訂正する。
　
訂正事項ｋ．同段落【００２４】を、
「請求項１３記載の発明は、原稿を読み取るスキャナ及びこのスキャナによって読み出された画像データに基づいて印字を行うプリンタを有するとともに、ネットワークを介して端末と通信可能なコピーシステムであって、前記スキャナが複数頁の原稿を夫々読み取ることによって得られた複数頁分の画像データを画像ファイルのフォーマットに変換することによって一つの画像ファイルに格納してディスクに保存する画像ファイル保存部と、前記端末が前記ディスク内に格納されている所定範囲の画像ファイルの管理情報を要求して来た場合には、要求された所定範囲の画像ファイルの管理情報を前記端末へ送信する管理情報応答部と、前記端末へ送信された管理情報のうちの何れかに対応する画像ファイルを前記端末が要求して来た場合には、要求された画像ファイルを前記ディスクから読み出して前記端末へ送信する画像ファイル送信部と、前記画像ファイル保存部に格納されている何れかの画像ファイルについての移動又はリネームを前記端末が指示してきた場合には、当該画像ファイルについて前記端末から指示された移動又はリネームを行う画像ファイル操作部と、前記端末を構成するコンピュータに対して、所定範囲の画像ファイルの管理情報を前記管理情報応答部に要求させ、この要求に応じて前記管理情報応答部が送信した各画像ファイルの管理情報をその画像ファイルに含まれる画像データの頁数を含めて表示させ、表示されている管理情報が示す画像ファイルのうちの何れかが前記端末のオペレータによって特定された場合には、当該特定された画像ファイルを前記画像ファイル送信部へ要求させ、表示されている管理情報が示す何れかの画像ファイルに対する移動又はリネームの指示が前記端末のオペレータによって入力された場合には当該指示を前記画像ファイル操作部へ送信させるプログラムを格納したコンピュータ可読媒体と、前記端末からの要求に応じて、前記コンピュータ可読媒体に格納されている前記プログラムを、前記端末へ送信するプログラム送信部と
を備えることを、特徴とする。」
と訂正する。
　
訂正事項ｌ．同段落【００２６】を、
「請求項１４記載の発明は、原稿を読み取るスキャナ及びこのスキャナによって読み出された画像データに基づいて印字を行うプリンタに夫々接続されることによってコピーシステムを構成するとともに、ネットワークを介して端末と通信可能なコピーサーバであって、前記スキャナが複数頁の原稿を夫々読み取ることによって得られた複数頁分の画像データを画像ファイルのフォーマットに変換することによって一つの画像ファイルに格納してディスクに保存する画像ファイル保存部と、前記端末が前記ディスク内に格納されている所定範囲の画像ファイルの管理情報を要求して来た場合には、要求された所定範囲の画像ファイルの管理情報を前記端末へ送信する管理情報応答部と、前記端末へ送信された管理情報のうちの何れかに対応する画像ファイル中の何れかの画像データを前記端末が要求して来た場合には、要求された画像ファイル中の画像データを前記ディスクから読み出して前記端末へ送信する画像ファイル送信部と、前記端末を構成するコンピュータに対して、所定範囲の画像ファイルの管理情報を前記管理情報応答部に要求させ、この要求に応じて前記管理情報応答部が送信した各画像ファイルの管理情報をその画像ファイルに含まれる画像データの頁数を含めて表示させ、表示されている管理情報が示す画像ファイルのうちの何れかの中の画像データが前記端末のオペレータによって特定された場合には当該特定された画像ファイル中の画像データを前記画像ファイル送信部へ要求させるプログラムを格納したコンピュータ可読媒体と、前記端末からの要求に応じて、前記コンピュータ可読媒体に格納されている前記プログラムを、前記端末へ送信するプログラム送信部とを備えることを、特徴とする。」
と訂正する。
　
訂正事項ｍ．同段落【００２８】を、
「請求項１５記載の発明は、ネットワークを介して互いに接続されたコピーシステムと端末とからなるネットワークコピーシステムにおいて、前記コピーシステムが複数頁の原稿を夫々読み取ることによって得られた複数頁分の画像データを格納した画像ファイルを管理するネットワークコピーファイル管理方法であって、前記端末がプログラムを前記コピーシステムに要求し、要求されたプログラムを前記コピーシステムが前記端末に対して送信し、所定範囲の画像ファイルの管理情報を、前記端末が前記プログラムに従って前記コピーシステムに対して要求し、要求された所定範囲の画像ファイルの管理情報を、前記コピーシステムが前記端末に対して送信し、送信された各画像ファイルの管理情報をその画像ファイルに含まれる画像データの頁数を含めて前記端末が前記プログラムに従って表示し、表示された管理情報のうちオペレータによって特定された管理情報に対応する画像ファイルを、前記端末が前記プログラムに従って前記コピーシステムに対して要求し、要求された画像ファイルを、前記コピーシステムが前記端末に対して送信し、　表示された管理情報が示す何れかの画像ファイルに対する移動又はリネームの指示がオペレータによって入力された場合には、当該指示を前記端末が前記プログラムに従って前記コピーシステムに対して送信し、指示された画像ファイルに対する移動又はリネームを前記コピーシステムが行うこと、を特徴とする。」
と訂正する。
　
訂正事項ｎ．同段落【００２９】を、
「請求項１６記載の発明は、原稿を読み取るスキャナ及びこのスキャナによって読み出された画像データに基づいて印字を行うプリンタに夫々接続されることによってコピーシステムを構成するとともに、ネットワークを介して端末と通信可能なコンピュータに対して、前記スキャナが複数頁の原稿を夫々読み取ることによって得られた複数頁分の画像データを画像ファイルのフォーマットに変換することによって一つの画像ファイルに格納してディスクに保存させ、前記端末が前記ディスク内に格納されている所定範囲の画像ファイルの管理情報を要求して来た場合には、要求された所定範囲の画像ファイルの管理情報を前記端末へ送信させ、前記端末へ送信された管理情報のうちの何れかに対応する画像ファイル中の何れかの画像データを前記端末が要求して来た場合には、要求された画像ファイル中の画像データを前記ディスクから読み出して前記端末へ送信させるとともに、前記端末を構成するコンピュータに対して、所定範囲の画像ファイルの管理情報を前者のコンピュータに要求させ、この要求に応じて前者のコンピュータが送信した各画像ファイルの管理情報をその画像ファイルに含まれる画像データの頁数を含めて表示させ、表示されている管理情報が示す画像ファイルのうちの何れかの中の画像データが前記端末のオペレータによって特定された場合には当該特定された画像ファイル中の画像データを前者のコンピュータへ要求させるプログラムを、前記端末からの要求に応じて前記端末へ送信させるプログラムを、格納したコンピュータ可読媒体である。」
と訂正する。
　
訂正事項ｏ．図１９を、訂正請求書に添付の図１９の通り訂正する。即ち、図１９のステップＳ５２１に入る矢印の元をＳ５１９からＳ５２０に訂正する。
　
（２）訂正の目的の適否、新規事項の有無及び拡張・変更の適否
　（ア）上記訂正事項ａは、特許請求の範囲の請求項１に記載された「原稿を読み取って画像データを得る画像読取部」を「複数頁の原稿を夫々読み取って複数頁分の画像データを得る画像読取部」に、「この画像読取部によって得られた画像データを画像ファイルのフォーマットに変換してディスクに保存する画像ファイル保存部」を「この画像読取部によって得られた複数頁分の画像データを画像ファイルのフォーマットに変換することによって一つの画像ファイルに格納して、ディスクに保存する画像ファイル保存部」に、「端末からの要求に応じて、要求された画像ファイルを前記ディスクから読み出して前記端末へ送信する画像ファイル送信部」を「端末からの所定範囲の画像ファイルの管理情報の要求に応じて、要求された所定範囲の画像ファイルの管理情報を前記端末へ送信する管理情報応答部」に、「端末からの要求に応じて、要求された画像ファイルを前記ディスクから読み出して前記端末へ送信する画像ファイル送信部」を「端末からの画像ファイルの要求に応じて、要求された画像ファイルを前記ディスクから読み出して、読み出した画像ファイルを当該画像ファイルに含まれる各画像データ毎の画像ファイルに分割して、前記端末へ送信する画像ファイル送信部」に、「この要求に応じて前記管理情報応答部が送信した管理情報を表示させ」を「この要求に応じて前記管理情報応答部が送信した各画像ファイルの管理情報をその画像ファイルに含まれる画像データ頁数を含めて表示させ」に、それぞれ限定するものであるから、特許請求の範囲の減縮を目的とするものである。また、「プログラム送信部とをを備える」を「プログラム送信部とを備える」と訂正する点は明らかに誤記の訂正に相当する。
　そして、特許明細書の段落【００９６】〜【０１０８】、段落【０１０９】〜【０１３４】、段落【０１５６】〜【０１６４】、段落【０２４６】〜【０２４８】、段落【０２５１】〜【０２５４】、段落【０１９０】及び段落【０２００】、さらに、図７〜１０、図２７、図２９、図１８、図４４、図１９、図４５の記載からみて、この訂正は願書に添付した明細書または図面に記載した事項の範囲内でなされたものであり、また、実質上特許請求の範囲を拡張し又は変更するものではない。
　
　（イ）上記訂正事項ｂは、同請求項３の記載を、他の請求項を引用する形式から他の請求項を引用しない独立形式に書き替えたのみで、明りょうでない記載の釈明を目的とするものであり、また内容を変更するものではないので、この訂正は願書に添付した明細書又は図面に記載した事項の範囲内でなされたものであり、また、実質上特許請求の範囲を拡張し又は変更するものではない。
　
　（ウ）上記訂正事項ｃは、同請求項６の記載を、他の請求項を引用する形式から他の請求項を引用しない独立形式に書き替えたのみで、明りょうでない記載の釈明を目的とするものであり、また内容を変更するものではないので、この訂正は願書に添付した明細書又は図面に記載した事項の範囲内でなされたものであり、また、実質上特許請求の範囲を拡張し又は変更するものではない。
　
　（エ）上記訂正事項ｄは、同請求項１３に記載された「前記スキャナが原稿を読み取ることによって得られた画像データを画像ファイルのフォーマットに変換してディスクに保存する画像ファイル保存部」を「前記スキャナが複数頁の原稿を夫々読み取ることによって得られた複数頁分の画像データを画像ファイルのフォーマットに変換することによって一つの画像ファイルに格納してディスクに保存する画像ファイル保存部」に、「この要求に応じて前記管理情報応答部が送信した管理情報を表示」を「この要求に応じて前記管理情報応答部が送信した各画像ファイルの管理情報をその画像ファイルに含まれる画像データの頁数を含めて表示」に、限定した上で、「前記画像ファイル保存部に格納されている何れかの画像ファイルについての移動又はリネームを前記端末が指示してきた場合には、当該画像ファイルについて前記端末から指示された移動又はリネームを行う画像ファイル操作部」及び「表示されている管理情報が示す何れかの画像ファイルに対する移動又はリネームの指示が前記端末のオペレータによって入力された場合には当該指示を前記画像ファイル操作部へ送信」を発明を特定するための事項として加えたものであるから、特許請求の範囲の減縮を目的とするものである。
　そして、特許明細書の段落【０１０９】〜【０１３４】、段落【０１５６】〜【０１６４】、段落【０２５５】〜【０２６０】、段落【０２７９】〜【０２８２】、段落【０１９０】、段落【０２００】、段落【０２０８】〜【０２０９】、段落【０２１４】〜【０２１６】及び段落【０２２７】〜【０２３１】、さらに図９〜１１、図１４、図２７、図３０、図３４、図１８、図１９、図４４及び図４５の記載からみて、この訂正は願書に添付した明細書または図面に記載した事項の範囲内でなされたものであり、また、実質上特許請求の範囲を拡張し又は変更するものではない。
　
　（オ）上記訂正事項ｅは、同請求項１４に記載された「前記スキャナが原稿を読み取ることによって得られた画像データを画像ファイルのフォーマットに変換してディスクに保存する画像ファイル保存部」を「前記スキャナが複数頁の原稿を夫々読み取ることによって得られた複数頁分の画像データを画像ファイルのフォーマットに変換することによって一つの画像ファイルに格納してディスクに保存する画像ファイル保存部」に、「前記端末へ送信された管理情報のうちの何れかに対応する画像ファイルを前記端末が要求して来た場合には、要求された画像ファイルを前記ディスクから読み出して前記端末へ送信する画像ファイル送信部」を「前記端末へ送信された管理情報のうちの何れかに対応する画像ファイル中の何れかの画像データを前記端末が要求して来た場合には、要求された画像ファイル中の画像データを前記ディスクから読み出して前記端末へ送信する画像ファイル送信部」に、「この要求に応じて前記管理情報応答部が送信した管理情報を表示」を「この要求に応じて前記管理情報応答部が送信した各画像ファイルの管理情報をその画像ファイルに含まれる画像データの頁数を含めて表示」に、「表示されている管理情報が示す画像ファイルのうちの何れかが前記端末のオペレータによって特定された場合には当該特定された画像ファイルを前記画像ファイル送信部へ要求」を「表示されている管理情報が示す画像ファイルのうちの何れかの中の画像データが前記端末のオペレータによって特定された場合には当該特定された画像ファイル中の画像データを前記画像ファイル送信部へ要求」に、それぞれ限定するものであるから、特許請求の範囲の減縮を目的とするものである。
　そして、特許明細書の段落【０１０９】〜【０１３４】、段落【０１５６】〜【０１６４】、段落【０２４６】〜【０２５０】、段落【０２５４】、段落【０１９０】、段落【０２００】及び段落【０２０８】〜【０２１３】、さらに図９〜１１、図１４、図２７、図２９、図１８、図１９、図４４、図４５、図１７、図２２の記載からみて、この訂正は願書に添付した明細書または図面に記載した事項の範囲内でなされたものであり、また、実質上特許請求の範囲を拡張し又は変更するものではない。
　
　（カ）上記訂正事項ｆは、同請求項１５に記載された「原稿を読み取ることによって得られた画像ファイル」を「複数頁の原稿を夫々読み取ることによって得られた複数頁分の画像データを格納した画像ファイル」に、「送信された管理情報を前記端末が前記プログラムに従って表示」を「送信された各画像ファイルの管理情報をその画像ファイルに含まれる画像データの頁数を含めて前記端末が前記プログラムに従って表示」に限定した上で、「表示された管理情報が示す何れかの画像ファイルに対する移動又はリネームの指示がオペレータによって入力された場合には、当該指示を前記端末が前記プログラムに従って前記コピーシステムに対して送信し、指示された画像ファイルに対する移動又はリネームを前記コピーシステムが行う」を発明を特定するための事項として加えるものであるから、特許請求の範囲の減縮を目的とするものである。
　そして、特許明細書の段落【０１０９】〜【０１３４】、段落【０１５６】〜【０１６４】、段落【０１９０】、段落【０２００】、段落【０２０８】〜【０２０９】、段落【０２１４】〜【０２１６】、段落【０２２７】〜【０２３１】、段落【０２５５】〜【０２６０】、段落【０２７９】〜【０２８２】、さらに図９〜１１、図１４、図１８、図１９、図４４、図４５、図１７、図２２、図２５、図２７、図３０、図３４の記載からみて、この訂正は願書に添付した明細書または図面に記載した事項の範囲内でなされたものであり、また、実質上特許請求の範囲を拡張し又は変更するものではない。
　
　（キ）上記訂正事項ｇは、同請求項１６に記載された「スキャナが原稿を読み取ることによって得られた画像データを画像ファイルのフォーマットに変換してディスクに保存させ」を「スキャナが複数頁の原稿を夫々読み取ることによって得られた複数頁分の画像データを画像ファイルのフォーマットに変換することによって一つの画像ファイルに格納してディスクに保存させ」に、「前記端末へ送信された管理情報のうちの何れかに対応する画像ファイルを前記端末が要求して来た場合には、要求された画像ファイルを前記ディスクから読み出して前記端末へ送信させる」を「前記端末へ送信された管理情報のうちの何れかに対応する画像ファイル中の何れかの画像データを前記端末が要求して来た場合には、要求された画像ファイル中の画像データを前記ディスクから読み出して前記端末へ送信させる」に、「この要求に応じて前者のコンピュータが送信した管理情報を表示させ」を「この要求に応じて前者のコンピュータが送信した各画像ファイルの管理情報をその画像ファイルに含まれる画像データの頁数を含めて表示させ」に、「表示されている管理情報が示す画像ファイルのうちの何れかが前記端末のオペレータによって特定された場合には当該特定された画像ファイルを前者のコンピュータへ要求させる」を「表示されている管理情報が示す画像ファイルのうちの何れかの中の画像データが前記端末のオペレータによって特定された場合には当該特定された画像ファイル中の画像データを前者のコンピュータへ要求させる」に限定するものであるから、特許請求の範囲の減縮を目的とするものである。
　そして、特許明細書の段落【０１０９】〜【０１３４】、段落【０１５６】〜【０１６４】、段落【０２４６】〜【０２５０】、段落【０２５４】、段落【０１９０】、段落【０２００】及び段落【０２０８】〜【０２１３】、さらに図９〜１１、図１４、図２７、図２９、図１８、図１９、図４４、図４５、図１７、図２２の記載からみて、この訂正は願書に添付した明細書または図面に記載した事項の範囲内でなされたものであり、また、実質上特許請求の範囲を拡張し又は変更するものではない。
　
　（ク）上記訂正事項ｈ〜ｎは、それぞれ上記訂正事項ａ〜ｇにおいて訂正された特許請求の範囲の記載との整合をとるために発明の詳細な説明を訂正するものであり、明りょうでない記載の釈明を目的とするものである。そして訂正事項ｈ〜ｎは、願書に添付した明細書又は図面に記載した事項の範囲内においてされたものであり、また、実質上特許請求の範囲を拡張し、又は変更するものではない。
　
　（ケ）上記訂正事項ｏは、図１９の記載を特許明細書の段落【０１９７】及び【０１９８】に記載されている処理の流れに整合させるものであり、明りょうでない記載の釈明を目的とするものである。すなわち、訂正前の図１９によると、Ｓ５１９にて“ＮＯ”の判定がなされた場合に、Ｓ５２０へ進む処理の流れと、Ｓ５２１へ進む処理の流れとがあり得ることになるので矛盾しており、段落【０１９８】の記載に整合させるべきであることは自明である。よって、この訂正は願書に添付した明細書又は図面に記載した事項の範囲内においてされたものであり、また、実質上特許請求の範囲を拡張し、又は変更するものではない。
　
（３）結論
　以上のとおりであるから、上記訂正は、特許法第１２０条の４第２項及び同条第３項において準用する特許法第１２６条第２項から第３項までの規定に適合するので、当該訂正を認める。
　
３．特許異議申立てについての判断
（１）本件発明
　２．のとおり訂正は認められるから、本件発明は、上記訂正後の明細書の特許請求の範囲の請求項１，２，５，８−１０，１３−１６に記載された事項により特定されるとおりのものである。（以下、訂正後の請求項に対応して本件発明１，２，５，８−１０，１３−１６という。）
　
（２）刊行物の記載内容
　当審で通知した取消しの理由で引用した刊行物１（特開平１１−１０３３６７号公報）には、以下の事項が記載されている。
　（ア）「【特許請求の範囲】
【請求項１】　ネットワークに接続され複数の端末装置により共用される画像入力装置において、原稿上の画像を読み取る画像読み取り手段と、上記画像読み取り手段により読み取られた画像情報を格納する画像格納手段と、上記画像格納手段に格納された画像情報に対応付けてユーザ識別符号を設定する識別符号設定手段と、端末装置から当該ユーザ識別符号の画像情報の格納状況問い合わせがあったときに上記画像情報が格納されていれば、上記画像情報の格納状況を通知する格納状況通知手段とを備えたことを特徴とする画像入力装置。
【請求項２】　請求項１の画像入力装置において、当該ユーザ識別情報に属する格納画像情報のリスト情報を通知するように上記格納状況通知手段を構成したことを特徴とする画像入力装置。」（２頁１欄１〜１５行）
　（イ）「図２は本発明が実施されるデジタル複写機を含んだＬＡＮシステムのシステム構成図である。図示したように、このＬＡＮシステムは、本発明が実施される複数のデジタル複写機１，各種ファイルが格納されるファイルサーバ31，端末装置としての複数のワークステーション32，端末装置としての複数のパーソナルコンピュータ（以下、パソコンと略す）33，公衆電話網に接続され外部のファクシミリ装置との間でファクシミリ送受信を行うファクシミリサーバ34，画像情報を含んだ文書などが格納される光ファイリング装置35などから構成されている。なお、デジタル複写機１，ファイルサーバ31，ファクシミリサーバ34，光ファイリング装置35は、ワークステーション32，パソコン33など端末装置によって共用される。このようなシステム構成により、デジタル複写機１はそれぞれの端末装置によりプリンタまたは画像入力装置として共用されると共に、単独で複写機として用いられる。
【０００７】また、図１は本発明の第１の実施例を示すデジタル複写機の構成ブロック図である。図示したように、この実施例のデジタル複写機１は、機器全体の制御・管理などを行う主制御部２，キーや表示部などから構成された操作部３，原稿上の画像を読み取るスキャナ４，記録紙上に文字や画像などを出力するプロッタ５，ＲＡＭや不揮発性メモリなどから構成されたメモリ６，画像情報を符号化してデータ量を圧縮したり符号化された画像情報を復号化したりする圧縮伸長部７，画像情報などを格納しておくハードディスク装置など補助記憶装置10，上記補助記憶装置10に画像情報などを格納したりする格納部８，補助記憶装置10内に格納された情報を検索したり読み出したりする検索部９，ＬＡＮを介した端末装置３２、３３との通信を制御するＬＡＮ通信制御部11などを備えている。」（３頁４欄３０行〜４頁５欄１１行）
　（ウ）「ステップＳ６では、画像情報の格納場所、例えば格納するフォルダを手動で指定するか、自動的に決めるかを操作部３により選択させる。そして、手動指定が指示されると（Ｓ７で、はい）、格納部８は図９に示すようなディレクトリ・リストを表示させ、利用者に格納する場所の指定を行わせる。そして、指定された内容を取得し、メモリ６内のファイル情報格納部に記憶する（Ｓ８）。また、自動決定が指示されると（Ｓ７で、いいえ）、格納場所の自動割り当てを行う（Ｓ９）。なお、上記自動割り当てでは、例えばユーザ名（ユーザＩＤ）単位に設けられたフォルダに割り当てる。続いて、利用者が操作部３内のスタートボタンを押すと、主制御部２はそれを認知し、スキャナ４に指令を出してセットされている原稿上の画像を読み取らせる（Ｓ10）。そして、主制御部２はスキャナ４から渡された画像情報を圧縮伸長部７に渡し、上記画像情報を符号化・圧縮させ（Ｓ11）、格納部８は圧縮された画像情報を指定の格納場所へ格納する（Ｓ12）。原稿が複数ページならば（Ｓ13で、はい）ステップＳ10からくり返し、スキャナ４にセットされた分の原稿の読み取りを終了すると（Ｓ13で、いいえ）、格納部８はファイル管理テーブルに格納日やページ数などファイル情報を書き込む（Ｓ14）。なお、ファイル管理テーブル（図８）はフォルダ毎（例えばユーザＩＤ毎）に分けて作成してもよい。」（４頁５欄４４行〜同６欄１８行）
　（エ）「【００１１】各端末装置は、格納状況問い合わせを行う際は、図10(a) に示すように、ブロードキャスト方式で複数の画像入力装置へ同時にパケットを送信する。各デジタル複写機１では、格納状況問い合わせコマンドを受けると、図４に示した動作フローを実行した後、図５に示す動作フローに進み、検索部９はメモリ６内のファイル情報格納部のファイル管理テーブルを参照し、コマンドで指定されたユーザのデータ（画像情報）が格納されているか否かをチェックする（Ｓ31）。そして、当該画像情報が格納されていれば（Ｓ32で、はい）相手に対し通信許可ＩＤを付与し、且つ相手のアドレスをファイル情報格納部に格納する（Ｓ33）。さらに、ＬＡＮ通信制御部11は上記通信許可ＩＤが書き込まれたレスポンスパケットを作成し（Ｓ34）、そのパケットを相手端末装置へ送信する（Ｓ36）。また、当該画像情報が格納されていなければ（Ｓ32で、いいえ）、エラーレスポンスパケットを作成し（Ｓ35）、そのパケットを相手端末装置へ送信する（Ｓ36）。こうして、上記端末装置は、通信許可ＩＤを送ってきたデジタル複写機１に対し、上記通信許可ＩＤ付きのユーザデータリスト要求コマンドを送信する。これにより、上記デジタル複写機１の検索部９は図６の動作フローに示すように、ファイル情報格納部内のファイル管理テーブルを参照し、ユーザデータ格納リストを作成する（Ｓ41）。そして、ＬＡＮ通信制御部11は作成された上記リストをパケット化し（Ｓ42）、そのパケットを上記端末装置へ送信する（Ｓ43）。なお、上記検索部９は、リスト要求指示を受けたとき、一緒に受け取った上記端末装置のアドレスと通信許可ＩＤを記憶しておいた内容と照合し、不一致の場合は上記リストを送信しない。すなわち、上記検索部９が上記端末装置に上記画像情報の格納状況を通知する格納状況通知手段となっている。」（４頁６欄３７行〜５頁７欄１８行）
　（オ）「上記端末装置では、上記ユーザデータ格納リストを受け取ると、それを送ってきたデジタル複写機１のアドレスおよび通信許可ＩＤと対応付けて上記リスト情報を保持すると共に上記リストを表示装置に表示させ、利用者の指示を待つ（図10b 照）。利用者は表示されたリストを見て、一部の所望の画像情報またはリストアップされた全ての画像情報を上記通信許可ＩＤを用いて格納されているデジタル複写機から引き取る（図10c 参照）。」（５頁７欄２５〜３２行）
　（カ）「また、利用者が上記リストを参照して、ファイル番号などを指定してデータ削除要求をデジタル複写機に送ってくると、図16に示すように、検索部９はファイル管理テーブルを参照し、指定のユーザの指定のファイルがあるか否かをチェックする（Ｓ81）。そして、指定のファイルがあれば（Ｓ82で、はい）そのファイル（画像情報）を削除し（Ｓ83）、削除した旨を示すレスポンスパケットを作成し（Ｓ84）、そのパケットを相手端末装置へ送信する（Ｓ86）。それに対して、指定のファイルがなければ（Ｓ82で、いいえ）、エラーレスポンスパケットを作成し（Ｓ85）、そのパケットを相手端末装置へ送信する（Ｓ86）。こうして、この実施例によれば、使用済みという理由で自動的に削除するのでなく、選別して一部の画像情報のみを削除することができる。」（６頁９欄２３〜３６行）
　（キ）図８中には、「ファイル番号」に対応して、「ユーザＩＤ」、「共用フラグ」、「格納日」、「ページ数」が記載されている。
　（ク）図１０ｃ中には、「目的のデジタル複写機とコマンド／レスポンス処理を行いスキャナデータの引き取りを行う。」と記載されている。
　
　刊行物１において、画像読み取り手段が複数頁分の画像データを得るものであり（上記（２）（ウ））、「ファイル情報」、「ファイル管理テーブル」（上記（２）（ウ））が用いられていること及び「ファイル（画像情報）」との記載（上記（２）（オ））から、画像データがファイルとして保存されていることは明らかであり、さらに引用発明１の「リスト」が「ファイル管理テーブル」を参照して作成され（上記（２）（エ））、この「ファイル管理テーブル」にはファイル情報（上記（２）（ウ）及び（キ））が書き込まれているのであるから、上記「リスト」はファイル情報からなっていることは明らかであるから、上記記載事項によれば、刊行物１には、以下のとおりの発明が記載されている。
「ネットワークに接続され複数の端末装置により共用される画像入力装置として用いられるデジタル複写機において、複数の原稿上の画像を読み取る画像読み取り手段と、上記画像読み取り手段により読み取られた画像情報を画像ファイルとしてハードディスクに格納する画像格納手段と、上記画像格納手段に格納された画像情報に対応付けてユーザ識別符号を設定する識別符号設定手段と、端末装置から当該ユーザ識別符号の画像情報の格納状況問い合わせがあったときに上記画像情報が格納されていれば、上記画像情報の格納状況を通知するとともに、当該ユーザ識別情報に属する格納画像情報のファイル情報のリストを通知する格納状況通知手段とを備えたことを特徴とする画像入力装置として用いられるデジタル複写機、及び端末装置では上記リスト情報を受け取ると、上記リストを表示装置に表示させ、利用者は表示されたリストをみて一部の所望の画像情報を上記画像入力装置として用いられるデジタル複写機から引き取り、引き取りの際にはデジタル複写機と端末装置の間でコマンド／レスポンス処理が行われるように構成されたＬＡＮシステム。」（以下「引用発明１」という。）
　
　また、刊行物１には、引用発明１のシステムの要素である「デジタル複写機」すなわち、
「ネットワークに接続され複数の端末装置により共用される画像入力装置として用いられるデジタル複写機において、複数の原稿上の画像を読み取る画像読み取り手段と、上記画像読み取り手段により読み取られた画像情報を画像ファイルとして格納する画像格納手段と、上記画像格納手段に格納された画像情報に対応付けてユーザ識別符号を設定する識別符号設定手段と、端末装置から当該ユーザ識別符号の画像情報の格納状況問い合わせがあったときに上記画像情報が格納されていれば、上記画像情報の格納状況を通知するとともに、当該ユーザ識別情報に属する格納画像情報のファイル情報のリストを通知する格納状況通知手段とを備え、さらに画像情報の引き取りの際には端末装置との間でコマンド／レスポンス処理が行われることを特徴とする画像入力装置として用いられるデジタル複写機」（以下、「引用発明２」という。）
が記載されている。
　
　さらに、刊行物１には、引用発明１のシステムを用いたネットワーク画像情報管理方法すなわち、
「ネットワークに接続され複数の端末装置により共用される画像入力装置として用いられるデジタル複写機において、複数の原稿上の画像を読み取る画像読み取り手段と、上記画像読み取り手段により読み取られた画像情報を画像ファイルとして格納する画像格納手段と、上記画像格納手段に格納された画像情報に対応付けてユーザ識別符号を設定する識別符号設定手段と、端末装置から当該ユーザ識別符号の画像情報の格納状況問い合わせがあったときに上記画像情報が格納されていれば、上記画像情報の格納状況を通知するとともに、当該ユーザ識別情報に属する格納画像情報のファイル情報のリストを通知する格納状況通知手段とを備えたことを特徴とする画像入力装置として用いられるデジタル複写機、及び端末装置では上記リスト情報を受け取ると、上記リストを表示装置に表示させ、利用者は表示されたリストをみて一部の所望の画像情報を上記画像入力装置として用いられるデジタル複写機から引き取り、引き取りの際にはデジタル複写機と端末装置の間でコマンド／レスポンス処理が行われるように構成されたＬＡＮシステムを用いたネットワーク画像情報管理方法。」（以下、「引用発明３」という。）
が記載されている。
　
（３）本件発明１について
　本件発明１と引用発明１を対比すると、引用発明１における「デジタル複写機」、「端末装置」、「画像読み取り手段」、「画像格納装置」、「画像情報」、「ファイル情報のリスト」及び「格納状況通知手段」は、それぞれ本件発明１の「コピーシステム」、「端末」、「画像読取部」、「画像ファイル保存部」、「画像データ」、「管理情報」及び「管理情報応答部」に相当する。なお、引用発明１で「所望の画像情報を上記画像入力装置として用いられるデジタル複写機から引き取り、引き取りの際にはデジタル複写機と端末装置の間でコマンド／レスポンス処理が行われる」とあるから、端末装置からデジタル複写機に対する画像情報（画像ファイル）引き取りコマンドに応じてレスポンスとして該画像ファイルを端末装置に送信する画像ファイル送信部を有するのは明らかであり、引用発明１の端末装置はワークステーションまたはパーソナルコンピュータからなっているのであるから、その機能はプログラムにより実現されることも明らかである。
　してみると、本件発明１と引用発明１は、
「ネットワークを介して互いに接続されたコピーシステムと端末とからなるネットワークコピーファイル管理システムにおいて、
　前記コピーシステムは、
　複数頁の原稿を夫々読み取って複数頁分の画像データを得る画像読取部と、
　この画像読取部によって得られた複数頁分の画像データを画像ファイルに格納して、ディスクに保存する画像ファイル保存部と、
　端末からの所定範囲の画像ファイルの管理情報の要求に応じて、要求された所定範囲の画像ファイルの管理情報を前記端末へ送信する管理情報応答部と、
　端末からの画像ファイルの要求に応じて、要求された画像ファイルを前記ディスクから読み出して、前記端末へ送信する画像ファイル送信部と、
を備え、
　前記端末を構成するコンピュータに対して、所定範囲の画像ファイルの管理情報を前記管理情報応答部に要求させ、この要求に応じて前記管理情報応答部が送信した各画像ファイルの管理情報を表示させ、表示されている管理情報が示す画像ファイルのうちの何れかが前記端末のオペレータによって特定された場合には当該特定された画像ファイルを前記画像ファイル送信部へ要求させるプログラム
を備えることを特徴とするネットワークコピーファイル管理システム。」
である点で一致し、以下の点で相違する。
　
（相違点１）本件発明１では、複数頁分の画像データを画像ファイルのフォーマットに変換することによって一つの画像ファイルに格納してディスクに保存し、ディスクから読み出した画像ファイルを当該画像ファイルに含まれる各画像データ毎の画像ファイルに分割して送信するのに対し、引用発明１では該事項が明示されていない点。
（相違点２）各画像ファイルの管理情報を表示させる際に、本件発明１では画像ファイルに含まれる画像データの頁数を含めて表示させるのに対し、引用発明１では該事項が明示されていない点。
（相違点３）本件発明１では、コピーシステムが端末を構成するコンピュータに対するプログラムを格納したコンピュータ可読媒体と、前記端末からの要求に応じて、前記コンピュータ可読媒体に格納されている前記プログラムを、前記端末へ送信するプログラム送信部を備えるのに対し、引用発明１では該事項が明示されていない点。
　
（相違点１）について検討すると、ネットワークファイル管理システムにおいて、複数頁分の画像データをフォーマット変換し一つの画像ファイルとして保存し、読み出す際には頁毎の画像ファイルに分割して送信することは、特開平９−１９８２９６号公報に記載されているように周知技術であって、引用発明１は複数頁の画像データを扱うものであるから、前記周知技術を採用することは当業者が容易になし得ることである。
（相違点２）について検討すると、引用発明１においても管理情報として頁数も含むものであり（上記（１）（ウ）（キ））、またオペレータに表示する情報が多い方が、操作性が高まることは明らかであるから、管理情報として頁数も含めて表示させるようにすることは、当業者が容易に想到し得ることである。
（相違点３）について検討すると、ネットワーク技術において、プログラムを格納しておき、端末からの要求に応じて該プログラムを送信することは周知であって（例えば、大谷・武藤著「初めてのＪａｖａ」（平８−６−１）第２刷、技術評論社２８〜３０頁）、引用発明１もネットワーク技術を用いるものであるから、前記周知技術を採用することは当業者が容易になし得ることである。
　
　よって、本件発明１は、引用発明１に基づいて当業者が容易に発明をすることができたものと認められる。
　
（４）本件発明２について
　本件発明２は、本件発明１の発明を特定する事項を全て含みさらに「前記画像ファイルはＪＰＥＧファイルであり、前記画像ファイル保存部は、前記画像データをＪＰＥＧ圧縮することによってＪＰＥＧデータを生成し、このＪＰＥＧデータを前記ＪＰＥＧファイルに格納すること」という事項を加えたものであるから、一致点及び相違点１〜３については上記（３）と同様であり、さらに以下の点で相違する。
　
（相違点４）本件発明２では前記画像ファイルはＪＰＥＧファイルであり、前記画像ファイル保存部は、前記画像データをＪＰＥＧ圧縮することによってＪＰＥＧデータを生成し、このＪＰＥＧデータを前記ＪＰＥＧファイルに格納するのに対し、引用発明１では該事項が明示されていない点。
　
（相違点４）について検討すると、画像ファイルとしてＪＰＥＧファイルは周知であるから、引用発明１を具体化するに当たり、ＪＰＥＧファイルを採用することは当業者が容易になし得ることである。
　
　よって、本件発明２は、引用発明１に基づいて当業者が容易に発明をすることができたものと認められる。
　
（５）本件発明５について
　本件発明５は、本件発明１の発明を特定する事項を全て含みさらに「前記画像ファイルはＴＩＦＦファイルであり、前記画像ファイル保存部は、前記画像データを前記ＴＩＦＦファイルに格納すること」という事項を加えたものであるから、一致点及び相違点１〜３については上記（３）と同様であり、さらに以下の点で相違する。
　
（相違点５）本件発明５では前記画像ファイルはＴＩＦＦファイルであり、前記画像ファイル保存部は、前記画像データを前記ＴＩＦＦファイルに格納するのに対し、引用発明１では該事項が明示されていない点。
　
（相違点５）について検討すると、画像ファイルとしてＴＩＦＦファイルは周知であるから、引用発明１を具体化するにあたり、ＴＩＦＦファイルを採用することは当業者が容易になし得ることである。
　
　よって、本件発明５は、引用発明１に基づいて当業者が容易に発明をすることができたものと認められる。
　
（６）本件発明８について
　本件発明８は、本件発明１の発明を特定する事項を全て含みさらに「前記管理情報応答部によって前記端末へ送信される前記画像ファイルの管理情報は、前記画像ファイルのファイル名であること」という事項を加えたものであるから、一致点及び相違点１〜３については上記（３）と同様であり、さらに以下の点で相違する。
　
（相違点６）本件発明８では前記管理情報応答部によって前記端末へ送信される前記画像ファイルの管理情報は、前記画像ファイルのファイル名であるのに対し、引用発明１では該事項が明示されていない点。
　
（相違点６）について検討すると、ファイルを特定するためにファイル名を用いることは周知であるから、引用発明１においてオペレータにファイルを特定させるための情報としてファイル名を表示させるために管理情報としてファイル名を送信することは、当業者が容易になし得ることである。
　
　よって、本件発明８は、引用発明１に基づいて当業者が容易に発明をすることができたものと認められる。
　
（７）本件発明９について
　本件発明９は、本件発明１の発明を特定する事項をすべて含みさらに「前記ディスクには多数のディレクトリが定義されており、前記画像ファイルは何れかのディレクトリに格納されていること」という事項を加えたものであるから、一致点及び相違点１〜３については上記（３）と同様であり、さらに以下の点で相違する。
　
（相違点７）本件発明９では前記ディスクには多数のディレクトリが定義されており、前記画像ファイルは何れかのディレクトリに格納されているのに対し、引用発明１では該事項が明示されていない点。
　
（相違点７）について検討すると、ディスクに複数のディレクトリを定義し、ファイルをこのディレクトリに格納することは周知技術であり、引用発明１においても、上記（２）（ウ）で認定したように、フォルダ（ディレクトリに相当）にファイルを格納することが一例として示されているから、引用発明１に該周知技術を採用することは当業者が容易になし得ることである。
　
　よって、本件発明９は、引用発明１に基づいて当業者が容易に発明をすることができたものと認められる。
　
（８）本件発明１０について
　本件発明１０は、本件発明９の発明を特定する事項を全て含みさらに「前記所定範囲は前記ディレクトリの範囲であること」という事項を加えたものであるから、一致点及び相違点１〜３及び７については上記（３）及び（７）と同様であり、さらに以下の点で相違する。
　
（相違点８）本件発明１０では前記所定範囲は前記ディレクトリの範囲であるのに対し、引用発明１では所定範囲はユーザ識別情報に属する範囲である点。
　
（相違点８）について検討すると、ファイルをディレクトリ単位で管理することは周知技術であり、さらに引用発明１においても、上記（２）（ウ）で認定したように、ファイル管理テーブルをフォルダ（ディレクトリ）毎に作成することが一例として示されておりこのファイル管理テーブルを基に管理情報を作成するものであるから（（２）（ウ）及び（３）参照。）、管理情報を要求、表示する所定範囲をディレクトリの範囲とすることは、当業者が容易に想到し得ることである。
　
　よって、本件発明１０は、引用発明１に基づいて当業者が容易に発明をすることができたものと認められる。
　
（９）本件発明１３について
　本件発明１３と引用発明２を対比すると、引用発明２における「画像読み取り手段」は、本件発明１３の「スキャナ」に相当する。すると、本件発明１３と引用発明２は、
「原稿を読み取るスキャナ及びこのスキャナによって読み出された画像データに基づいて印字を行うプリンタを有するとともに、ネットワークを介して端末と通信可能なコピーシステムであって、
　前記スキャナが複数頁の原稿を夫々読み取ることによって得られた複数頁分の画像データを画像ファイルに格納してディスクに保存する画像ファイル保存部と、
　前記端末が前記ディスク内に格納されている所定範囲の画像ファイルの管理情報を要求して来た場合には、要求された所定範囲の画像ファイルの管理情報を前記端末へ送信する管理情報応答部と、
　前記端末へ送信された管理情報のうちの何れかに対応する画像ファイルを前記端末が要求して来た場合には、要求された画像ファイルを前記ディスクから読み出して前記端末へ送信する画像ファイル送信部とを備えることを特徴とするコピーシステム。」
である点で一致し、以下の点で相違する。
　
（相違点９）本件発明１３では複数頁分の画像データを画像ファイルのフォーマットに変換することによって一つの画像ファイルに格納してディスクに保存するのに対し、引用発明２では該事項が明示されていない点。
（相違点１０）本件発明１３では前記画像ファイル保存部に格納されている何れかの画像ファイルについての移動又はリネームを前記端末が指示してきた場合には、当該画像ファイルについて前記端末から指示された移動又はリネームを行う画像ファイル操作部を備えるのに対し、引用発明２では該事項が明示されていない点。
（相違点１１）引用発明１３では前記端末を構成するコンピュータに対して、所定範囲の画像ファイルの管理情報を前記管理情報応答部に要求させ、この要求に応じて前記管理情報応答部が送信した各画像ファイルの管理情報をその画像ファイルに含まれる画像データの頁数を含めて表示させ、表示されている管理情報が示す画像ファイルのうちの何れかが前記端末のオペレータによって特定された場合には、当該特定された画像ファイルを前記画像ファイル送信部へ要求させ、表示されている管理情報が示す何れかの画像ファイルに対する移動又はリネームの指示が前記端末のオペレータによって入力された場合には当該指示を前記画像ファイル操作部へ送信させるプログラムを格納したコンピュータ可読媒体と、
　前記端末からの要求に応じて、前記コンピュータ可読媒体に格納されている前記プログラムを、前記端末へ送信するプログラム送信部を備えるのに対し、引用発明２では該事項が明示されていない点。
　
（相違点９）について検討すると、ネットワークファイル管理システムにおいて、複数頁分の画像データをフォーマット変換して一つの画像ファイルとして保存することは、特開平９−１９８２９６号公報に記載されているように周知技術であって、引用発明２は複数頁の画像データを扱うものであるから、前記周知技術を採用することは当業者が容易になし得ることである。
（相違点１０）について検討すると、ファイルに対する操作として移動やリネームを行うことは周知であり、さらに引用発明２においても、一例としてファイル操作であるファイルを削除することが記載されている（上記（２）（カ）参照。）から、該周知技術を採用することは、当業者が容易になし得ることである。
（相違点１１）について検討すると、引用発明２にファイルの移動やリネームを行う技術を採用する際に、この操作を端末側から行うようにすることは、上記（２）（カ）の記載に基づいて当業者が容易になし得ることである。そして、この操作及びファイル送信要求を、端末を構成するコンピュータに対するプログラムで実現するためこのプログラムを格納、送信するようにすることは、上記（３）（相違点２）及び（相違点３）についてと同様の理由により、当業者が容易になし得ることである。
　
　よって、本件発明１３は、引用発明２に基づいて当業者が容易に発明をすることができたものと認められる。
　
（１０）本件発明１４について
　本件発明１４と引用発明２を対比すると、両者は
「ネットワークを介して端末と通信可能な装置であって、
スキャナが複数頁の原稿を夫々読み取ることによって得られた複数頁分の画像データを画像ファイルに格納してディスクに保存する画像ファイル保存部と、
　前記端末が前記ディスク内に格納されている所定範囲の画像ファイルの管理情報を要求して来た場合には、要求された所定範囲の画像ファイルの管理情報を前記端末へ送信する管理情報応答部と、
　前記端末へ送信された管理情報のうちの何れかに対応する画像ファイルのデータを前記端末が要求して来た場合には、要求された画像ファイルのデータを前記ディスクから読み出して前記端末へ送信する画像ファイル送信部と、
を備えることを特徴とする装置」
である点で一致し、以下の点で相違する。
　
（相違点１２）本件発明１４の装置は原稿を読み取るスキャナ及びこのスキャナによって読み出された画像データに基づいて印字を行うプリンタに夫々接続されることによってコピーシステムを構成するとともにコピーサーバであるのに対し、引用発明２の装置は原稿を読み取るスキャナ及びこのスキャナによって読み出された画像データに基づいて印字を行うプリンタを有するコピーシステムである点。
（相違点１３）本件発明１４では複数頁分の画像データを一つの画像ファイルのフォーマットに変換することによって一つの画像ファイルに格納するのに対し、引用発明２では該事項が明示されていない点。
（相違点１４）本件発明１４では画像ファイルのデータとして画像ファイル中の何れかの画像データを要求・送信するのに対し、引用発明２では画像ファイルそのものを要求・送信する点。
（相違点１５）本件発明１４では前記端末を構成するコンピュータに対して、所定範囲の画像ファイルの管理情報を前記管理情報応答部に要求させ、この要求に応じて前記管理情報応答部が送信した各画像ファイルの管理情報をその画像ファイルに含まれる画像データの頁数を含めて表示させ、表示されている管理情報が示す画像ファイルのうちの何れかの中の画像データが前記端末のオペレータによって特定された場合には当該特定された画像ファイル中の画像データを前記画像ファイル送信部へ要求させるプログラムを格納したコンピュータ可読媒体と、前記端末からの要求に応じて、前記コンピュータ可読媒体に格納されている前記プログラムを、前記端末へ送信するプログラム送信部を備えるのに対し、引用発明２では該事項が明示されていない点。
　
（相違点１２）について検討すると、本件発明１４のコピーサーバは引用発明２のコピーシステムのスキャナとプリンタを外付けにしたもので、一般に入出力装置を外付けにしたコンピュータは周知であるから、引用発明２のコピーシステムと同様の機能を、該周知技術を採用することで実現することは当業者が容易になし得ることである。
（相違点１３）について検討すると、ネットワークファイル管理システムにおいて、複数頁分の画像データを一つの画像ファイルとして保存することは、特開平９−１９８２９６号公報に記載されているように周知技術であって、引用発明２は複数頁の画像データを扱うものであるから、前記周知技術を採用することは当業者が容易になし得ることである。
（相違点１４）について検討すると、複数頁からなる画像ファイルに対して頁毎に各種処理をすることは特開平９−１９８２９６号公報に記載されているように周知であり、引用発明２も複数頁からなる画像ファイルを扱うものであるから、該周知技術を採用して画像ファイル中の各頁である画像データを要求・送信できるようにすることは当業者が容易になし得ることである。
（相違点１５）について検討すると、引用発明２に画像ファイル中の画像データを要求する技術を採用する際に、この操作を端末側から行うようにすることは、上記（２）（オ）の記載に基づいて当業者が容易になし得ることである。そして、この操作を端末を構成するコンピュータに対するプログラムで実現するためこのプログラムを格納、送信するようにすることは、上記（３）（相違点２）及び（相違点３）についてと同様に、当業者が容易になし得ることである。
　
　よって、本件発明１４は、引用発明２に基づいて当業者が容易に発明をすることができたものと認められる。
　
（１１）本件発明１５について
　本件発明１５と引用発明３を対比すると、両者は、
「ネットワークを介して互いに接続されたコピーシステムと端末とからなるネットワークコピーシステムにおいて、前記コピーシステムが複数頁の原稿を夫々読み取ることによって得られた複数頁分の画像データを格納した画像ファイルを管理するネットワークコピーファイル管理方法であって、
　所定範囲の画像ファイルの管理情報を、前記端末がプログラムに従って前記コピーシステムに対して要求し、
　要求された所定範囲の画像ファイルの管理情報を、前記コピーシステムが前記端末に対して送信し、
　送信された各画像ファイルの管理情報を前記端末が前記プログラムに従って表示し、
　表示された管理情報のうちオペレータによって特定された管理情報に対応する画像ファイルを、前記端末が前記プログラムに従って前記コピーシステムに対して要求し、
　要求された画像ファイルを、前記コピーシステムが前記端末に対して送信する
ことを特徴とするネットワークコピーファイル管理方法。」
である点で一致し、以下の点で相違する。
　
（相違点１６）本件発明１５では、前記端末がプログラムを前記コピーシステムに要求し、　要求されたプログラムを前記コピーシステムが前記端末に対して送信するのに対し、引用発明３では該事項が明示されていない点。
（相違点１７）本件発明１５では、管理情報をその画像ファイルに含まれる画像データの頁数を含めて端末が表示するのに対し、引用発明３では該事項が明示されていない点。
（相違点１８）本件発明では、表示された管理情報が示す何れかの画像ファイルに対する移動又はリネームの指示がオペレータによって入力された場合には、当該指示を前記端末が前記プログラムに従って前記コピーシステムに対して送信し、指示された画像ファイルに対する移動又はリネームを前記コピーシステムが行うのに対し、引用発明３では該事項が明示されていない点。
　
（相違点１６）について検討すると、ネットワーク技術において、適宜の機能を果たすプログラムを格納しておき、端末からの要求に応じて該プログラムを送信することは周知であって（例えば、大谷・武藤著「初めてのＪａｖａ」（平８−６−１）第２刷、技術評論社２８〜３０頁）、引用発明１もネットワーク技術を用いるものであるから、前記周知技術を採用することは当業者が容易になし得ることである。
（相違点１７）について検討すると、引用発明３においても管理情報として頁数も含むものであり（上記（１）（ウ）（キ））、またオペレータに表示する情報が多い方が、操作性が高まることは明らかであるから、管理情報として頁数も含めて表示させるようにすることは、当業者が容易に想到し得ることである。
（相違点１８）について検討すると、ファイルに対する操作として移動やリネームを行うことは周知であり、さらに引用発明３においても、一例としてファイル操作であるファイルを削除すること、及びこの操作を端末側から行うことが記載されている（上記（２）（カ）参照。）から、引用発明３に該周知技術を採用することは、当業者が容易になし得ることである。
　
　よって本件発明１５は、引用発明３に基づいて当業者が容易に発明をすることができたものと認められる。
　
（１２）本件発明１６について
　本件発明１６は、本件発明１４のコピーサーバの機能を実現するプログラムを格納したコンピュータ可読媒体であるから、一致点及び相違点についての判断は上記（１０）と同様であり、その上で該コピーサーバを動作させるに当たって必要なプログラムを格納したコンピュータ可読媒体を用意することは、当業者が容易になしうることであるから、本件発明１６は引用発明２に基づいて当業者が容易に発明をすることができたものと認められる。
　
（１３）むすび
　以上の通りであるから、本件請求項１、２、５、８〜１０、１３〜１６に係る発明は上記刊行物１に記載の発明に基づいて、当業者が容易に発明をすることができたものであるから、上記発明の特許は特許法第２９条第２項の規定に違反してされたものであり、同第１１３条第２号に該当し、取り消されるべきものである。
　よって、結論のとおり決定する。
【異議決定日】
平成１６年５月３１日（２００４．５．３１）
【訂正の要旨】
審決（決定）の【理由】欄参照。
（５４）【発明の名称】
ネットワークコピーファイル管理システム、コピーシステム、コピーサーバ、ネットワークコピーファイル管理方法、コンピュータ可読媒体
（５７）【特許請求の範囲】
　【請求項１】
　ネットワークを介して互いに接続されたコピーシステムと端末とからなるネットワークコピーファイル管理システムにおいて、
　前記コピーシステムは、
　
複数頁の
夫々
複数頁分の
　この画像読取部によって得られた
複数頁分の
することによって一つの画像ファイルに格納して、
　端末からの
所定範囲の画像ファイルの管理情報の
　端末からの
画像ファイルの
、読み出した画像ファイルを当該画像ファイルに含まれる各画像データ毎の画像ファイルに分割して、
　前記端末を構成するコンピュータに対して、所定範囲の画像ファイルの管理情報を前記管理情報応答部に要求させ、この要求に応じて前記管理情報応答部が送信した
各画像ファイルの
その画像ファイルに含まれる画像データの頁数を含めて
　前記端末からの要求に応じて、前記コンピュータ可読媒体に格納されている前記プログラムを、前記端末へ送信するプログラム送信部と
を
　【請求項２】
　前記画像ファイルはＪＰＥＧファイルであり、
　前記画像ファイル保存部は、前記画像データをＪＰＥＧ圧縮することによってＪＰＥＧデータを生成し、このＪＰＥＧデータを前記ＪＰＥＧファイルに格納する
ことを特徴とする請求項１記載のネットワークコピーファイル管理システム。
　【請求項３】
　
ネットワークを介して互いに接続されたコピーシステムと端末とからなるネットワークコピーファイル管理システムにおいて、
　前記コピーシステムは、
　原稿を読み取って画像データを得る画像読取部と、
　この画像読取部によって得られた画像データを画像ファイルのフォーマットに変換してディスクに保存する画像ファイル保存部と、
　端末からの要求に応じて、要求された所定範囲の画像ファイルの管理情報を前記端末へ送信する管理情報応答部と、
　端末からの要求に応じて、要求された画像ファイルを前記ディスクから読み出して前記端末へ送信する画像ファイル送信部と、
　前記端末を構成するコンピュータに対して、所定範囲の画像ファイルの管理情報を前記管理情報応答部に要求させ、この要求に応じて前記管理情報応答部が送信した管理情報を表示させ、表示されている管理情報が示す画像ファイルのうちの何れかが前記端末のオペレータによって特定された場合には当該特定された画像ファイルを前記画像ファイル送信部へ要求させるプログラムを格納したコンピュータ可読媒体と、
　前記端末からの要求に応じて、前記コンピュータ可読媒体に格納されている前記プログラムを、前記端末へ送信するプログラム送信部と
を備え、
　前記画像ファイル保存部は、前記画像データをＪＰＥＧ圧縮することによって詳細画像用ＪＰＥＧデータを生成するとともに、前記画像データの解像度を落としてからＪＰＥＧ圧縮することによって概略画像用ＪＰＥＧデータを生成し、これら詳細画像用ＪＰＥＧデータ及び前記概略画像用ＪＰＥＧデータを結合して一つのＪＰＥＧファイルに格納することを特徴とす
る
　【請求項４】
　前記画像ファイル保存部は、原稿が複数頁からなる場合には、各頁についてそれぞれ生成された各詳細画像用ＪＰＥＧデータ及び各概略画像用ＪＰＥＧデータを結合して一つのＪＰＥＧファイルに格納する
ことを特徴とする請求項３記載のネットワークコピーファイル管理システム。
　【請求項５】
　前記画像ファイルはＴＩＦＦファイルであり、前記画像ファイル保存部は、前記画像データを前記ＴＩＦＦファイルに格納することを特徴とする請求項１記載のネットワークコピーファイル管理システム。
　【請求項６】
　
ネットワークを介して互いに接続されたコピーシステムと端末とからなるネットワークコピーファイル管理システムにおいて、
　前記コピーシステムは、
　原稿を読み取って画像データを得る画像読取部と、
　この画像読取部によって得られた画像データを画像ファイルのフォーマットに変換してディスクに保存する画像ファイル保存部と、
　端末からの要求に応じて、要求された所定範囲の画像ファイルの管理情報を前記端末へ送信する管理情報応答部と、
　端末からの要求に応じて、要求された画像ファイルを前記ディスクから読み出して前記端末へ送信する画像ファイル送信部と、
　前記端末を構成するコンピュータに対して、所定範囲の画像ファイルの管理情報を前記管理情報応答部に要求させ、この要求に応じて前記管理情報応答部が送信した管理情報を表示させ、表示されている管理情報が示す画像ファイルのうちの何れかが前記端末のオペレータによって特定された場合には当該特定された画像ファイルを前記画像ファイル送信部へ要求させるプログラムを格納したコンピュータ可読媒体と、
　前記端末からの要求に応じて、前記コンピュータ可読媒体に格納されている前記プログラムを、前記端末へ送信するプログラム送信部と
を備え、
　前記画像ファイルはＴＩＦＦファイルであり、
　前記画像ファイル保存部は、前記画像データの解像度を落としてからＪＰＥＧ圧縮することによって概略画像用ＪＰＥＧデータを生成し、前記画像データ及び前記概略画像用ＪＰＥＧデータを結合して一つのＴＩＦＦファイルに格納する
ことを特徴とす
る
　【請求項７】
　前記画像ファイル保存部は、原稿が複数頁からなる場合には、各頁の画像データ及び各頁についてそれぞれ生成された各概略画像用ＪＰＥＧデータを結合して一つのＴＩＦＦファイルに格納する
ことを特徴とする請求項６記載のネットワークコピーファイル管理システム。
　【請求項８】
　前記管理情報応答部によって前記端末へ送信される前記画像ファイルの管理情報は、前記画像ファイルのファイル名である
ことを特徴とする請求項１記載のネットワークコピーファイル管理システム。
　【請求項９】
　前記ディスクには多数のディレクトリが定義されており、前記画像ファイルは何れかのディレクトリに格納されている
ことを特徴とする請求項１記載のネットワークコピーファイル管理システム。
　【請求項１０】
　前記所定範囲は前記ディレクトリの範囲である
ことを特徴とする請求項９記載のネットワークコピーファイル管理システム。
　【請求項１１】
　前記コピーシステムは、前記端末からの要求に応じて、要求された画像ファイルから前記概略画像用ＪＰＥＧデータを抽出して、この前記概略画像用ＪＰＥＧデータを概略画像用ＪＰＥＧファイルに格納して前記端末へ送信する概略画像用ＪＰＥＧファイル応答部を、更に備え、
　前記コンピュータ可読媒体に格納されたプログラムは、前記端末を構成するコンピュータに対して、所定範囲の画像ファイルに関する前記概略画像用ＪＰＥＧファイルを前記コピーシステムに対して要求させ、この要求に応じて前記コピーシステムが送信して来た前記概略画像用ＪＰＥＧファイル中の前記概略画像用ＪＰＥＧデータに基づいて、概略画像を表示させる
ことを特徴とする請求項３又は６記載のネットワークコピーファイル管理システム。
　【請求項１２】
　前記コピーシステムは、
　前記端末からの要求に応じて、要求された画像ファイルから要求された頁用の前記概略画像用ＪＰＥＧデータを抽出して、この前記概略画像用ＪＰＥＧデータを概略画像用ＪＰＥＧファイルに格納して前記端末へ送信する概略画像用ＪＰＥＧファイル応答部を、
更に備え、
　前記コンピュータ可読媒体に格納されたプログラムは、
　前記端末を構成するコンピュータに対して、前記端末のオペレータによって特定された画像ファイルに関する何れかの頁用の前記概略画像用ＪＰＥＧファイルを前記コピーシステムに対して要求させ、この要求に応じて前記コピーシステムが送信して来た前記概略画像用ＪＰＥＧファイル中の前記概略画像用ＪＰＥＧデータに基づいて、概略画像を表示させる
ことを特徴とする請求項４又は７記載のネットワークコピーファイル管理システム。
　【請求項１３】
　原稿を読み取るスキャナ及びこのスキャナによって読み出された画像データに基づいて印字を行うプリンタを有するとともに、ネットワークを介して端末と通信可能なコピーシステムであって、
　前記スキャナが
複数頁の
夫々
複数頁分の
することによって一つの画像ファイルに格納
　前記端末が前記ディスク内に格納されている所定範囲の画像ファイルの管理情報を要求して来た場合には、要求された所定範囲の画像ファイルの管理情報を前記端末へ送信する管理情報応答部と、
　前記端末へ送信された管理情報のうちの何れかに対応する画像ファイルを前記端末が要求して来た場合には、要求された画像ファイルを前記ディスクから読み出して前記端末へ送信する画像ファイル送信部と、
　
前記画像ファイル保存部に格納されている何れかの画像ファイルについての移動又はリネームを前記端末が指示してきた場合には、当該画像ファイルについて前記端末から指示された移動又はリネームを行う画像ファイル操作部と、
　前記端末を構成するコンピュータに対して、所定範囲の画像ファイルの管理情報を前記管理情報応答部に要求させ、この要求に応じて前記管理情報応答部が送信した
各画像ファイルの
その画像ファイルに含まれる画像データの頁数を含めて
、表示されている管理情報が示す何れかの画像ファイルに対する移動又はリネームの指示が前記端末のオペレータによって入力された場合には当該指示を前記画像ファイル操作部へ送信させ
　前記端末からの要求に応じて、前記コンピュータ可読媒体に格納されている前記プログラムを、前記端末へ送信するプログラム送信部と
を備えることを特徴とするコピーシステム。
　【請求項１４】
　原稿を読み取るスキャナ及びこのスキャナによって読み出された画像データに基づいて印字を行うプリンタに夫々接続されることによってコピーシステムを構成するとともに、ネットワークを介して端末と通信可能なコピーサーバであって、
　前記スキャナが
複数頁の
夫々
複数頁分の
することによって一つの画像ファイルに格納
　前記端末が前記ディスク内に格納されている所定範囲の画像ファイルの管理情報を要求して来た場合には、要求された所定範囲の画像ファイルの管理情報を前記端末へ送信する管理情報応答部と、
　前記端末へ送信された管理情報のうちの何れかに対応する画像ファイル
中の何れかの画像データ
中の画像データ
　前記端末を構成するコンピュータに対して、所定範囲の画像ファイルの管理情報を前記管理情報応答部に要求させ、この要求に応じて前記管理情報応答部が送信した
各画像ファイルの
その画像ファイルに含まれる画像データの頁数を含めて
の中の画像データ
中の画像データ
　前記端末からの要求に応じて、前記コンピュータ可読媒体に格納されている前記プログラムを、前記端末へ送信するプログラム送信部と
を備えることを特徴とするコピーサーバ。
　【請求項１５】
　ネットワークを介して互いに接続されたコピーシステムと端末とからなるネットワークコピーシステムにおいて、前記コピーシステムが
複数頁の
夫々
複数頁分の画像データを格納した
　前記端末がプログラムを前記コピーシステムに要求し、
　要求されたプログラムを前記コピーシステムが前記端末に対して送信し、
　所定範囲の画像ファイルの管理情報を、前記端末が前記プログラムに従って前記コピーシステムに対して要求し、
　要求された所定範囲の画像ファイルの管理情報を、前記コピーシステムが前記端末に対して送信し、
　送信された
各画像ファイルの
その画像ファイルに含まれる画像データの頁数を含めて
　表示された管理情報のうちオペレータによって特定された管理情報に対応する画像ファイルを、前記端末が前記プログラムに従って前記コピーシステムに対して要求し、
　要求された画像ファイルを、前記コピーシステムが前記端末に対して送信
し、
　表示された管理情報が示す何れかの画像ファイルに対する移動又はリネームの指示がオペレータによって入力された場合には、当該指示を前記端末が前記プログラムに従って前記コピーシステムに対して送信し、
　指示された画像ファイルに対する移動又はリネームを前記コピーシステムが行う
ことを特徴とするネットワークコピーファイル管理方法。
　【請求項１６】
　原稿を読み取るスキャナ及びこのスキャナによって読み出された画像データに基づいて印字を行うプリンタに夫々接続されることによってコピーシステムを構成するとともに、ネットワークを介して端末と通信可能なコンピュータに対して、
　前記スキャナが
複数頁の
夫々
複数頁分の
することによって一つの画像ファイルに格納
　前記端末が前記ディスク内に格納されている所定範囲の画像ファイルの管理情報を要求して来た場合には、要求された所定範囲の画像ファイルの管理情報を前記端末へ送信させ、
　前記端末へ送信された管理情報のうちの何れかに対応する画像ファイル
中の何れかの画像データ
中の画像データ
　前記端末を構成するコンピュータに対して、所定範囲の画像ファイルの管理情報を前者のコンピュータに要求させ、この要求に応じて前者のコンピュータが送信した
各画像ファイルの
その画像ファイルに含まれる画像データの頁数を含めて
の中の画像データ
中の画像データ
プログラムを格納したコンピュータ可読媒体。
【発明の詳細な説明】
　【０００１】
　【発明の属する技術分野】本発明は、コンピュータネットワークを介して相互に接続されたコピーシステムと端末とからなり、コピーシステムにおいて原稿を読み取って得た画像データを端末に送信するネットワークコピーファイル管理システム，このようなネットワークコピーファイル管理システムを構成するコピーシステム，このようなコピーシステムの中核をなすコピーサーバ，上述したようなネットワークコピーファイル管理システムによるネットワークコピーファイル管理方法，コンピュータを上述したようなコピーサーバとして機能させるためのプログラムを格納したコンピュータ可読媒体に、関する。
　【０００２】
　【従来の技術】かつてのコピーシステムは、原稿台に置かれた原稿の像を感光ドラム上に直接結像させ、電子写真プロセスを用いて用紙上に現像するいわゆるアナログ方式のものであった。ところが、近年におけるデジタル技術の発展に伴って、より高度な画像処理を可能とするために、原稿をデジタル画像データとして読み取った後に適宜画像処理を施した上で印刷するデジタル方式が、コピーシステムの方式の主流となってきた。
　【０００３】このようなデジタル方式のコピーシステムは、原稿を読み取る読取装置，印刷を行う印刷装置，及び、これらの装置を制御するとともに読取装置から受信した画像データを適宜処理して印刷装置に送信するコピーサーバから、構成される。このうち、読取装置及び印刷装置は、夫々、コンピュータシステムに用いられているスキャナ及びプリンタ装置と同じ原理で動作する。従って、コピーシステムのアーキテクチャーをＰＣ−ＡＴ等のコンピュータシステムのものと共通にすれば、読取装置及び印刷装置としてスキャナやプリンタが流用でき、コピーサーバとして印刷制御プログラムをインストールした汎用のパーソナルコンピュータ又は専用コンピュータを用いることができる。
　【０００４】
　【発明が解決しようとする課題】このようにコピー制御装置としてＰＣ−ＡＴ等のパーソナルコンピュータが用いられた場合には、このコピーサーバにＴＣＰ／ＩＰ，ＨＴＴＰＤ等の通信プロトコル及びネットワークハードウェアを持たせることで、インターネット，ＬＡＮ（ローカルエリアネットワーク）等のコンピュータネットワークを介してコピーシステムと端末とを相互に接続することができる。このようにコピーシステムと端末とを相互に接続して通信可能に構成すると、実行するプログラム次第で様々な処理が可能であるコンピュータを有する端末を用いることによって、コピーシステムを様々な形態で活用することができる。
　【０００５】たとえば、コピーシステムのスキャナで原稿を読み取って得た画像データをコピーサーバ内に格納しておくとともに、必要に応じて、このように格納されている画像データの概略を端末に表示したり、端末から指定された特定の画像データを端末にダウンロードすることができれば、実際に画像データに基づいて用紙上に印刷する前にコピー対象画像の状態（濃度，解像度，配置，色合い，等）を端末の画面上で確認することができるようになるので、無駄なコピーを防止することにより用紙の節約になり、究極的には地球環境の保護に寄与することができる。
　【０００６】このような点に鑑み、本発明の課題は、原稿を読み取ることによってコピーシステムが得た画像データを画像ファイルとしてコピーシステム内のディスクに保存するとともに、コンピュータネットワークを介してこのコピーシステムに接続された端末からの要求に応じて、要求された範囲内の複数の画像ファイルの管理情報を端末の画面上に表示したり、表示された複数の管理情報のうち端末のオペレータによって要求された特定の管理情報に対応する画像ファイルを端末にダウンロードさせるネットワークコピーファイル管理システム，このようなネットワークコピーファイル管理システムを構成するコピーシステム，このようなコピーシステムの中核をなすコピーサーバ，上述したようなネットワークコピーファイル管理システムによるネットワークコピーファイル管理方法，コンピュータを上述したようなコピーシステムとして機能させるためのプログラムを格納したコンピュータ可読媒体を、提供することである。
　【０００７】
　【課題を解決するための手段】本発明は、上記課題を解決するために、以下の構成を採用した。
　【０００８】即ち、請求項１記載の発明は、ネットワークを介して互いに接続されたコピーシステムと端末とからなるネットワークコピーファイル管理システムにおいて、前記コピーシステムは、
複数頁の
夫々
複数頁分の
複数頁分の
することによって一つの画像ファイルに格納して、
所定範囲の画像ファイルの管理情報の
画像ファイルの
、読み出した画像ファイルを当該画像ファイルに含まれる各画像データ毎の画像ファイルに分割して、
各画像ファイルの
その画像ファイルに含まれる画像データの頁数を含めて
　【０００９】このように構成されると、画像読取部が原稿を読み取ると、この原稿読み取りによって得られた画像データが、画像ファイルのフォーマットに変換されて、ディスク内に格納される。従って、多数の原稿が読み取られると、多数の画像ファイルがディスク内に格納される。このように画像ファイルがディスク内に格納された状態において、端末の管理情報要求部が何れかの範囲の画像ファイルの管理情報をコピーシステムに対して要求すると、コピーシステムの管理情報応答部が、要求された範囲の全画像ファイルの管理情報をディスクから読み出して、端末へ送信する。端末では、受信した管理情報を表示部が表示する。この表示部に表示された管理情報のうちの何れかを特定する旨のデータを端末のオペレータが入力部に対して入力すると、画像ファイル要求部が、特定された管理情報に対応する画像ファイルをコピーシステムに対して要求する。コピーシステムでは、画像ファイル送信部が、端末から要求された画像ファイルをディスクから読み出して、端末へ送信する。このようにして画像ファイルが端末に送信されると、端末はこの画像ファイルに格納されている画像データに基づいて画像を表示することが可能になるので、実際に用紙上に画像を印字する前に、その画像の状態を確認することが可能になる。
　【００１０】画像データは、モノクロの二値データであっても良いし、多階調グレースケールデータであっても良いし、ＲＧＢ多階調データであっても良いし、ＹＭＣＫ多階調データであっても良いし、カラーパレットデータであっても良い。画像ファイルは、ＪＰＥＧファイルであっても良いし、ＴＩＦＦファイルであっても良いし、ＧＩＦファイルであっても良い。画像ファイルの管理情報は、画像ファイルのファイル名，ファイルサイズ，ファイル属性，タイムスタンプ，その画像ファイルに格納されている画像データの頁数のうちの何れかであっても良いし、全部であっても良い。ネットワークは、ＬＡＮであっても良いし、電話網やパケット交換網のような公衆回線網であっても良いし、インターネットやイントラネットであっても良い。ディスクは、ハードディスクであっても良いし、ＲＡＭディスクであっても良いし、フロッピーディスクや光磁気ディスクであっても良い。入力部は、キーボードを有していても良いし、マウスやタッチパネルのようなポインティングデバイスを有していても良い。
　【００１１】請求項２記載の発明は、請求項１の画像ファイルがＪＰＥＧファイルであり、前記画像ファイル保存部が、前記画像データをＪＰＥＧ圧縮することによってＪＰＥＧデータを生成し、このＪＰＥＧデータを前記ＪＰＥＧファイルに格納することで、特定したものである。
　【００１２】請求項３記載の発明は、
ネットワークを介して互いに接続されたコピーシステムと端末とからなるネットワークコピーファイル管理システムにおいて、前記コピーシステムは、原稿を読み取って画像データを得る画像読取部と、この画像読取部によって得られた画像データを画像ファイルのフォーマットに変換してディスクに保存する画像ファイル保存部と、端末からの要求に応じて、要求された所定範囲の画像ファイルの管理情報を前記端末へ送信する管理情報応答部と、端末からの要求に応じて、要求された画像ファイルを前記ディスクから読み出して前記端末へ送信する画像ファイル送信部と、前記端末を構成するコンピュータに対して、所定範囲の画像ファイルの管理情報を前記管理情報応答部に要求させ、この要求に応じて前記管理情報応答部が送信した管理情報を表示させ、表示されている管理情報が示す画像ファイルのうちの何れかが前記端末のオペレータによって特定された場合には当該特定された画像ファイルを前記画像ファイル送信部へ要求させるプログラムを格納したコンピュータ可読媒体と、前記端末からの要求に応じて、前記コンピュータ可読媒体に格納されている前記プログラムを、前記端末へ送信するプログラム送信部とを備え、前記画像ファイル保存部は、
を、特徴とする
　【００１３】請求項４記載の発明は、請求項３の画像ファイル保存部が、原稿が複数頁からなる場合には、各頁についてそれぞれ生成された各詳細画像用ＪＰＥＧデータ及び各概略画像用ＪＰＥＧデータを結合して一つのＪＰＥＧファイルに格納することで、特定したものである。
　【００１４】請求項５記載の発明は、請求項１の画像ファイルがＴＩＦＦファイルであり、前記画像ファイル保存部が、前記画像データを前記ＴＩＦＦファイルに格納することで、特定したものである。
　【００１５】請求項６記載の発明は、
ネットワークを介して互いに接続されたコピーシステムと端末とからなるネットワークコピーファイル管理システムにおいて、前記コピーシステムは、原稿を読み取って画像データを得る画像読取部と、この画像読取部によって得られた画像データを画像ファイルのフォーマットに変換してディスクに保存する画像ファイル保存部と、端末からの要求に応じて、要求された所定範囲の画像ファイルの管理情報を前記端末へ送信する管理情報応答部と、端末からの要求に応じて、要求された画像ファイルを前記ディスクから読み出して前記端末へ送信する画像ファイル送信部と、前記端末を構成するコンピュータに対して、所定範囲の画像ファイルの管理情報を前記管理情報応答部に要求させ、この要求に応じて前記管理情報応答部が送信した管理情報を表示させ、表示されている管理情報が示す画像ファイルのうちの何れかが前記端末のオペレータによって特定された場合には当該特定された画像ファイルを前記画像ファイル送信部へ要求させるプログラムを格納したコンピュータ可読媒体と、前記端末からの要求に応じて、前記コンピュータ可読媒体に格納されている前記プログラムを、前記端末へ送信するプログラム送信部とを備え、前記画像ファイルはＴＩＦＦファイルであり、前記画像ファイル保存部は、
を、特徴とする
　【００１６】請求項７記載の発明は、請求項６の画像ファイル保存部が、原稿が複数頁からなる場合には、各頁の画像データ及び各頁についてそれぞれ生成された各概略画像用ＪＰＥＧデータを結合して一つのＴＩＦＦファイルに格納することで、特定したものである。
　【００１７】請求項８記載の発明は、請求項１の管理情報応答部によって前記端末へ送信される前記画像ファイルの管理情報が前記画像ファイルのファイル名であることで、特定したものである。
　【００１８】請求項９記載の発明は、請求項１のディスクには多数のディレクトリが定義されており、前記画像ファイルは何れかのディレクトリに格納されていることで、特定したものである。
　【００１９】請求項１０記載の発明は、請求項９の所定範囲が前記ディレクトリの範囲であることで、特定したものである。
　【００２０】請求項１１記載の発明は、請求項３又は６のコピーシステムが、前記端末からの要求に応じて、要求された画像ファイルから前記概略画像用ＪＰＥＧデータを抽出して、この前記概略画像用ＪＰＥＧデータを概略画像用ＪＰＥＧファイルに格納して前記端末へ送信する概略画像用ＪＰＥＧファイル応答部を、更に備え、前記コンピュータ可読媒体に格納されたプログラムが、前記端末を構成するコンピュータに対して、所定範囲の画像ファイルに関する前記概略画像用ＪＰＥＧファイルを前記コピーシステムに対して要求させ、この要求に応じて前記コピーシステムが送信して来た前記概略画像用ＪＰＥＧファイル中の前記概略画像用ＪＰＥＧデータに基づいて、概略画像を表示させることで、特定したものである。
　【００２１】このように構成されると、端末の画面上には、コピーシステムのディスクに格納された画像ファイルの管理情報とともに、その画像ファイルの概略画像が表示されるので、端末のオペレータは、要求すべき画像ファイルを容易に特定することができる。
　【００２２】請求項１２記載の発明は、請求項４又は７のコピーシステムが、前記端末からの要求に応じて、要求された画像ファイルから要求された頁用の前記概略画像用ＪＰＥＧデータを抽出して、この前記概略画像用ＪＰＥＧデータを概略画像用ＪＰＥＧファイルに格納して前記端末へ送信する概略画像用ＪＰＥＧファイル応答部を、更に備え、前記コンピュータ可読媒体に格納されたプログラムが、前記端末を構成するコンピュータに対して、前記端末のオペレータによって特定された画像ファイルに関する何れかの頁用の前記概略画像用ＪＰＥＧファイルを前記コピーシステムに対して要求させ、この要求に応じて前記コピーシステムが送信して来た前記概略画像用ＪＰＥＧファイル中の前記概略画像用ＪＰＥＧデータに基づいて、概略画像を表示させることで、特定したものである。
　【００２３】このように構成されると、多数頁分の画像データを含む画像ファイルについては、この画像ファイルに格納されている各頁の概略画像を任意に表示することができるので、端末のオペレータは、要求すべき画像ファイルを容易に特定することができる。
　【００２４】請求項１３記載の発明は、原稿を読み取るスキャナ及びこのスキャナによって読み出された画像データに基づいて印字を行うプリンタを有するとともに、ネットワークを介して端末と通信可能なコピーシステムであって、前記スキャナが
複数頁の
夫々
複数頁分の
することによって一つの画像ファイルに格納
前記画像ファイル保存部に格納されている何れかの画像ファイルについての移動又はリネームを前記端末が指示してきた場合には、当該画像ファイルについて前記端末から指示された移動又はリネームを行う画像ファイル操作部と、
各画像ファイルの
その画像ファイルに含まれる画像データの頁数を含めて
、表示されている管理情報が示す何れかの画像ファイルに対する移動又はリネームの指示が前記端末のオペレータによって入力された場合には当該指示を前記画像ファイル操作部へ送信させ
を備えることを、特徴とする。
　【００２５】
　【００２６】請求項１４記載の発明は、原稿を読み取るスキャナ及びこのスキャナによって読み出された画像データに基づいて印字を行うプリンタに夫々接続されることによってコピーシステムを構成するとともに、ネットワークを介して端末と通信可能なコピーサーバであって、前記スキャナが
複数頁の
夫々
複数頁分の
することによって一つの画像ファイルに格納
中の何れかの画像データ
中の画像データ
各画像ファイルの
その画像ファイルに含まれる画像データの頁数を含めて
の中の画像データ
中の画像データ
　【００２７】
　【００２８】請求項１５記載の発明は、ネットワークを介して互いに接続されたコピーシステムと端末とからなるネットワークコピーシステムにおいて、前記コピーシステムが
複数頁の
夫々
複数頁分の画像データを格納した
各画像ファイルの
その画像ファイルに含まれる画像データの頁数を含めて
し、　表示された管理情報が示す何れかの画像ファイルに対する移動又はリネームの指示がオペレータによって入力された場合には、当該指示を前記端末が前記プログラムに従って前記コピーシステムに対して送信し、指示された画像ファイルに対する移動又はリネームを前記コピーシステムが行う
　【００２９】請求項１６記載の発明は、原稿を読み取るスキャナ及びこのスキャナによって読み出された画像データに基づいて印字を行うプリンタに夫々接続されることによってコピーシステムを構成するとともに、ネットワークを介して端末と通信可能なコンピュータに対して、前記スキャナが
複数頁の
夫々
複数頁分の
することによって一つの画像ファイルに格納
中の何れかの画像データ
中の画像データ
各画像ファイルの
その画像ファイルに含まれる画像データの頁数を含めて
の中の画像データ
中の画像データ
　【００３０】
　【発明の実施の形態】以下に図面を参照し、本発明によるネットワークコピー制御システムの実施形態を説明する。
　【００３１】（全体構成）図１は、本実施形態によるネットワークコピー制御システムの概略構成図を示す。本例のネットワークコピー制御システムは、例えばＬＡＮ又はインターネットのようなネットワークＮＷによって相互に接続された複数組のコピーシステム１，１’及び多数台（若しくは１台）のクライアント端末２から、構成される。各コピーシステム１，１’は互いに全く同じ構成を有しているので、以下、一方のコピーシステム１についてのみ詳細な構成の説明を行う。
　【００３２】コピーシステム１は、専用コンピュータ又は一般的なパーソナルコンピュータからなるコピーサーバ（ファイルサーバ）１０と、このコピーサーバ１０に夫々接続されたスキャナ２０及びプリンタ２１とから、構成される。
　【００３３】更に、このコピーサーバ１０は、バス（データバス及びシステムバス）Ｂによって互いに接続されたＣＰＵ１７，ＲＡＭ１１，入出力制御部１２，ハードディスク１３，通信デバイス１４，ＳＣＳＩインタフェース１５及びセントロニクスインタフェース１６と、入出力制御部１２に接続されたタッチパネル１８，ＬＣＤ（Ｌｉｑｕｉｄ　Ｃｒｙｓｔａｌ　Ｄｉｓｐｌａｙ）１９及びキーボード２３とから、構成されている。
　【００３４】これらのうち、ＣＰＵ１７は、このコピーサーバ１０全体の制御を行うプロセッサ（コンピュータ）であり、画像読取部，画像ファイル保存部，プログラム送信部，管理情報応答部，画像ファイル送信部，概略画像用ＪＰＥＧファイル応答部として機能する。ＲＡＭ１１は、このＣＰＵ１７による作業領域が展開されるランダムアクセスメモリである。
　【００３５】通信デバイス１４は、各クライアント端末２や他のコピーシステム１’との間で、パケットベースのデータ交換を行う。この通信インタフェース１４としては、ネットワークＮＷがＬＡＮ（Ｌｏｃａｌ　Ａｒｅａ　Ｎｅｔｗｏｒｋ）である場合にはＬＡＮカードが用いられ、ネットワークＮＷがインターネットである場合にはシリアルインタフェース及びモデム，ＬＡＮカード又はＤＳＵが用いられる。
　【００３６】ＳＣＳＩインタフェース１５には、スキャナ２０に接続されたＳＣＳＩケーブルが接続され、このスキャナ２０との間のデータ交換（スキャナ２０に対する各種情報や命令の送信，スキャナ２０からの各種情報やスキャンデータの受信）を制御する。また、セントロニクスインタフェース１６には、プリンタ２１に接続されたセントロニクスケーブルが接続され、このプリンタ２１との間のデータ交換（プリンタ２１に対する各種情報や命令や印刷用データの送信，プリンタ２１からの各種情報の受信）を制御する。
　【００３７】コンピュータ可読媒体としてのハードディスク１３は、ＣＰＵ１７によって読み取られて実行される制御プログラム（オペレーションシステムプログラムを含む）１３１，並びに、クライアント端末２からの要求に応じて配信される多数のハイパーテキストデータ（そのうちの一つが“ＷｅｂＥｘｐｌｏｒｅ．ｈｔｍｌ”１３２）及びＪａｖａアプレットのクラスファイル１３３を、格納している。これら制御プログラム等は、図示せぬＣＤ−ＲＯＭドライブ等を介して、このハードディスク１３にダウンロードされたものである。さらに、ディスクとしてのハードディスク１３には、後述する各種画像ファイル（ＪＰＥＧファイル，ＴＩＦＦファイル）を格納するための画像ファイル領域１３４が、確保されている。
　【００３８】この画像ファイル領域１３４には固有のドライブ名が与えられており、その内部は、論理的に、ツリー構造となっている。即ち、その全体がルートディレクトリとして定義されているとともに、当該ルートディレクトリの領域の全部又は一部が０個乃至複数個の下階層のサブディレクトリとして定義され、更に、各サブディレクトリの領域の全部又は一部が０個乃至複数個の下階層のサブディレクトリとして定義されているのである。そして、各サブディレクトリには、夫々ディレクトリ名が付与されているので、全てのサブディレクトリは、ルートからツリー状に枝分かれした各サブディレクトリのディレクトリ名を辿ることによって特定される。このようにルートから目的とするサブディレクトリに到る一連のサブディレクトリに付されたディレクトリ名の連なりを、「パス名」と称する。また、ルート及び各サブディレクトリを総称して、「ディレクトリ」と称するものとする。上述した各画像ファイルは、画像ファイル領域１３４内に定義された何れのディレクトリにも格納可能である。そして、何れかのディレクトリに格納された画像ファイルは、そのファイル名，及び、格納されたディレクトリのパス名により、特定される。
　【００３９】画像ファイル領域１３４に格納される画像ファイルは、ＪＰＥＧファイルとＴＩＦＦファイルに大別される。但し、本実施形態においては、本来のＪＰＥＧ（Ｊｏｉｎｔ　Ｐｈｏｔｏｇｒａｐｈｉｃ　Ｃｏｄｉｎｇ　Ｅｘｐｅｒｔｓ　Ｇｒｏｕｐ）ファイル及びＴＩＦＦ（Ｔａｇｇｅｄ　Ｉｍａｇｅ　Ｆｉｌｅ　Ｆｏｒｍａｔ）ファイルのフォーマットに、独自の改変を加えて用いている。即ち、本来のＪＰＥＧの規格では、一つのＪＰＥＧファイルは、ヘッダ及び１頁分のＪＰＥＧデータのみから構成されることになっているが、本実施形態では、一つのＪＰＥＧファイル内に、複数頁分のＪＰＥＧデータ（詳細画像用ＪＰＥＧデータ）と各頁に対応したＪＰＥＧサムネイルデータ（本来のＪＰＥＧデータの概略画像を表示するために解像度を落として生成された概略画像用ＪＰＥＧデータ）とが格納されるように、ＪＰＥＧファイルのフォーマットを改変している。また、本来のＴＩＦＦの規格では、一つのＴＩＦＦファイルは、一つのヘッダと１又は複数頁分のビットマップデータから構成されることになっているが、本実施形態では、一つのＴＩＦＦファイル内に、複数頁分のビットマップデータと各頁に対応したＪＰＥＧサムネイルデータ（概略画像用ＪＰＥＧデータ）とが格納されるように、ＴＩＦＦファイルのフォーマットを改変している。
　【００４０】図３７は、本実施例において使用されるＪＰＥＧファイル（１頁分のＪＰＥＧデータを格納するＪＰＥＧシングルページファイル）のフォーマット図である。この場合、ＪＰＥＧシングルページファイルは、先頭から順に、Ｔｏｔａｌ　ＪＰＥＧ　ｄａｔａ領域６０，Ｓｉｚｅ　ｏｆ　ＪＰＥＧ　ｔｈｕｍｎａｉｌ領域６１，ＪＰＥＧ　ｔｈｕｍｎａｉｌ領域６２，Ｏｆｆｓｅｔｏｆ　Ｔｏｔａｌ　ＪＰＥＧ　Ｄａｔａ領域６３，Ｏｆｆｓｅｔ　ｏｆ　ＪＰＥＧ　Ｔｈｕｍｎａｉｌ領域６４，Ｎｏ．ｏｆ　ｐａｇｅｓ領域６５，及び、Ｍａｋｅｒ領域６６から、構成される。このうち、Ｔｏｔａｌ　ＪＰＥＧ　ｄａｔａ領域６０は、ＪＰＥＧによって規定された本来のＪＰＥＧファイルに相当する領域であるので、ヘッダと１ページ分のＪＰＥＧデータを格納している。このＴｏｔａｌ　ＪＰＥＧ　ｄａｔａ領域６０のサイズは、ＪＰＥＧ圧縮前の画像のサイズや圧縮比如何に依るが、ここでは、一例として１００Ｋバイトであるとする。次のＳｉｚｅ　ｏｆ　ＪＰＥＧｔｈｕｍｎａｉｌ領域６１は、それに続くＪＰＥＧｔｈｕｍｎａｉｌ領域６２のサイズを４バイトで示す領域であるが、ＪＰＥＧ　ｔｈｕｍｎａｉｌ領域６２のサイズは１０２４バイトに固定されているので、その値は“１０２４”である。次のＪＰＥＧｔｈｕｍｎａｉｌ領域６２は、Ｔｏｔａｌ　ＪＰＥＧ　ｄａｔａ領域６０に格納されているＪＰＥＧデータの概略画像を示すＪＰＥＧサムネイルデータを格納する領域である。次のＯｆｆｓｅｔ　ｏｆ　Ｔｏｔａｌ　ＪＰＥＧ　Ｄａｔａ領域６３は、Ｔｏｔａｌ　ＪＰＥＧ　ｄａｔａ領域６０の当該ＪＰＥＧファイルの先頭からのオフセット量を示す領域であるが、ＪＰＥＧシングルページファイルにおいてＴｏｔａｌ　ＪＰＥＧ　ｄａｔａ領域６０は一個のみであるので、その値は“０”である。次のＯｆｆｓｅｔ　ｏｆ　ＪＰＥＧＴｈｕｍｎａｉｌ領域６４は、ＪＰＥＧ　ｔｈｕｍｎａｉｌ領域６２の当該ＪＰＥＧファイルの先頭からのオフセット量を示す領域であるが、ＪＰＥＧシングルページファイルにおいてＪＰＥＧ　ｔｈｕｍｎａｉｌ領域６２は一個のみであるので、その値は“１００Ｋ＋４”である。次のＮｏ．ｏｆ　ｐａｇｅｓ領域６５は、当該ＪＰＥＧファイルに含まれるＴｏｔａｌ　ＪＰＥＧ　ｄａｔａ領域６０の数を示す領域であるが、ＪＰＥＧシングルページファイルにおいてＴｏｔａｌ　ＪＰＥＧ　ｄａｔａ領域６０は一個のみであるので、その値は“１”である。次のＭａｋｅｒ領域６６は、当該ＪＰＥＧファイルが独自フォーマットによるものである事を示す領域であり、当該コピーサーバ１０の機種名である“Ｃｏｌｏｒ　Ｃｏｐｙ　Ｓｔａｔｉｏｎ”が記載されている。
　【００４１】図３８は、本実施例において使用されるＪＰＥＧファイル（Ｘ頁分のＪＰＥＧデータを格納するＪＰＥＧマルチページファイル）のフォーマット図である。このＪＰＥＧマルチページファイルでは、図３７のＪＰＥＧシングルページファイルの場合と比較して、Ｔｏｔａｌ　ＪＰＥＧ　ｄａｔａ領域６０，Ｓｉｚｅ　ｏｆ　ＪＰＥＧ　ｔｈｕｍｎａｉｌ領域６１，及びＪＰＥＧ　ｔｈｕｍｎａｉｌ領域６２のセットがＸ回繰り返して配置されているとともに、Ｏｆｆｓｅｔ　ｏｆ　Ｔｏｔａｌ　ＪＰＥＧ　Ｄａｔａ領域６３及びＯｆｆｓｅｔ　ｏｆ　ＪＰＥＧ　Ｔｈｕｍｎａｉｌ領域６４が夫々Ｘ個づつ配置されている。従って、或るページ（ｎ　ｐａｇｅ）についてのＯｆｆｓｅｔ　ｏｆ　Ｔｏｔａｌ　ＪＰＥＧ　Ｄａｔａ領域６３−ｎの値は、ｎページ目に対応するＴｏｔａｌ　ＪＰＥＧ　ｄａｔａ領域６０−ｎの当該ＪＰＥＧファイルの先頭からのオフセット量，即ち“（ｎ−１）×（１００Ｋ＋４＋１０２４）”である。また、或るページ（ｎ　ｐａｇｅ）についてのＯｆｆｓｅｔ　ｏｆ　ＪＰＥＧ　Ｔｈｕｍｎａｉｌ領域６４−ｎの値は、ｎページ目に対応するＪＰＥＧ　ｔｈｕｍｎａｉｌ領域６２−ｎの当該ＪＰＥＧファイルの先頭からのオフセット量，即ち“（ｎ−１）×（１００Ｋ＋４＋１０２４）＋１００Ｋ＋４”である。また、Ｎｏ．ｏｆ　ｐａｇｅｓ領域６５の値は、当該ＪＰＥＧファイルに含まれるＴｏｔａｌ　ＪＰＥＧ　ｄａｔａ領域６０の数，即ち“Ｘ”である。
　【００４２】図３９は、本実施例において使用されるＴＩＦＦファイル（１頁分のビットマップデータを格納するシングルページＴＩＦＦファイル）のフォーマット図である。この場合、シングルページＴＩＦＦファイルは、先頭から順に、ＴＩＦＦ　Ｈｅａｄｅｒ＋Ｄａｔａ領域７０，Ｓｉｚｅ　ｏｆ　ＪＰＥＧ　ｔｈｕｍｎａｉｌ領域７１，ＪＰＥＧ　ｔｈｕｍｎａｉｌ領域７２，Ｏｆｆｓｅｔ　ｏｆ　ＴＩＦＦ　Ｄａｔａ領域７３，Ｏｆｆｓｅｔ　ｏｆ　ＪＰＥＧ　Ｔｈｕｍｎａｉｌ領域７４，Ｎｏ．ｏｆ　ｐａｇｅｓ領域７５，及び、Ｍａｋｅｒ領域７６から、構成される。このうち、ＴＩＦＦ　Ｈｅａｄｅｒ＋Ｄａｔａ領域７０は、本来のＴＩＦＦファイルにおける１ページ目のデータを格納する領域に相当するので、ヘッダと１ページ分のビットマップデータを格納している。次のＳｉｚｅ　ｏｆ　ＪＰＥＧ　ｔｈｕｍｎａｉｌ領域７１は、それに続くＪＰＥＧ　ｔｈｕｍｎａｉｌ領域７２のサイズを示す領域である。次のＪＰＥＧｔｈｕｍｎａｉｌ領域７２は、ＴＩＦＦ　Ｈｅａｄｅｒ＋Ｄａｔａ領域７０に格納されているビットマップデータの概略画像を示すＪＰＥＧサムネイルデータを格納する領域である。次のＯｆｆｓｅｔ　ｏｆ　ＴＩＦＦ　Ｄａｔａ領域７３は、ＴＩＦＦ　Ｈｅａｄｅｒ＋Ｄａｔａ領域７０内に格納されているビットマップデータの当該ＴＩＦＦファイルの先頭からのオフセット量を示す領域である。次のＯｆｆｓｅｔ　ｏｆ　ＪＰＥＧ　Ｔｈｕｍｎａｉｌ領域７４は、ＪＰＥＧ　ｔｈｕｍｎａｉｌ領域７２の当該ＴＩＦＦファイルの先頭からのオフセット量を示す領域である。次のＮｏ．ｏｆ　ｐａｇｅｓ領域７５は、当該ＴＩＦＦファイルに含まれるビットマップデータの数を示す領域であり、その値は“１”である。次のＭａｋｅｒ領域７６は、当該ＴＩＦＦファイルが独自フォーマットによるものである事を示す領域であり、当該コピーサーバ１０の機種名である“Ｃｏｌｏｒ　ＣｏｐｙＳｔａｔｉｏｎ”が記載されている。
　【００４３】図４０は、本実施例において使用されるＴＩＦＦファイル（Ｘ頁分のビットマップデータを格納するマルチページＴＩＦＦファイル）のフォーマット図である。このマルチページＴＩＦＦファイルは、先頭から順に、１ページ目のビットマップデータ用のＴＩＦＦ　Ｈｅａｄｅｒ＋Ｐａｇｅ　１　Ｄａｔａ領域７０−１，Ｓｉｚｅ　ｏｆ　Ｐａｇｅ　１　ＪＰＥＧｔｈｕｍｎａｉｌ領域７１−１，及びＪＰＥＧ　ｔｈｕｍｎａｉｌ　ｆｏｒ　Ｐａｇｅ　１領域７２−１，２〜Ｘ頁目のビットマップデータ用にＸ−１回繰り返して配置されるＴＩＦＦ　Ｐａｇｅ　ｎ　Ｄａｔａ領域７０−ｎ，Ｓｉｚｅ　ｏｆ　Ｐａｇｅ　ｎ　ＪＰＥＧ　ｔｈｕｍｎａｉｌ領域７１−ｎ，及びＪＰＥＧ　ｔｈｕｍｎａｉｌ　ｆｏｒ　Ｐａｇｅ　ｎ領域７２−ｎのセット，Ｘ個のＯｆｆｓｅｔ　ｏｆ　ＴＩＦＦ　ｐａｇｅ　ｎ　Ｄａｔａ領域７３−ｎ，Ｘ個のＯｆｆｓｅｔ　ｏｆ　ＪＰＥＧ　Ｔｈｕｍｎａｉｌ　ｐａｇｅ　ｎ領域７４−ｎ，Ｎｏ．ｏｆ　ｐａｇｅｓ領域７５，並びに、Ｍａｋｅｒ領域７６から、構成される。このうち、ＴＩＦＦ　Ｈｅａｄｅｒ＋Ｐａｇｅ１　Ｄａｔａ領域７０−１は、本来のＴＩＦＦファイルにおける１ページ目のデータを格納する領域に相当するので、ヘッダと１ページ目のビットマップデータを格納している。次のＳｉｚｅ　ｏｆ　Ｐａｇｅ　１　ＪＰＥＧ　ｔｈｕｍｎａｉｌ領域７１−１は、それに続くＪＰＥＧｔｈｕｍｎａｉｌ　ｆｏｒ　Ｐａｇｅ　１領域７２−１のサイズを示す領域である。次のＪＰＥＧ　ｔｈｕｍｎａｉｌ　ｆｏｒ　Ｐａｇｅ　１領域７２−１は、ＴＩＦＦ　Ｈｅａｄｅｒ＋Ｐａｇｅ　１　Ｄａｔａ領域７０−１に格納されているビットマップデータの概略画像を示すＪＰＥＧサムネイルデータを格納する領域である。ＴＩＦＦ　Ｐａｇｅ　ｎ　Ｄａｔａ領域７０−ｎは、本来のＴＩＦＦファイルにおけるｎページ目のデータを格納する領域に相当するので、ｎページ目のビットマップデータを格納している。次のＳｉｚｅ　ｏｆ　Ｐａｇｅ　ｎ　ＪＰＥＧ　ｔｈｕｍｎａｉｌ領域７１−ｎは、それに続くＪＰＥＧ　ｔｈｕｍｎａｉｌ　ｆｏｒ　Ｐａｇｅ　ｎ領域７２−ｎのサイズを示す領域である。次のＪＰＥＧ　ｔｈｕｍｎａｉｌ　ｆｏｒ　Ｐａｇｅ　ｎ領域７２−ｎは、ＴＩＦＦ　Ｈｅａｄｅｒ＋Ｐａｇｅ　ｎ　Ｄａｔａ領域７０−ｎに格納されているビットマップデータの概略画像を示すＪＰＥＧサムネイルデータを格納する領域である。各Ｏｆｆｓｅｔ　ｏｆ　ＴＩＦＦ　Ｄａｔａ領域７３−１〜Ｘは、対応する頁のビットマップデータの当該ＴＩＦＦファイルの先頭からのオフセット量を示す領域である。各Ｏｆｆｓｅｔ　ｏｆ　ＪＰＥＧ　Ｔｈｕｍｎａｉｌ　ｐａｇｅ　ｎ領域７４ｎは、対応する頁用ＪＰＥＧ　ｔｈｕｍｎａｉｌ　ｆｏｒ　ｐａｇｅ　ｎ領域７２−ｎの当該ＴＩＦＦファイルの先頭からのオフセット量を示す領域である。次のＮｏ．ｏｆ　ｐａｇｅｓ領域７５は、当該ＴＩＦＦファイルに含まれるビットマップデータの数を示す領域であり、その値は“Ｘ”である。次のＭａｋｅｒ領域７６は、当該ＴＩＦＦファイルが独自フォーマットによるものである事を示す領域であり、当該コピーサーバ１０の機種名である“Ｃｏｌｏｒ　Ｃｏｐｙ　Ｓｔａｔｉｏｎ”が記載されている。
　【００４４】図１に戻り、ＬＣＤ（液晶パネル）１９は、このコピーサーバ１０の筐体の上面に填め込まれており、その表面上には、送信先設定部及びコピー条件指定部の一部をなすタッチパネル１８が重ねられている。このＬＣＤ１９は、モノクロ２階調のドットマトリックス液晶パネルであり、入出力制御部１２によって駆動され、ＣＰＵ１７が生成した操作画面を表示する。
　【００４５】図３５は、初期状態においてこのＬＣＤ１９に表示される操作画面（コピーモード基本操作画面）を示す。この図３５に示されるように、コピーモード基本操作画面は、左，右及び中央の３つのカラムに分かれている。このうち、左側のカラム５０には、主要なパラメータの種類を示すタブ（倍率，用紙種別，出力先，メモリ）が表示されており、中央のカラム５１には、各パラメータの現在における設定内容が表示されている（図３５の例では、ローカルプリンタ，即ち、自コピーシステム１のプリンタ２１にセットされているＡ４の普通紙へ等倍の倍率で出力するように、各パラメータが設定されている）。なお、このコピーモード基本操作画面の左上隅には、コピーモードボタン５２及びスキャンモードボタン５３が表示されている。このコピーモード基本操作画面はコピーサーバ１０がコピーモードに設定されている時に表示されるため、コピーモードボタン５２は、現在コピーモードに設定されている旨を示すために網掛け表示状態となっている。
　【００４６】図３６は、コピーサーバ１０がスキャンモードに設定されている時に最初にＬＣＤ１９上に表示される操作画面（スキャンモード基本操作画面）を示す。この図３６に示されるように、スキャンモード基本操作画面は、左，右及び中央の３つのカラムに分かれている。このうち、左側のカラム５０には、主要なパラメータの種類を示すタブ（ユーザ，原稿，解像度，モード，プリセット）が表示されており、中央のカラム５１には、各パラメータの現在における設定内容が表示されている（図３６の例では、解像度が３６０［ｄｐｉ］でＡ４の原稿をカラーモードで読み取って自コピーシステム１のハードディスク１３に格納するように、各パラメータが設定されている）。なお、このスキャンモード基本操作画面の左上隅には、コピーモードボタン５２及びスキャンモードボタン５３が表示されているが、スキャンモードボタン５３は、現在スキャンモードに設定されている旨を示すために網掛け表示状態となっている。
　【００４７】図１に戻り、タッチパネル１８は、ＬＣＤ１９に重ねられた感圧エリアセンサであり、オペレータの指によって押圧された位置に対応する信号を、入力制御部１２に入力する。なお、このタッチパネルにおけるＬＣＤ１９上の各表示項目に重なる部分を押圧することを、以下、単に、その表示項目を「押下する」と表記する。このようにして、基本操作画面における各タブが押下されると、ＣＰＵ１７の制御により、そのタブが示すパラメータについての選択枝が、コピーモード基本操作画面中の中央カラム５１に一覧表示される。また、コピーモード基本操作画面中のスキャンモードボタン５３が押下されると、ＣＰＵ１７の制御により、コピーサーバ１０がスキャンモードに設定されるとともに、ＬＣＤ１９上にスキャンモード基本操作画面が表示される。逆に、スキャンモード基本操作画面中のコピーモードボタン５２が押下されると、ＣＰＵ１７の制御により、コピーサーバ１０がコピーモードに設定されるとともに、ＬＣＤ１９上にコピーモード基本操作画面が表示される。
　【００４８】キーボード２３は、このコピーサーバ１０の筐体の上面においてタッチパネル１８に隣接して設けられたスタートキー，テンキー，等からなり、オペレータによって押下されたキーに対応した信号を、入力制御部１２に入力する。
　【００４９】入出力制御部１２は、ＣＰＵ１７から受け取った画像データに基づいてＬＣＤ１９を適宜駆動するとともに、タッチパネル１８からの入力信号を解析することによって対応する位置信号をＣＰＵ１７に入力したり、キーボード２３からの入力信号を解析することによって対応するコード信号をＣＰＵ１７に入力する。
　【００５０】次に、各クライアント端末２のハードウェア構成を、図２に基づいて説明する。図２に示されるように、各クライアント端末２は、互いにバスＢによって接続されたＣＰＵ３０，ＲＯＭ３１，ＲＡＭ３２，通信デバイス３３，バスコントローラ３４，ディスクドライブコントローラ（ＤＤＣ）３５，ディスプレイコントローラ３６及び入力インタフェース３７と、ディスクドライブコントローラ（ＤＤＣ）３５に接続されたハードディスク３８及びフロッピーディスクドライブ３９と、ディスプレイコントローラ３６に接続されたディスプレイ４０と、入力インタフェース３７に接続されたキーボード４１及びマウス４２とから、構成されている。
　【００５１】バスコントローラ３４は、バスＢの状態を管理して、バスＢ経由で各回路間のデータ授受を可能にする装置である。ディスクドライブコントローラ（ＤＤＣ）３５は、ＣＰＵ３０からの制御に応じて各ディスクドライブ３８，３９を駆動することによって、各ディスク（ハードディスク３８，フロッピーディスク４３）へのデータ書き込み及びディスク（ハードディスク３８，フロッピーディスク４３）からのデータ読み出しを行う。
　【００５２】ハードディスク３８には、固有のドライブ名が与えられており、ＣＰＵ３０によって実行されるオペレーションシステムプログラム（マイクロソフト社製ウィンドウズ９５（商標））や通信プログラム及びウェッブブラウザが、格納されている。このハードディスク３８内も、コピーサーバ１０のハードディスク１３内と同様に、論理的に、ツリー状に構成された多数のディレクトリに区分されている。そして、各ディレクトリに、何れかのコピーシステム１，１’のコピーサーバ１０，１０’からダウンロードした画像ファイルや他のクライアント端末２から受信した画像ファイルを格納することが、可能となっている。なお、マルチページＴＩＦＦ対応のビューワであれば、図４０のフォーマットを有する本実施形態によるマルチページＴＩＦＦファイル内からＴＩＦＦ　Ｈｅａｄｅｒ＋Ｐａｇｅ　１　Ｄａｔａ領域７０−１及びＴＩＦＦ　Ｐａｇｅ　ｎ　Ｄａｔａ領域７０−ｎのみを認識することができるので、図４０及び図３９に示すＴＩＦＦファイルがそのままハードディスク３８に格納される。しかしながら、図３７及び図３８のフォーマットを有する本実施形態によるＪＰＥＧファイルは、一般のＪＰＥＧ対応のビューワからは読めないので、Ｔｏｔａｌ　ＪＰＥＧ　ｄａｔａ領域６０のみが抽出されてハードディスク３８内に格納される。
　【００５３】表示部としてのディスプレイコントローラ３６は、ＣＰＵ３０による制御に従って、ＣＰＵ３０が生成した表示データに基づいてディスプレイ４０に各種画像を表示する。
　【００５４】入力部としての入力インタフェース３７は、マウス４２及びキーボード４１から入力された信号をエンコードすることによって、ユーザが入力した情報（押下されたキーを示す信号、マウス４２によって入力されたベクトル情報，マウス４２によって入力されたクリック信号）を、ＣＰＵ３０に入力する。
　【００５５】ＣＰＵ３０は、このクライアント装置２全体の制御を行うプロセッサ（コンピュータ）であり、管理情報要求部，概略画像用ＪＰＥＧファイル要求部，画像ファイル要求部として機能する。また、ＲＡＭ３２は、ＣＰＵ３０の作業領域として用いられるメモリであり、ＣＰＵ３０がハードディスク３８から読み出したオペレーションシステムプログラムやウェッブブラウザ３０１が展開される。このＣＰＵ３０は、電源投入時にＲＯＭ３１からＢＩＯＳプログラムを読み出して実行することによって、ハードディスク３８からオペレーションシステムプログラム及びウェッブブラウザを読み出してＲＡＭ３２に展開し、このオペレーションプログラムを実行することによってクライアント端末１０全体を制御するとともに、各コピーシステム１のコピーサーバ１０との間でパケットベースの通信を行う。
　【００５６】なお、このオペレーションシステムを実行することによって、ＣＰＵ３０は、入力インタフェース３７から入力されたべクトル情報に従って、ディスプレイ４０上にカーソルを表示して移動させ、クリック信号が入力された時には、その時点においてカーソルと重なっている画面中の項目を特定し、その項目の選択（その項目がコマンドである場合にはそのコマンドの入力）がなされたものと認識する（入力部の一部に相当）。以下、ある項目にカーソルが重ねられた状態でクリック信号が入力されることを、単に、その項目が「クリックされた」と称する。また、クリック信号が継続的に入力されている間にベクトル情報が入力された場合にはクリック信号が入力され初めた時点でカーソルに重なっていたオブジェクトがドラッグされているものと認識し、クリック信号が切れた時点でカーソルに重なった項目にドロップされたものと認識する。
　【００５７】また、ＣＰＵ３０は、ウェッブブラウザを実行することによって、サーバ１０に格納されているハイパーテキストデータ（“ＷｅｂＥｘｐｌｏｒｅ．ｈｔｍｌ”１３２）及びＪａｖａアプレット１３３のクラスファイルをＲＡＭ３２上にダウンロードして、このハイパーテキストデータ（“ＷｅｂＥｘｐｌｏｒｅ．ｈｔｍｌ”１３２）の内容を表示するための表示データを生成するとともに、Ｊａｖａアプレットを実行する。
　【００５８】通信デバイス３３としては、ネットワークＮＷがＬＡＮ（Ｌｏｃａｌ　Ａｒｅａ　Ｎｅｔｗｏｒｋ）である場合にはＬＡＮカードが用いられ、ネットワークＮＷがインターネットである場合にはシリアルインタフェース及びモデム，ＬＡＮカード又はＤＳＵが用いられる。
　【００５９】図３は、各コピーシステム１，１’のコピーサーバ１０のＣＰＵ１７がハードディスク１３から制御プログラム１３１を読み出してＲＡＭ１１に展開するとともに、各クライアント端末２がハードディスク３８からオペレーションシステム及びウェッブブラウザをＲＡＭ３２に展開した状態における各タスクやプログラムの関係を示す、ソフトウェア構成図である。この図３に示されるように、コピーサーバ１０のＣＰＵ１７が実行するタスクは、ネットワーク受信部１１１，２５個並存する制御部１１２，ＨＤＤ制御１１３，マネジメント部１１４，スキャナ部１１５，印刷部１１６及びオペレーションパネル部１１８である。また、各クライアント端末２のＣＰＵ３０が実行するタスクは、ウェッブブラウザ３０１及び通信部３０２である。なお、これら各コピーサーバ１０と各クライアント端末２との間の通信は、ＴＣＰ／ＩＰプロトコルに従ってなされるので、これら各コピーサーバ１０及び各クライアント端末２には、夫々、一意のＩＰアドレスが予め付与されている。
　【００６０】上述したコピーサーバ１０のネットワーク受信部１１１は、ネットワークアダプタ１４を制御するとともにＴＣＰ／ＩＰプロトコル，ＨＴＴＰ（ハイパーテキスト転送プロトコル）を終端するインターネットサーバとしてのタスクであり、パケットに格納されてネットワークＮＷから送信されてきたデータ（ＵＲＬ，各種メッセージ）を受信すると、空状態にある何れかの制御部１１２を起動して、その制御部１１２にこれらデータを渡す。図４１は、各制御部１１２が空状態にあるかビジー状態（他の処理を実行中である状態）にあるかを管理するためにＲＡＭ１１内に構築されたテーブルである。ネットワーク受信部１１１は、このテーブルを参照することにより、空状態にある制御部１１２を探し出すのである。
　【００６１】制御部１１２は、ネットワークインタフェース部１１１から受け取ったデータの種類に従って、クライアント端末２に対してＪａｖａアプレット１３３のクラスファイルを送信したり（プログラム送信部に相当）、クライアント端末２や他のコピーシステム１’に対してハードディスク１３内の画像ファイルの管理情報を応答したり（管理情報応答部に相当）、ＨＤＤ制御部１１３に対してハードディスク１３内の画像ファイルのダウンロード，コピー，検索，削除，リネーム，読み出しを依頼したり、他のコピーシステム１’からの画像ファイルをＨＤＤ１１３内に格納したり、クライアント端末２や他のコピーシステム１’に対して画像ファイルを送信したり（画像ファイル送信部に相当）、クライアント端末２や他のコピーシステムへ画像ファイル中のＪＰＥＧサムネイルデータを格納したＪＰＥＧサムネイルファイルを送信したり（概略画像用ＪＰＥＧファイル応答部に相当）、他のコピーシステム１’に対して画像ファイルのダウンロード，コピー，検索，削除，リネーム，読み出しの依頼を送信する。
　【００６２】オペレーションパネル部１１８は、入出力制御部１２を制御し、ＬＣＤ１９に表示させる操作画面のデータを作成して、データに基づいた操作画面のＬＣＤ１９への表示を入出力制御部１２に命じる。また、入出力制御部１２からタッチパネル１８の押圧位置を示す位置データを受信した時には、その時点でＬＣＤ１９に表示させている操作画面中における当該押圧位置に重なる表示項目を特定し、この操作キーに応じた処理を実行する（即ち、押下された表示項目に対応する処理を実行する）。また、入出力制御部１２からキーボード２３中の押下されたキーを示す信号を受信した時には、そのキーの種類に対応する処理を実行する。例えば、オペレーションパネル部１１８は、コピーモードボタン５２，スキャンモードボタン５３が押下された場合にはその旨をマネジメント部１４に通知し、何れかのタブが押下された場合には、そのタブに対応するパラメータを選択するための画面を表示し、何れかのパラメータが押下された時にはそのパラメータを決定して保持する。そして、スタートキーが押下された時には、その旨及び保持している各パラメータをマネジメント部１１４に通知する。また、オペレーションパネル部１１８は、マネジメント部１１４からのメッセージに応じて、そのメッセージ内で指定された表示番号に対応する表示画面（コピーモード基本画面，スキャンモード基本画面，等）をＬＣＤ１９上に表示する。
　【００６３】マネジメント部１１４は、オペレーションパネル部１１８からのコピーモードボタン５２又はスキャンモードボタン５３の押下通知に従って動作モードをコピーモード又はスキャンモードに切り換え、コピーモードにおいては、スキャナ部１１５及び印刷部１１６を制御してコピー動作を実行する。また、スキャンモードにおいては、スキャナ部１１５を制御して画像データを獲得し、この画像データをＪＰＥＧファイル又はＴＩＦＦファイルに変換し、ハードディスク１３への格納をＨＤＤ制御部１１３に依頼する。
　【００６４】画像読取部としてのスキャナ部１１５は、ＳＣＳＩインタフェース１５を制御するためのＳＣＳＩドライバ及びスキャナ２０を制御するためのスキャナドライバを含んでおり、マネジメント部１１４からの指示に応じて、スキャナ２０を動作させ、原稿を読み取って得られた画像データを受信する。そして、コピーモードにおいてはこの画像データを印刷部１１６へ転送し、スキャンモードにおいてはこの画像データをＨＤＤ制御部１１３へ転送する。
　【００６５】画像ファイル保存部としてのＨＤＤ制御部１１３は、マネジメント部１１４及び制御部１１２からの依頼に応じてハードディスク１３にアクセスして、画像ファイルの格納，読み出し，コピー，移動，検索，削除を行うタスクである。
　【００６６】一方、クライアント端末２の通信部３０２は、ネットワークアダプタ３３を制御するとともにＴＣＰ／ＩＰプロトコル，ＨＴＴＰ（ハイパーテキスト転送プロトコル）を終端するタスクであり、パケットに格納されてネットワークＮＷから送信されてきたデータ（ハイパーテキストデータ［“ＷｅｂＥｘｐｌｏｒｅ．ｈｔｍｌ”１３２等］，Ｊａｖａアプレットのクラスファイル，画像ファイルを受信してウェッブブラウザ３０１（又はウェッブブラウザ３０１上に起動されたＪａｖａアプレット１３３）に渡すとともに、ウェッブブラウザ３０１（又はウェッブブラウザ３０１上に起動されたＪａｖａアプレット１３３）からサーバ１０宛に送出されたデータ（ＵＲＬ，各種メッセージ）をパケットに格納してネットワークＮＷへ送出する。
　【００６７】ウェッブブラウザ３０１は、マウス４２及びキーボード４１を介してオペレータから入力された指示に従って、通信部３０２に対し、各種データ（ＵＲＬ，各種メッセージ）の送信を依頼する。また、ＵＲＬに従って何れかのサーバからダウンロードしたハイパーテキスト（“ＷｅｂＥｘｐｌｏｒｅ．ｈｔｍｌ”１３２等）に従って、ディスプレイ４０上に画像を表示する。また、要求に応じてサーバ１０が送信してきたＪａｖａアプレットの各クラスファイルをＲＡＭ３２に展開して、Ｊａｖａアプレット（プログラム）１３３を再現するとともに、このＪａｖａアプレット１３３が生成した画像を表示する。
　【００６８】なお、ハイパーテキストデータのうち、特に“ＷｅｂＥｘｐｌｏｒｅ．ｈｔｍｌ”１３２には、Ｊａｖａアプレット１３３のクラスファイルを特定するアプレットクラスファイル名称，Ｊａｖａアプレット１３３によって生成された画像を表示する領域を確保するための情報，及び、このＪａｖａアプレット１３３に与えられる各種パラメータの定義（例えば、この“ＷｅｂＥｘｐｌｏｒｅ．ｈｔｍｌ”１３２を送信したコピーシステム１のコピーサーバ１０に画像ファイルの送受信相手として登録されている他のコピーシステム１’やクライアント端末２の名称及びＩＰアドレス，等）を、含んでいる。ウェッブブラウザ３０１が何れかのコピーシステム１，１’のコピーサーバ１０内の“ＷｅｂＥｘｐｌｏｒｅ．ｈｔｍｌ”１３２に対応したＵＲＬを送信し、このコピーサーバ１０内から“ＷｅｂＥｘｐｌｏｒｅ．ｈｔｍｌ”１３２及びＪａｖａアプレット１３３のクラスファイルをダウンロードした場合、起動されたＪａｖａアプレット１３３は、このダウンロード元のコピーサーバ１０との間で通信を行って、このダウンロード元のコピーサーバ１０に対してのみ直接的なメッセージ送信を行う。
　【００６９】図４２は、ウェッブブラウザ３０１が“ＷｅｂＥｘｐｌｏｒｅ．ｈｔｍｌ”１３２及びＪａｖａアプレット１３３に従ってディスプレイ４０上に表示する画像（ＷｅｂＥｘｐｌｏｒｅの初期画面８０）を示す。この初期画面８０は、ウインドウズ９５（マイクロソフト社の商標）による標準のアプリケーションウインドウの構成を有している。即ち、この初期画面８０の最上行にはタイトルバー８１が表示され、次の行にはメニューバー８２が表示され、次の行にはツールバー８３が表示される。また、初期画面の最下行には、ステータスバー８４が表示されている。ツールバー８３とステータスバー８４との間の領域は、左右二つの窓８５，８６に分割されている。
　【００７０】タイトルバー８１には、Ｊａｖａアプレット１３３のタイトル「ＷｅｂＥｘｐｌｏｒｅ」，及び、通常のコントロールボックス，最小化ボタン，最大化ボタン，閉じるボタンが描かれている。
　【００７１】また、メニューバー８２には、「ファイル」，「編集」，「表示」，「ツール」，「ヘルプ」の各項目が表記されている。この「ファイル」がクリックされると、「削除」，「リネーム」等の項目からなるプルダウンメニューがさらに表示される。同様に、「編集」がクリックされると、「コピー」，「貼り付け」等の項目からなるプルダウンメニューが表示される。同様に、「表示」がクリックされると、図４３に拡大して示すように、「ファイルリスト」及び「サムネイル」の項目からなるプルダウンメニューが表示される。さらに、このプルダウンメニューから「サムネイル」がクリックされると、「３」「６」「９」の何れかの数を選択するためのメニューが表示される。また、「ツール」がクリックされると、「検索」等の項目からなるプルダウンメニューが表示される。
　【００７２】また、ツールバー８３には、切り取りボタン８３ａ，コピーボタン８３ｂ，検索ボタン８３ｃ，削除ボタン８３ｄ等が、描画されている。
　【００７３】また、ステータスバー８４には、選択されたディレクトリに使用可能な空ディスク容量が表示される。
　【００７４】また、左の窓８５には、このＪａｖａアプレット１３３から参照可能なディレクトリのディレクトリ名が、「ネットワーク」を頂点としてツリー構造をなすように表示されている。なお、この窓においては、自クライアント端末２も、“ＷｅｂＥｘｐｌｏｒｅ．ｈｔｍｌ”１３２及びＪａｖａアプレット１３３のクラスファイルの送信元のコピーサーバ１０も、このコピーサーバ１０に登録されている他のコピーシステム１’のコピーサーバ１０やクライアント端末２も、夫々が一つのディレクトリをなすものとして扱われるので、オペレータは、装置の異同を意識することなく常に同じ動作でファイルの操作を行うことができる。この左の窓８５には、初期状態においては、“ＷｅｂＥｘｐｌｏｒｅ．ｈｔｍｌ”１３２の送信元コピーサーバ１０の名称，このコピーサーバ１０に登録されている他のコピーシステム１’のコピーサーバ１０やクライアント端末２の名称，及び、自クライアント端末を意味する「Ｍｙ　Ｃｏｍｐｕｔｅｒ」が、「Ｎｅｔｗｏｒｋ」の下階層のディレクトリとして表示されている。図４２の例では、“ＷｅｂＥｘｐｌｏｒｅ．ｈｔｍｌ”１３２の送信元コピーサーバ１０の名称「ＯＤＡＥ２４１」，このＯＤＡＥ２４１に登録されている他のコピーシステム１’のコピーサーバ１０の名称「ＯＤＡＥ２４０」及び「ＯＤＡＥ１４５」，並びに、「Ｍｙ　Ｃｏｍｐｕｔｅｒ」が、表示されている。
　【００７５】また、右の窓８６には、左の窓８５においてクリックされることによって選択されたディレクトリ内のファイル及びサブディレクトリに対応したアイコン及びその名称が、列挙されて表示される。なお、この右の窓８６の下方には、前頁ボタン８６ａ及び次頁ボタン８６ｂが表示されている。これらのボタンについての説明は、後で行う。
　【００７６】（各タスクによる処理）以下、上述した各タスク及び各プログラムの動作を、順番に説明する。
　【００７７】＜オペレーションパネル部＞最初に、オペレーションパネル部１１８による処理を、図４のフローチャートを参照して説明する。このオペレーションパネル部１１８は、起動直後のＳ００２において、図３５に示すコピーモード基本操作画面を、ＬＣＤ１９上に表示する。
　【００７８】次のＳ００２では、オペレーションパネル部１１８は、マネジメント部１１４から何らかのメッセージを受信したか否かをチェックする。そして、何らメッセージを受信していない場合には、Ｓ００３において、画面中の何れかのボタン又はキーボード２３中の何れかのキーが押下されたか否かをチェックする。そして、全く押下がなされていない場合には、処理をＳ００２に戻す。
　【００７９】以上のＳ００２及びＳ００３のループ処理を繰り返している間に画面中の何れかのボタン又はキーボード２３中の何れかのキーが押下された場合には、オペレーションパネル部１１８は、Ｓ００４において、何が押下されたのかを判定する。そして、キーボード２３中のスタートキー，画面中のコピーモードボタン５２又はスキャンモードボタン５３が押下された場合には、処理をＳ００６に進め、それ以外のキー又はボタンが押下された場合には、処理をＳ００５に進める。このＳ００５では、押下されたキー又はボタンに対応する処理が実行される。例えば、図３５に示すコピーモード基本操作画面又は図３６に示すスキャンモード基本画面中の何れかのタブが押下された場合には、そのタブに対応するパラメータの選択肢の一覧を中央カラム５１に表示をし、その中央カラム５１中の何れかの具体的設定値が押下された場合には、その選択肢がそのパラメータの値としてＲＡＭ１１内に設定される。このＳ００５を完了すると、オペレーションパネル部１１８は、処理をＳ００２に戻す。
　【００８０】一方、Ｓ００６では、オペレーションパネル部１１８は、押下されたキー又はボタンに応じたキー情報メッセージをマネジメント部１１４に対して送信する。具体的には、オペレーションパネル部１１８は、コピーモードボタン５２又はスキャンモードボタン５３が押下された場合には、押下されたボタンの種類を示すキー情報メッセージをマネジメント部１１４へ送信する。また、スタートキーが押下された場合には、スタートキーが押下された旨及び、現在ＲＡＭ１１に設定されている各パラメータの設定値を格納したキー情報メッセージをマネジメント部１１４へ送信する。このＳ００６を完了すると、オペレーションパネル部１１８は、処理をＳ００２に戻す。
　【００８１】これに対して、マネジメント部１１４から何れかのメッセージを受信したとＳ００２にて判定した場合には、オペレーションパネル部１１８は、Ｓ００７において、受信したメッセージの内容をチェックする。そして、受信したメッセージが表示切換メッセージ（Ｓ１０５，Ｓ１０９，Ｓ１１１，Ｓ１２２，Ｓ１２４参照）であったら、オペレーションパネル部１１８は、Ｓ００８において、受信した表示切換メッセージ内の表示番号に対応した表示を実行する。例えば、スキャンモード基本操作画面に対応した表示番号が表示切換メッセージ内に記載されていた場合には、スキャンモード基本操作画面をＬＣＤ１９上に表示する。また、コピーモード基本操作画面に対応した表示番号が表示切換メッセージ内に記載されていた場合には、コピーモード基本操作画面をＬＣＤ１９上に表示する。このＳ００８を完了すると、オペレーションパネル部１１８は、処理をＳ００２に戻す。
　【００８２】一方、Ｓ００９では、オペレーションパネル部１１８は、受信したメッセージに応じたその他の処理を実行する。このＳ００９を完了すると、オペレーションパネル部１１８は、処理をＳ００２に戻す。
　【００８３】＜マネジメント部＞次に、マネジメント部１１４による処理を、図５及び図６に基づいて説明する。このマネジメント部１１４は、Ｓ１０１では、オペレーションパネル部１１８，ＨＤＤ制御部１１３，スキャナ部１１５又は印刷部１１６からのメッセージの受信を待つ。
　【００８４】何れかのメッセージを受信すると、マネジメント部１１４は、次のＳ１０２において、受信したメッセージの種類をチェックする。そして、マネジメント部１１４は、オペレーションパネル部１１８からのキー情報メッセージを受信した場合（Ｓ００６参照）には処理をＳ１０７へ進め、スキャナ部１１５又はＨＤＤ制御部１１３からの処理終了メッセージを受信した場合（Ｓ２１９，Ｓ３６３，Ｓ３７４参照）には処理をＳ１０３へ進め、スキャナ部１１５からのスキャナ動作状態通知メッセージを受信した場合（Ｓ２０３参照）には処理をＳ１２１へ進め、スキャナ部１１５からのエラーメッセージを受信した場合（Ｓ２０７参照）には処理をＳ１１７へ進め、その他のメッセージを受信した場合には、処理をＳ１２０へ進める。
　【００８５】Ｓ１０７では、マネジメント部１１４は、キー情報メッセージに含まれる押下されたキー又はボタンの種類をチェックする。そして、コピーモードボタン５２が押下された旨が含まれている場合には、マネジメント部１１４は、Ｓ１０８において、現在の設定モードをコピーモードとする。次のＳ１０９では、マネジメント部１１４は、コピーモード基本操作画面（図３５）を表示させるための表示番号を設定した表示切替メッセージを、オペレーションパネル部１１８に対して送信する。このＳ１０９を完了すると、マネジメント部１１４は、処理をＳ１０１に戻す。
　【００８６】これに対して、スキャンモードボタン５３が押下された旨が含まれているとＳ１０７にて判定した場合には、マネジメント部１１４は、Ｓ１１０において、現在の設定モードをスキャンモードとする。次のＳ１１１では、マネジメント部１１４は、スキャンモード基本操作画面（図３６）を表示させるための表示番号を設定した表示切替メッセージを、オペレーションパネル部１１８に対して送信する。このＳ１１１を完了すると、マネジメント部１１４は、処理をＳ１０１に戻す。
　【００８７】これに対して、スタートキーが押下された旨が含まれているとＳ１０７にて判定した場合には、マネジメント部１１４は、Ｓ１１２において、現在設定されているモードがコピーモードであるかスキャンモードであるかをチェックする。そして、スキャンモードが設定されている場合には、マネジメント部１１４は、Ｓ１１４において、スキャナ部１１５に対して、スキャナ動作確認メッセージを送信する。一方、コピーモードが設定されている場合には、マネジメント部１１４は、Ｓ１１３において、スキャナ部１１５及び印刷部１１６に対してコピー実行依頼を行い、スキャナ部１１５に対してスキャナ２０から獲得した画像データ（スキャンデータ）を印刷部１１６へ転送させるとともに、印刷部１１６に対してこのスキャンデータに基づいた印字をプリンタ２１に行わさせる。何れの場合においても、マネジメント部１１４は、処理完了後に処理をＳ１０１に戻す。
　【００８８】一方、スキャナ部１１５からのスキャナ動作状態通知メッセージ（Ｓ２０３参照）を受信した場合に実行されるＳ１２１では、マネジメント部１１４は、このスキャナ動作状態通知情報メッセージに含まれるスキャナの状態がビジー状態を示すかアイドル状態を示すかをチェックする。そして、ビジー状態を示す場合には、マネジメント部１１４は、Ｓ１２２において、ビジーを示す表示を行うための表示番号を設定した表示切替メッセージを、オペレーションパネル部１１８に対して送信する。このＳ１２２の完了後、マネジメント部１１４は、処理をＳ１０１に戻す。
　【００８９】これに対して、アイドル状態を示す場合には、マネジメント部１１４は、Ｓ１２３において、ＨＤＤ制御部１１３に対して、「スキャン及びＨＤＤ格納依頼」メッセージを送信する。「スキャン及びＨＤＤ格納依頼」メッセージには、パラメータとして、キー情報メッセージに格納されていた原稿サイズパラメータ，解像度パラメータ，格納形式パラメータ（二値画像データであるか、２５６階調グレースケール画像データであるか、２４ビットＲＧＢ画像データであるか、ＴＩＦＦファイルに格納するか、ＪＰＥＧファイルに格納するか），濃度調整パラメータ，ＲＧＢ調整パラメータ，彩度及び色相調整パラメータ，給紙位置パラメータ（スキャナ２０上で原稿がフラットベットにセットされているか、ＡＤＦにセットされているか），片面スキャン又は両面スキャンの指定パラメータが、含まれている。
　【００９０】次のＳ１２４では、マネジメント部１１４は、スキャン中を示す表示を行うための表示番号を設定した表示切替メッセージを、オペレーションパネル部１１８に対して送信する。このＳ１２４の完了後、マネジメント部１１４は、処理をＳ１０１に戻す。
　【００９１】一方、スキャナ部１１５又はＨＤＤ制御部１１３からの処理終了メッセージ（Ｓ２１９，Ｓ３６３，Ｓ３７４参照）を受信した場合に実行されるＳ１０３では、マネジメント部１１４は、現在スキャンモードに設定されているか否かをチェックする。そして、スキャンモードに設定されていない場合（即ち、コピーモードに設定されている場合）には、マネジメント部１１４は、Ｓ１０６において、コピーモードに対応した処理を実行した後に、処理をＳ１０１に戻す。
　【００９２】これに対して、現在スキャンモードに設定されている場合には、マネジメント部１１４は、Ｓ１０４において、スキャナ部１１５及びＨＤＤ制御部１１３の双方から処理終了メッセージを受信したか否かをチェックする。そして、マネジメント部１１４は、未だ双方から受信していない場合には、処理をそのままＳ１０１に戻すが、双方から受信している場合には、Ｓ１０５に進める。このＳ１０５では、マネジメント部１１４は、通常のスキャンモード基本操作画面（図３６）を表示させるための表示番号を設定した表示切替メッセージを、オペレーションパネル部１１８に対して送信する。Ｓ１０５の完了後、マネジメント部１１４は、処理をＳ１０１に戻す。
　【００９３】一方、スキャナ部１１５からのエラーメッセージを受信した場合（Ｓ２０７参照）に実行されるＳ１１７では、マネジメント部１１４は、現在スキャンモードに設定されているか否かをチェックする。そして、スキャンモードに設定されていない場合（即ち、コピーモードに設定されている場合）には、マネジメント部１１４は、Ｓ１１９において、コピーモードに対応した処理を実行した後に、処理をＳ１０１に戻す。
　【００９４】これに対して、現在スキャンモードに設定されている場合には、マネジメント部１１４は、Ｓ１１８において、スキャナ部１１５及びＨＤＤ制御部１１３に対して、キャンセルメッセージを送信する。このＳ１１８を完了すると、マネジメント部１１４は、処理をＳ１０１に戻す。
　【００９５】一方、その他のメッセージを受信した場合に実行されるＳ１２０では、マネジメント部１１４は、そのメッセージに対応した処理を実行する。そして、このＳ１２０を完了すると、マネジメント部１１４は、処理をＳ１０１に戻す。
　【００９６】＜スキャナ部＞次に、スキャナ部１１５による処理を、図７及び図８に基づいて説明する。このスキャナ部１１５は、Ｓ２０１では、マネジメント部１１４又はＨＤＤ制御部１１３からのメッセージの受信を待っている。
　【００９７】何れかのメッセージを受信すると、スキャナ部１１５は、Ｓ２０２において、受信したメッセージの種類をチェックする。そして、マネジメント部１１４からのスキャナ動作確認要求メッセージを受信した場合（Ｓ１１４参照）には処理をＳ２０３へ進め、ＨＤＤ制御部１１３からのスキャン要求メッセージを受信した場合（Ｓ３０３参照）には処理をＳ２０４へ進め、マネジメント部１１４からのキャンセルメッセージを受信した場合（Ｓ１１８参照）には処理をＳ２０８へ進め、マネジメント部１１４からのコピー実行依頼を受信した場合（Ｓ１１３）には処理をＳ２０９へ進め、その他のメッセージを受信した場合には処理をＳ２１０へ進める。
　【００９８】Ｓ２０３では、マネジメント部１１４は、スキャナ２０が現在動作中（ビジー状態）であるか待機中（アイドル状態）であるかを調査し、その調査結果をセットしたスキャナ動作状態通知メッセージを、マネジメント部１１４に対して送信する。このＳ２０３を完了すると、スキャナ部１１５は、処理をＳ２０１に戻す。
　【００９９】一方、ＨＤＤ制御部１１３からのスキャン要求メッセージを受信した場合（Ｓ３０３参照）に実行されるＳ２０４では、スキャナ部１１５は、スキャナ２１の給紙位置がフラットベットであるかＡＤＦ（オートドキュメントフィーダー）であるかをチェックする。そして、給紙位置がフラットベットである場合には、スキャナ部１１５は、処理をそのままＳ２１１へ進める。これに対して、給紙位置がＡＤＦである場合には、スキャナ部１１５は、Ｓ２０５において、ＡＤＦに原稿がセットされているか否かをチェックする。そして、ＡＤＦに原稿がセットされていない場合には、スキャナ部１１５は、Ｓ２０７において、理由（原稿無し）を付したエラーメッセージを、マネジメント部１１４に対して送信する。このＳ２０７を完了すると、マネジメント部１１４は、処理をＳ２０１に戻す。これに対して、ＡＤＦに原稿がセットされている場合には、マネジメント部１１４は、スキャナ２０を制御して、ＡＤＦにセットされた原稿を読み取り位置へ給紙させる。このＳ２０６の完了後、マネジメント部１１４は、処理をＳ２１１へ進める。
　【０１００】Ｓ２１１では、マネジメント部１１４は、スキャナ２０を制御して、ＨＤＤ制御部１１３から受信したスキャン要求メッセージ中の各パラメータに従ったスキャンを実行する。
　【０１０１】次のＳ２１２では、マネジメント部１１４は、スキャナ２０からｎライン分のスキャンデータ（二値画像データ，２５６階調グレースケール画像データ，又は２４ビットＲＧＢ画像データ）を獲得するのを待つ。そして、ｎライン分のスキャンデータを獲得すると、マネジメント部１１４は、処理をＳ２１３へ進める。
　【０１０２】Ｓ２１３では、マネジメント部１１４は、スキャナ２０から獲得したｎライン分のスキャンデータを、メッセージに格納してＨＤＤ制御部１１３へ送信する。
　【０１０３】次のＳ２１４では、スキャナ部１１５は、一枚の原稿の全ライン分のスキャンを終了したか否かをチェックする。そして、未だ全ライン分のスキャンを終了していない場合には、スキャナ部１１５は、処理をＳ２１２に戻す。これに対して全ライン分のスキャンを終了した場合には、スキャナ部１１５は、処理をＳ２１５に進める。
　【０１０４】Ｓ２１５では、スキャナ部１１５は、Ｓ２０４と同様に、スキャナ２１の給紙位置がフラットベットであるかＡＤＦ（オートドキュメントフィーダー）であるかをチェックする。そして、給紙位置がフラットベットである場合には、スキャナ部１１５は、処理をＳ２１８へ進める。これに対して、給紙位置がＡＤＦである場合には、スキャナ部１１５は、Ｓ２１６において、ＡＤＦにセットされている原稿が残っているか否かをチェックする。そして、ＡＤＦに原稿が残ってる場合には、スキャナ部１１５は、Ｓ２１７において、ＨＤＤ制御部１１３に対して、「残り頁有り」と設定したスキャン終了メッセージを送信した後に、処理をＳ２０１に戻す。これに対して、ＡＤＦに原稿が残っていない場合には、処理をＳ２１８に進める。
　【０１０５】Ｓ２１８では、スキャナ部１１５は、ＨＤＤ制御部１１３に対して、「残り頁無し」と設定したスキャン終了メッセージを送信する。次のＳ２１９では、スキャナ部１１５は、マネジメント部１１４に対して、処理終了メッセージを送信する。このＳ２１９を完了すると、スキャナ部１１５は、処理をＳ２０１に戻す。
　【０１０６】一方、マネジメント部１１４からのキャンセルメッセージを受信した場合（Ｓ１１８参照）には実行されるＳ２０８では、スキャナ部１１５は、スキャナ２０の動作を中止させ、アイドル状態に戻す。このＳ２０８を完了すると、スキャナ部１１５は、処理をＳ２０１に戻す。
　【０１０７】一方、マネジメント部１１４からのコピー実行依頼を受信した場合（Ｓ１１３）に実行されるＳ２０９では、スキャナ部１１５は、スキャナ２０を制御して原稿を読み取らせ、スキャンデータを獲得するとともに、獲得したスキャンデータを印刷部１１６へ転送して、コピー動作を実行させる。このＳ２０９を完了すると、スキャナ部１１５は、処理をＳ２０１に戻す。
　【０１０８】一方、その他のメッセージを受信した場合に実行されるＳ２１０では、スキャナ部１１５は、そのメッセージに対応した処理を実行する。このＳ２１０を完了すると、スキャナ部１１５は、処理をＳ２０１に戻す。
　【０１０９】＜ＨＤＤ制御部＞次に、ＨＤＤ制御部１１３による処理を、図９乃至図１５に基づいて説明する。このＨＤＤ制御部１１３は、Ｓ３０１では、マネジメント部１１４又はスキャナ部１１５からのメッセージの受信を待つ。
　【０１１０】何れかのメッセージを受信すると、ＨＤＤ制御部１１３は、次のＳ３０２において、受信したメッセージの種類をチェックする。そして、ＨＤＤ制御部１１３は、マネジメント部１１４からの「スキャン及びＨＤＤ格納依頼」メッセージを受信した場合（Ｓ１２３参照）には処理をＳ３０３へ進め、スキャナ部１１５からのスキャンデータを受信した場合（Ｓ２１３）には処理をＳ３０４へ進め、スキャナ部１１５からのスキャン終了メッセージを受信した場合（Ｓ２１７，Ｓ２１８参照）には処理をＳ３０５へ進め、マネジメント部１１４からのキャンセルメッセージを受信した場合（Ｓ１１８参照）には処理をＳ３０６へ進め、その他のメッセージを受信した場合には、処理をＳ３０７へ進める。
　【０１１１】Ｓ３０３では、ＨＤＤ制御部１１３は、スキャナ部１１５に対してスキャン要求メッセージを送信する。このスキャン要求メッセージには、パラメータとして、「スキャン及びＨＤＤ格納依頼」メッセージに格納されていた原稿サイズパラメータ，解像度パラメータ，格納形式パラメータ，濃度調整パラメータ，ＲＧＢ調整パラメータ，彩度及び色相調整パラメータ，給紙位置パラメータ，片面スキャン又は両面スキャンの指定パラメータが、そのまま格納される。このＳ３０３を完了すると、ＨＤＤ制御部１１３は、処理をＳ３０１に戻す。
　【０１１２】一方、スキャナ部１１５からのスキャンデータを受信した場合（Ｓ２１３参照）に実行されるＳ３０４では、ＨＤＤ制御部１１３は、マネジメント部１１４からの「スキャン及びＨＤＤ格納依頼」メッセージに格納されていた格納形式パラメータによって、ＪＰＥＧファイルが指定されているかＴＩＦＦファイルが指定されているかをチェックする。そして、ＪＰＥＧファイルが指定されている場合には処理をＳ３０８へ進め、ＴＩＦＦファイルが指定されている場合には処理をＳ３３１へ進める。
　【０１１３】Ｓ３０８では、ＨＤＤ制御部１１３は、受信したスキャンデータが、何れかの頁の先頭行を含むスキャンデータであるか否かをチェックする。そして、受信したスキャンデータが何れかの頁の先頭行を含むスキャンデータである場合には、ＨＤＤ制御部１１３は、処理をＳ３０９に進める。
　【０１１４】Ｓ３０９では、ＨＤＤ制御部１１３は、Ｓ３０３にてスキャン要求メッセージをスキャナ部１１５へ送信してから最初の頁のスキャンデータを受信したのか否かをチェックする。そして、ＨＤＤ制御部１１３は、２頁以降のスキャンデータを受信したのである場合には、処理をＳ３１４へ進め、最初の頁のスキャンデータを受信したのである場合には、処理をＳ３１０へ進める。
　【０１１５】Ｓ３１０では、ＨＤＤ制御部１１３は、ＲＡＭ１１上に用意された作業エリア中、原稿の総頁数分のＯｆｆｓｅｔ　ｏｆ　Ｔｏｔａｌ　ＪＰＥＧ　Ｄａｔａ領域６３−１〜Ｘに相当するエリアを、０クリアする（即ち、数値に０をセットする）。
　【０１１６】次のＳ３１１では、ＨＤＤ制御部１１３は、ＲＡＭ１１上に用意された作業エリア中、原稿の総頁数分のＯｆｆｓｅｔ　ｏｆ　ＪＰＥＧ　Ｔｈｕｍｂｎａｉｌ領域６４−１〜Ｘに相当するエリアを、０クリアする（即ち、数値に０をセットする）。
　【０１１７】次のＳ３１２では、ＨＤＤ制御部１１３は、ＲＡＭ１１上に用意された作業エリア中、Ｎｏ．ｏｆ　Ｐａｇｅｓ領域６５に相当するエリアを、０クリアする（即ち、数値に０をセットする）。
　【０１１８】次のＳ３１３では、ＨＤＤ制御部１１３は、ＲＡＭ１１上に用意された作業エリア中、Ｍａｒｋｅｒ領域６６に相当するエリアに、“Ｃｏｌｏｒ　Ｃｏｐｙ　Ｓｔａｔｉｏｎ”をセットする。このＳ３１３を完了すると、ＨＤＤ制御部１１３は、処理をＳ３１４へ進める。
　【０１１９】Ｓ３１４では、ＨＤＤ制御部１１３は、ＲＡＭ１１上に用意された作業エリア中、受信したスキャンデータに対応する頁用のＳｉｚｅ　ｏｆ　ＪＰＥＧ　ｔｈｕｍｂｎａｉｌ領域６１に相当するエリアを、０クリアする（即ち、数値に０をセットする）。
　【０１２０】次のＳ３１５では、ＨＤＤ制御部１１３は、受信したスキャンデータに対応する頁用のＴｏｔａｌ　ＪＰＥＧ　Ｄａｔａ領域６０に格納すべきヘッダ部を作成する。
　【０１２１】次のＳ３１６では、ＨＤＤ制御部１１３は、受信したスキャンデータをＪＰＥＧ圧縮する。
　【０１２２】次のＳ３１７では、ＨＤＤ制御部１１３は、Ｓ３１６にてＪＰＥＧ圧縮して得られたＪＰＥＧデータに基づいて、受信したスキャンデータに対応する頁用のＴｏｔａｌ　ＪＰＥＧ　Ｄａｔａ領域６０に格納すべきデータ部を作成する。
　【０１２３】次のＳ３１８では、ＨＤＤ制御部１１３は、Ｓ３１５にて作成したヘッダ部とＳ３１７にて作成したデータ部とをＪＰＥＧファイルとしてまとめ、仮のテンポラリーファイル名“ＡｃｔｕａｌＤａｔａ．ＪＰＧ”を付して、ハードディスク１３の画像ファイル領域１３４のルートに格納する。
　【０１２４】次のＳ３１９では、ＨＤＤ制御部１１３は、受信したスキャンデータに対応する頁用のＪＰＥＧ　ｔｈｕｍｂｎａｉｌ領域６２に格納すべきヘッダ部を作成する。
　【０１２５】次のＳ３２０では、ＨＤＤ制御部１１３は、受信したスキャンデータをサムネイル用に解像度を落としつつＪＰＥＧ圧縮する。
　【０１２６】次のＳ３２１では、ＨＤＤ制御部１１３は、Ｓ３１９にて作成したヘッダ部とＳ３２０にてＪＰＥＧ圧縮して得られたＪＰＥＧデータとをＪＰＥＧファイルとしてまとめ、仮にテンポラリーファイル名“ＴｈｕｍｂＤａｔａ．ＪＰＧ”を付して、ハードディスク１３の画像ファイル領域１３４のルートに格納する。
　【０１２７】次のＳ３２２では、ＨＤＤ制御部１１３は、ＲＡＭ１１上に用意された作業エリア中、受信したスキャンデータに対応する頁用のＳｉｚｅ　ｏｆ　ＪＰＥＧ　ｔｈｕｍｂｎａｉｌ領域６１に相当するエリアに、Ｓ３２１に作成したサムネイル用のＪＰＥＧファイルのデータ長を設定する。このＳ３２２が完了すると、ＨＤＤ制御部１１３は、処理をＳ３０１に戻す。
　【０１２８】これに対して、受信したスキャンデータが何れかの頁の先頭行を含むスキャンデータでないとＳ３０８にて判定した場合には、ＨＤＤ制御部１１３は、処理をＳ３２３に進める。このＳ３２３では、ＨＤＤ制御部１１３は、受信したスキャンデータをＪＰＥＧ圧縮する。
　【０１２９】次のＳ３２４では、ＨＤＤ制御部１１３は、ハードディスク１３の画像ファイル領域１３４に格納されているＪＰＥＧファイル“ＡｃｔｕａｌＤａｔａ．ＪＰＧ”を読み出して、そのデータ部に、Ｓ３２３にてＪＰＥＧ圧縮して得られたＪＰＥＧデータを追加する。
　【０１３０】次のＳ３２５では、ＨＤＤ制御部１１３は、Ｓ３２４での追加後のＪＰＥＧファイル“ＡｃｔｕａｌＤａｔａ．ＪＰＧ”を、ハードディスク１３内に上書する。
　【０１３１】次のＳ３２６では、ＨＤＤ制御部１１３は、受信したスキャンデータをサムネイル用に解像度を落としつつＪＰＥＧ圧縮する。
　【０１３２】次のＳ３２７では、ＨＤＤ制御部１１３は、ハードディスク１１３の画像ファイル領域１３４に格納されているＪＰＥＧファイル“ＴｈｕｍｂＤａｔａ．ＪＰＧ”を読み出して、そのデータ部に、Ｓ３２６にてＪＰＥＧ圧縮して得られたＪＰＥＧデータを追加する。
　【０１３３】次のＳ３２８では、ＨＤＤ制御部１１３は、Ｓ３２６での追加後のＪＰＥＧファイル“ＴｈｕｍｂＤａｔａ．ＪＰＧ”を、ハードディスク１３内に上書する。
　【０１３４】次のＳ３２９では、ＨＤＤ制御部１１３は、ＲＡＭ１１上に用意された作業エリア中、受信したスキャンデータに対応する頁用のＳｉｚｅ　ｏｆ　ＪＰＥＧ　ｔｈｕｍｂｎａｉｌ領域６１に相当するエリアに、Ｓ３２８に上書したサムネイル用ＪＰＥＧファイルのデータ長を設定する。このＳ３２９が完了すると、ＨＤＤ制御部１１３は、処理をＳ３０１に戻す。
　【０１３５】一方、Ｓ３３１では、ＨＤＤ制御部１１３は、受信したスキャンデータが、何れかの頁の先頭行を含むスキャンデータであるか否かをチェックする。そして、受信したスキャンデータが何れかの頁の先頭行を含むスキャンデータである場合には、ＨＤＤ制御部１１３は、処理をＳ３３２に進める。
　【０１３６】Ｓ３３２では、ＨＤＤ制御部１１３は、Ｓ３０３にてスキャン要求メッセージをスキャナ部１１５へ送信してから最初の頁のスキャンデータを受信したのか否かをチェックする。そして、ＨＤＤ制御部１１３は、２頁以降のスキャンデータを受信したのである場合には、処理をＳ３４０へ進め、最初の頁のスキャンデータを受信したのである場合には、処理をＳ３３３へ進める。
　【０１３７】Ｓ３３３では、ＨＤＤ制御部１１３は、ＲＡＭ１１上に用意された作業エリア中、原稿の総頁数分のＯｆｆｓｅｔ　ｏｆ　ＴＩＦＦ　Ｄａｔａ領域７３−１〜Ｘに相当するエリアを、０クリアする（即ち、数値に０をセットする）。
　【０１３８】次のＳ３３４では、ＨＤＤ制御部１１３は、ＲＡＭ１１上に用意された作業エリア中、原稿の総頁数分のＯｆｆｓｅｔ　ｏｆ　ＪＰＥＧ　Ｔｈｕｍｂｎａｉｌ領域７４−１〜Ｘに相当するエリアを、０クリアする（即ち、数値に０をセットする）。
　【０１３９】次のＳ３３５では、ＨＤＤ制御部１１３は、ＲＡＭ１１上に用意された作業エリア中、Ｎｏ．ｏｆ　Ｐａｇｅｓ領域７５に相当するエリアを、０クリアする（即ち、数値に０をセットする）。
　【０１４０】次のＳ３３６では、ＨＤＤ制御部１１３は、ＲＡＭ１１上に用意された作業エリア中、Ｍａｒｋｅｒ領域６６に相当するエリアに、“Ｃｏｌｏｒ　Ｃｏｐｙ　Ｓｔａｔｉｏｎ”をセットする。
　【０１４１】次のＳ３３７では、ＨＤＤ制御部１１３は、ＲＡＭ１１上に用意された作業エリア中、第１頁用のＳｉｚｅ　ｏｆ　ｐａｇｅ　１　ＪＰＥＧ　ｔｈｕｍｂｎａｉｌ領域７１−１に相当するエリアを、０クリアする（即ち、数値に０をセットする）。
　【０１４２】次のＳ３３８では、ＨＤＤ制御部１１３は、第１頁用のＴＩＦＦ　Ｈｅａｄｅｒ＋Ｐａｇｅ　１　Ｄａｔａ領域７０−１に格納すべきヘッダ部を作成する。
　【０１４３】次のＳ３３９では、ＨＤＤ制御部１１３は、受信したスキャンデータ及びＳ３３８にて作成したヘッダ部をＴＩＦＦファイルとしてまとめ、仮にテンポラリーファイル名“ＡｃｔｕａｌＤａｔａ．Ｔｉｆ”を付して、ハードディスク１３の画像ファイル領域１３４のルートに格納する。このＳ３３９を完了すると、ＨＤＤ制御部１１３は、処理をＳ３４２に進める。
　【０１４４】これに対して、Ｓ３４０では、ＨＤＤ制御部１１３は、ＲＡＭ１１上に用意された作業エリア中、受信したスキャンデータに対応する頁用のＳｉｚｅ　ｏｆ　ｐａｇｅ　ｎ　ＪＰＥＧ　ｔｈｕｍｂｎａｉｌ領域７１−ｎに相当するエリアを、０クリアする（即ち、数値に０をセットする）。
　【０１４５】次のＳ３４１では、ＨＤＤ制御部１１３は、受信したスキャンデータをＴＩＦＦファイルのフォーマットに変換し、歌詞にテンポラリーファイル名“ＡｃｔｕａｌＤａｔａ．Ｔｉｆ”を付して、ハードディスク１３の画像ファイル領域１３４のルートに格納する。このＳ３４１を完了すると、ＨＤＤ制御部１１３は、処理をＳ３４２に進める。
　【０１４６】Ｓ３４２では、ＨＤＤ制御部１１３は、受信したスキャンデータに対応する頁用のＪＰＥＧ　ｔｈｕｍｂｎａｉｌ領域７２−１〜Ｘに格納すべきヘッダ部を作成する。
　【０１４７】次のＳ３４３では、ＨＤＤ制御部１１３は、受信したスキャンデータをサムネイル用に解像度を落としつつＪＰＥＧ圧縮する。
　【０１４８】次のＳ３４４では、ＨＤＤ制御部１１３は、Ｓ３４２にて作成したヘッダ部とＳ３４２にてＪＰＥＧ圧縮して得られたＪＰＥＧデータとをＪＰＥＧファイルとしてまとめ、仮にテンポラリーファイル名“ＴｈｕｍｂＤａｔａ．ＪＰＧ”を付して、ハードディスク１３の画像ファイル領域１３４のルートに格納する。
　【０１４９】次のＳ３４５では、ＨＤＤ制御部１１３は、ＲＡＭ１１上に用意された作業エリア中、受信したスキャンデータに対応する頁用のＳｉｚｅ　ｏｆ　ＪＰＥＧ　ｔｈｕｍｂｎａｉｌ領域７１−１〜Ｘに相当するエリアに、Ｓ３４４に作成したサムネイル用ＪＰＥＧファイルのデータ長を設定する。このＳ３４５が完了すると、ＨＤＤ制御部１１３は、処理をＳ３０１に戻す。
　【０１５０】これに対して、受信したスキャンデータが何れかの頁の先頭行を含むスキャンデータでないとＳ３３１にて判定した場合には、ＨＤＤ制御部１１３は、処理をＳ３４６に進める。このＳ３４６では、ＨＤＤ制御部１１３は、ハードディスク１３の画像ファイル領域１３４に格納されているＴＩＦＦファイル“ＡｃｔｕａｌＤａｔａ．Ｔｉｆ”を読み出して、そのデータ部に、受信したスキャンデータを追加する。
　【０１５１】次のＳ３４７では、ＨＤＤ制御部１１３は、Ｓ３４６での追加後のＴＩＦＦファイル“ＡｃｔｕａｌＤａｔａ．Ｔｉｆ”を、ハードディスク１３内に上書する。
　【０１５２】次のＳ３４８では、ＨＤＤ制御部１１３は、受信したスキャンデータをサムネイル用に解像度を落としつつＪＰＥＧ圧縮する。
　【０１５３】次のＳ３４９では、ＨＤＤ制御部１１３は、ハードディスク１３の画像ファイル領域１３４に格納されているＪＰＥＧファイル“ＴｈｕｍｂＤａｔａ．ＪＰＧ”を読み出して、そのデータ部に、Ｓ３４８にてＪＰＥＧ圧縮して得られたＪＰＥＧデータを追加する。
　【０１５４】次のＳ３５０では、ＨＤＤ制御部１１３は、Ｓ３４９での追加後のＪＰＥＧファイル“ＴｈｕｍｂＤａｔａ．ＪＰＧ”を、ハードディスク１３内に上書する。
　【０１５５】次のＳ３５１では、ＨＤＤ制御部１１３は、ＲＡＭ１１上に用意された作業エリア中、受信したスキャンデータに対応する頁用のＳｉｚｅ　ｏｆ　ＪＰＥＧ　ｔｈｕｍｂｎａｉｌ領域７１−１〜Ｘに相当するエリアに、Ｓ３５０に上書したサムネイル用ＪＰＥＧファイルのデータ長を設定する。このＳ３５１が完了すると、ＨＤＤ制御部１１３は、処理をＳ３０１に戻す。
　【０１５６】一方、スキャナ部１１５からのスキャン終了メッセージを受信した場合（Ｓ２１７，Ｓ２１８参照）に実行されるＳ３０５では、ＨＤＤ制御部１１３は、マネジメント部１１４からの「スキャン及びＨＤＤ格納依頼」メッセージに格納されていた格納形式パラメータによって、ＪＰＥＧファイルが指定されているかＴＩＦＦファイルが指定されているかをチェックする。そして、ＪＰＥＧファイルが指定されている場合には処理をＳ３５２へ進め、ＴＩＦＦファイルが指定されている場合には処理をＳ３６４へ進める。
　【０１５７】Ｓ３５２では、ＨＤＤ制御部１１３は、ＲＡＭ１１上に用意された作業エリア中、スキャン終了がなされた頁用のＯｆｆｓｅｔ　ｏｆ　Ｔｏｔａｌ　ＪＰＥＧ　Ｄａｔａ領域６３に相当するエリアに、その頁用のＴｏｔａｌ　ＪＰＥＧ　Ｄａｔａ領域６０のオフセット量の適正値（即ち、その頁より前の全頁分のＴｏｔａｌ　ＪＰＥＧ　Ｄａｔａ領域６０，Ｓｉｚｅ　ｏｆ　ＪＰＥＧ　ｔｈｕｍｂｎａｉｌ領域６１及びＪＰＥＧ　ｔｈｕｍｂｎａｉｌ領域６２のデータ長総和）をセットする。
　【０１５８】次のＳ３５３では、ＨＤＤ制御部１１３は、ＲＡＭ１１上に用意された作業エリア中、スキャン終了がなされた頁用のＯｆｆｓｅｔ　ｏｆ　ＪＰＥＧ　Ｔｈｕｍｂｎａｉｌ領域６４に相当するエリアに、その頁用のＪＰＥＧ　ｔｈｕｍｂｎａｉｌ領域６２のオフセット量の適正値（即ち、その頁より前の全頁分のＴｏｔａｌ　ＪＰＥＧ　Ｄａｔａ領域６０，Ｓｉｚｅ　ｏｆ　ＪＰＥＧ　ｔｈｕｍｂｎａｉｌ領域６１及びＪＰＥＧ　ｔｈｕｍｂｎａｉｌ領域６２のデータ長総和＋その頁用のＴｏｔａｌ　ＪＰＥＧ　Ｄａｔａ領域６０及びＳｉｚｅ　ｏｆ　ＪＰＥＧ　ｔｈｕｍｂｎａｉｌ領域６１のデータ長総和）をセットする。
　【０１５９】次のＳ３５４では、ＨＤＤ制御部１１３は、ＲＡＭ１１上に用意された作業エリア中、Ｎｏ．ｏｆ　Ｐａｇｅｓ領域６５に相当するエリアの値を、一つインクリメントする。
　【０１６０】次のＳ３５６では、ＨＤＤ制御部１１３は、受信したスキャン終了メッセージに「残り頁有り」が設定されているか「残り頁無し」が設定されているかを、チェックする。そして、「残り頁有り」が設定されている場合には処理をＳ３５７へ進め、「残り頁無し」が設定されている場合には処理をＳ３６０へ進める。
　【０１６１】Ｓ３５７では、ＨＤＤ制御部１１３は、スキャン終了がなされた頁が最初の頁であるか否かをチェックする。そして、最初の頁であった場合には、ＨＤＤ制御部１１３は、Ｓ３５８において、ハードディスク１３内のＪＰＥＧファイル“ＡｃｔｕａｌＤａｔａ．ＪＰＧ”及びＪＰＥＧファイル“ＴｈｕｍｂＤａｔａ．ＪＰＧ”をコンバインし、仮にテンポラリーファイル名“ＰｒｅｖｉｏｕｓＤａｔａ．ＪＰＧ”を付して、ハードディスク１３の画像ファイル領域１３４のルートに格納する。このＳ３５８の完了後、ＨＤＤ制御部１１３は、処理をＳ３０１に戻す。
　【０１６２】これに対して、最初の頁でない場合には、ＨＤＤ制御部１１３は、Ｓ３５９において、ハードディスク１３内のＪＰＥＧファイル“ＰｒｅｖｉｏｕｓＤａｔａ．ＪＰＧ”に、同じくハードディスク１３内のＪＰＥＧファイル“ＡｃｔｕａｌＤａｔａ．ＪＰＧ”及びＪＰＥＧファイル“ＴｈｕｍｂＤａｔａ．ＪＰＧ”を順番に繋げることによって、ハードディスク１３内のＪＰＥＧファイル“ＰｒｅｖｉｏｕｓＤａｔａ．ＪＰＧ”を更新する。Ｓ３５９の完了後、ＨＤＤ制御部１１３は、処理をＳ３０１に戻す。
　【０１６３】一方、「残り頁無し」に設定されている場合（最終頁のスキャンが終了した場合）に実行されるＳ３６０では、ＨＤＤ制御部１１３は、原稿が単一頁からなるか否かをチェックする。そして、原稿が単一頁からなると判定した場合（即ち、スキャン終了がなされた頁が最初の頁である場合）には、ＨＤＤ制御部１１３は、Ｓ３６１において、ハードディスク１３内のＪＰＥＧファイル“ＡｃｔｕａｌＤａｔａ．ＪＰＧ”及びＪＰＥＧファイル“ＴｈｕｍｂＤａｔａ．ＪＰＧ”とＲＡＭ１１上の各ファイル管理データ（即ち、Ｓｉｚｅ　ｏｆ　ＪＰＥＧ　ｔｈｕｍｂｎａｉｌ領域６１，Ｏｆｆｓｅｔ　ｏｆ　Ｔｏｔａｌ　ＪＰＥＧ　Ｄａｔａ領域６３，Ｏｆｆｓｅｔ　ｏｆ　ＪＰＥＧ　Ｔｈｕｍｂｎａｉｌ領域６４，Ｎｏ．ｏｆ　ｐａｇｅｓ領域６５及びＭｒｅｋｅｒ領域６６に相当するエリアに設定されているデータ）とを所定のフォーマット（図３７に示すＪＰＥＧシングルページファイルのフォーマット）に従ってコンバインする。そして、マネジメント部１１４からの「スキャン及びＨＤＤ格納依頼」メッセージ中の格納形式パラメータによって指定されたファイル形式（この場合はＪＰＥＧファイル）に対応したファイル名を付して、ハードディスク１３の画像ファイル領域１３４のルートに格納する。このＳ３６１を完了すると、ＨＤＤ制御部１１３は、処理をＳ３６３へ進める。
　【０１６４】これに対して、原稿が複数頁からなるとＳ３６０にて判定した場合（即ち、スキャン終了がなされた頁が最初の頁でない場合）には、ＨＤＤ制御部１１３は、Ｓ３６２において、ハードディスク１３内のＪＰＥＧファイル“ＰｒｅｖｉｏｕｓＤａｔａ．ＪＰＧ”，ＪＰＥＧファイル“ＡｃｔｕａｌＤａｔａ．ＪＰＧ”及びＪＰＥＧファイル“ＴｈｕｍｂＤａｔａ．ＪＰＧ”とＲＡＭ１１上の各ファイル管理データ（即ち、各頁用のＳｉｚｅ　ｏｆ　ＪＰＥＧｔｈｕｍｂｎａｉｌ領域６１−１〜Ｘ，各頁用のＯｆｆｓｅｔ　ｏｆ　Ｔｏｔａｌ　ＪＰＥＧ　Ｄａｔａ領域６３−１〜Ｘ，各頁用のＯｆｆｓｅｔ　ｏｆ　ＪＰＥＧ　Ｔｈｕｍｂｎａｉｌ領域６４−１〜Ｘ，Ｎｏ．ｏｆ　ｐａｇｅｓ領域６５，及びＭｒｅｋｅｒ領域６６に相当するエリアに設定されているデータ）とを所定のフォーマット（図３８に示すＪＰＥＧマルチページファイルのフォーマット）に従ってコンバインする。そして、マネジメント部１１４からの「スキャン及びＨＤＤ格納依頼」メッセージ中の格納形式パラメータによって指定されたファイル形式（この場合はＪＰＥＧファイル）に対応したファイル名を付して、ハードディスク１３の画像ファイル領域１３４のルートに格納する。このＳ３６２を完了すると、ＨＤＤ制御部１１３は、処理をＳ３６３へ進める。
　【０１６５】Ｓ３６３では、ＨＤＤ制御部１１３は、マネジメント部１１４に対して、処理終了メッセージを送信する。このＳ３６３を完了すると、ＨＤＤ制御部１１３は、処理をＳ３０１に戻す。
　【０１６６】一方、Ｓ３６４では、ＨＤＤ制御部１１３は、ＲＡＭ１１上に用意された作業エリア中、スキャン終了がなされた頁用のＯｆｆｓｅｔ　ｏｆ　ＴＩＦＦ　Ｄａｔａ領域７３に相当するエリアに、その頁用のＴＩＦＦ　Ｈｅａｄｅｒ＋Ｄａｔａ領域７０（７０−１）又はＴＩＦＦ　ｐａｇｅ　ｎ　ｄａｔａ領域７０−ｎのオフセット量の適正値（即ち、その頁より前の全頁分のＴＩＦＦ　Ｈｅａｄｅｒ＋Ｄａｔａ領域７０（７０−１）又はＴＩＦＦ　ｐａｇｅ　ｎ　ｄａｔａ領域７０−ｎ，Ｓｉｚｅ　ｏｆ　ＪＰＥＧｔｈｕｍｂｎａｉｌ領域７１及びＪＰＥＧ　ｔｈｕｍｂｎａｉｌ領域７２のデータ長総和）をセットする。
　【０１６７】次のＳ３６５では、ＨＤＤ制御部１１３は、ＲＡＭ１１上に用意された作業エリア中、スキャン終了がなされた頁用のＯｆｆｓｅｔ　ｏｆ　ＪＰＥＧ　Ｔｈｕｍｂｎａｉｌ領域７４に相当するエリアに、その頁用のＪＰＥＧ　ｔｈｕｍｂｎａｉｌ領域７２のオフセット量の適正値（即ち、その頁より前の全頁分のＴＩＦＦ　Ｈｅａｄｅｒ＋Ｄａｔａ領域７０（７０−１）又はＴＩＦＦ　ｐａｇｅ　ｎ　ｄａｔａ領域７０−ｎ，Ｓｉｚｅ　ｏｆ　ＪＰＥＧ　ｔｈｕｍｂｎａｉｌ領域７１及びＪＰＥＧ　ｔｈｕｍｂｎａｉｌ領域７２のデータ長総和＋その頁用のＴＩＦＦ　Ｈｅａｄｅｒ＋Ｄａｔａ領域７０（７０−１）又はＴＩＦＦ　ｐａｇｅ　ｎ　ｄａｔａ領域７０−ｎ及びＳｉｚｅ　ｏｆ　ＪＰＥＧ　ｔｈｕｍｂｎａｉｌ領域７１のデータ長総和）をセットする。
　【０１６８】次のＳ３６６では、ＨＤＤ制御部１１３は、ＲＡＭ１１上に用意された作業エリア中、Ｎｏ．ｏｆ　Ｐａｇｅｓ領域７５に相当するエリアの値を、一つインクリメントする。
　【０１６９】次のＳ３６７では、ＨＤＤ制御部１１３は、受信したスキャン終了メッセージに「残り頁有り」が設定されているか「残り頁無し」が設定されているかを、チェックする。そして、「残り頁有り」が設定されている場合には処理をＳ３５８へ進め、「残り頁無し」が設定されている場合には処理をＳ３７１へ進める。
　【０１７０】Ｓ３６８では、ＨＤＤ制御部１１３は、スキャン終了がなされた頁が最初の頁であるか否かをチェックする。そして、最初の頁であった場合には、ＨＤＤ制御部１１３は、Ｓ３６９において、ハードディスク１３内のＴＩＦＦファイル“ＡｃｔｕａｌＤａｔａ．Ｔｉｆ”及びＪＰＥＧファイル“ＴｈｕｍｂＤａｔａ．ＪＰＧ”をコンバインし、仮にテンポラリーファイル名“ＰｒｅｖｉｏｕｓＤａｔａ．Ｔｉｆ”を付して、ハードディスク１３の画像ファイル領域１３４のルートに格納する。このＳ３６９の完了後、ＨＤＤ制御部１１３は、処理をＳ３０１に戻す。
　【０１７１】これに対して、最初の頁でない場合には、ＨＤＤ制御部１１３は、Ｓ３７０において、ハードディスク１３内のＴＩＦＦファイル“ＰｒｅｖｉｏｕｓＤａｔａ．Ｔｉｆ”に、同じくハードディスク１３内のＴＩＦＦファイル“ＡｃｔｕａｌＤａｔａ．Ｔｉｆ”及びＪＰＥＧファイル“ＴｈｕｍｂＤａｔａ．ＪＰＧ”を順番に繋げることによって、ハードディスク１３内のＴＩＦＦファイル“ＰｒｅｖｉｏｕｓＤａｔａ．Ｔｉｆ”を更新する。Ｓ３７０の完了後、ＨＤＤ制御部１１３は、処理をＳ３０１に戻す。
　【０１７２】一方、「残り頁無し」に設定されている場合（最終頁のスキャンが終了した場合）に実行されるＳ３７１では、ＨＤＤ制御部１１３は、原稿が単一頁からなるか否かをチェックする。そして、原稿が単一頁からなると判定した場合（即ち、スキャン終了がなされた頁が最初の頁である場合）には、ＨＤＤ制御部１１３は、Ｓ３７２において、ハードディスク１３内のＴＩＦＦファイル“ＡｃｔｕａｌＤａｔａ．Ｔｉｆ”及びＪＰＥＧファイル“ＴｈｕｍｂＤａｔａ．ＪＰＧ”とＲＡＭ１１上の各ファイル管理データ（即ち、Ｓｉｚｅ　ｏｆ　ＪＰＥＧ　ｔｈｕｍｂｎａｉｌ領域７１，Ｏｆｆｓｅｔ　ｏｆ　ＴＩＦＦ　Ｄａｔａ領域７３，Ｏｆｆｓｅｔ　ｏｆ　ＪＰＥＧ　Ｔｈｕｍｂｎａｉｌ領域７４，Ｎｏ．ｏｆ　ｐａｇｅｓ領域７５及びＭｒｅｋｅｒ領域７６に相当するエリアに設定されているデータ）とを所定のフォーマット（図３９に示すシングルページＴＩＦＦファイルのフォーマット）に従ってコンバインする。そして、マネジメント部１１４からの「スキャン及びＨＤＤ格納依頼」メッセージ中の格納形式パラメータによって指定されたファイル形式（この場合はＴＩＦＦファイル）に対応したファイル名を付して、ハードディスク１３の画像ファイル領域１３４のルートに格納する。このＳ３７２を完了すると、ＨＤＤ制御部１１３は、処理をＳ３７４へ進める。
　【０１７３】これに対して、原稿が複数頁からなるとＳ３７１にて判定した場合（即ち、スキャン終了がなされた頁が最初の頁でない場合）には、ＨＤＤ制御部１１３は、Ｓ３７３において、ハードディスク１３内のＴＩＦＦファイル“ＰｒｅｖｉｏｕｓＤａｔａ．Ｔｉｆ”，ＴＩＦＦファイル“ＡｃｔｕａｌＤａｔａ．Ｔｉｆ”及びＪＰＥＧファイル“ＴｈｕｍｂＤａｔａ．ＪＰＧ”とＲＡＭ１１上の各ファイル管理データ（即ち、各頁用のＳｉｚｅ　ｏｆ　ＪＰＥＧｔｈｕｍｂｎａｉｌ領域７１−１〜Ｘ，各頁用のＯｆｆｓｅｔ　ｏｆ　ＴＩＦＦ　Ｄａｔａ領域７３−１〜Ｘ，各頁用のＯｆｆｓｅｔ　ｏｆ　ＪＰＥＧ　Ｔｈｕｍｂｎａｉｌ領域７４−１〜Ｘ，Ｎｏ．ｏｆ　ｐａｇｅｓ領域７５，及びＭｒｅｋｅｒ領域７６に相当するエリアに設定されているデータ）とを所定のフォーマット（図４０に示すＪＰＥＧマルチページファイルのフォーマット）に従ってコンバインする。そして、マネジメント部１１４からの「スキャン及びＨＤＤ格納依頼」メッセージ中の格納形式パラメータによって指定されたファイル形式（この場合はＪＰＥＧファイル）に対応したファイル名を付して、ハードディスク１３の画像ファイル領域１３４のルートに格納する。このＳ３７３を完了すると、ＨＤＤ制御部１１３は、処理をＳ３７４へ進める。
　【０１７４】Ｓ３７４では、ＨＤＤ制御部１１３は、マネジメント部１１４に対して、処理終了メッセージを送信する。このＳ３７４を完了すると、ＨＤＤ制御部１１３は、処理をＳ３０１に戻す。
　【０１７５】一方、マネジメント部１１４からのキャンセルメッセージを受信した場合に実行されるＳ３０６では、ＨＤＤ制御部１１３は、スキャン中だった原稿に関連するファイル（即ち、ＪＰＥＧファイル“ＰｒｅｖｉｏｕｓＤａｔａ．ＪＰＧ”又はＴＩＦＦファイル“ＰｒｅｖｉｏｕｓＤａｔａ．Ｔｉｆ”，ＪＰＥＧファイル“ＡｃｔｕａｌＤａｔａ．ＪＰＧ”又はＴＩＦＦファイル“ＡｃｔｕａｌＤａｔａ．Ｔｉｆ”及びＪＰＥＧファイル“ＴｈｕｍｂＤａｔａ．ＪＰＧ”）をハードディスク１３から消去する。このＳ３０６を完了すると、ＨＤＤ制御部１１３は、処理をＳ３０１に戻す。
　【０１７６】一方、その他のメッセージを受信した場合に実行されるＳ３０７では、ＨＤＤ制御部１１３は、そのメッセージに対応する処理を実行する。このＳ３０７を完了すると、ＨＤＤ制御部１１３は、処理をＳ３０１に戻す。
　【０１７７】＜ウェッブブラウザ＞次に、各クライアント端末２内でウェッブブラウザ３０１が実行する処理を、図１６のフローチャートを参照して、“ＷｅｂＥｘｐｌｏｒｅ”のＵＲＬが入力された場合に絞って説明する。このウェッブブラウザ３０１は、オペレータによって“ＷｅｂＥｘｐｌｏｒｅ”のＵＲＬが入力されると、Ｓ４０１において、このＵＲＬを通信部３０２経由で何れかのコピーシステム１のコピーサーバ１０へ送信する。このＵＲＬの送信先のコピーシステム１を、以下、プライマリコピーシステムという。
　【０１７８】このＵＲＬの送信に対応して、プライマリコピーシステム１のコピーサーバ１０がハイパーテキスト“ＷｅｂＥｘｐｌｏｒｅ．ｈｔｍｌ”を送信して来ると、ウェッブブラウザ３０１は、Ｓ３０２において、このハイパーテキストデータ“ＷｅｂＥｘｐｌｏｒｅ．ｈｔｍｌ”を受信する。
　【０１７９】次に、ウェッブブラウザ３０１は、Ｓ４０３において、受信したハイパーテキストデータ“ＷｅｂＥｘｐｌｏｒｅ．ｈｔｍｌ”に従って、Ｊａｖａアプレットによる画像の表示領域を確保するとともに、ハイパーテキストデータ“ＷｅｂＥｘｐｌｏｒｅ．ｈｔｍｌ”内でそのアプレットクラスファイル名称が指定されたＪａｖａアプレットのクラスファイルを、通信部３０２経由で、プライマリコピーシステム１のコピーサーバ１０に要求する。
　【０１８０】次に、ウェッブブラウザ３０１は、Ｓ４０４において、要求したＪａｖａアプレットの全クラスファイルの受信完了を待つ。そして、全クラスファイルを受信し終わると、ウェッブブラウザ３０１は、Ｓ４０５において、受信した全クラスファイルからＪａｖａアプレット１３３を復元し、このＪａｖａアプレット１３３を起動する。以上の後に、ウェッブブラウザ３０１は、通常の処理を続ける。
　【０１８１】＜Ｊａｖａアプレット＞次に、本実施形態においてハイパーテキストデータ“ＷｅｂＥｘｐｌｏｒｅ．ｈｔｍｌ”内でそのアプレットクラスファイル名称が指定されたＪａｖａアプレット１３３による処理を、図１７乃至図２５のフローチャートを参照して、説明する。
　【０１８２】Ｓ４０５にて起動されたＪａｖａアプレット１３３は、Ｓ１０１において、図４２に示す初期画面８０を表示する。但し、この時点においては、初期画面８０の左右の窓８５，８６は空欄のままとなっている。
　【０１８３】次のＳ５０２では、Ｊａｖａアプレット１３３は、Ｓ４０２にて受信したハイパーテキストデータ“ＷｅｂＥｘｐｌｏｒｅ．ｈｔｍｌ”に記載されている各種パラメータに従い、初期画面８０の左側の窓８５に、プライマリコピーシステム１，セカンダリコピーシステム１’及び他のクライアント端末２の名称及びアイコンを、ツリー表示する。また、自クライアント端末２のハードディスク３８にアクセスして、Ｍｙ　Ｃｏｍｐｕｔｅｒの文字及びアイコンを、当該窓８５に追加表示する。
　【０１８４】次のＳ５０３では、Ｊａｖａアプレット１３３は、入力インタフェース３７からの入力信号に基づいて、何らかの操作イベントが発生したか否かを判定する。そして、何らかの操作イベントが発生したと判定できた場合には、Ｊａｖａアプレット１３３は、Ｓ５０４において、発生した操作イベントの種類をチェックする。
　【０１８５】このＳ５０４にて表示タイプの選択オペレーションが発生したと判定できた場合，即ち、初期画面８０のメニューバー８２中の「表示」がクリックされ、その後で表示されるプルダウンメニュー中の「ファイルリスト」又は「サムネイル」がクリックされた場合、Ｊａｖａアプレット１３３は、処理をＳ５０５へ進める。このＳ５０５では、Ｊａｖａアプレット１３３は、選択された表示タイプ，即ち、クリックされた名称に対応した“ファイルリスト表示”又は“サムネイル表示”を記憶する。このＳ５０５を完了すると、Ｊａｖａアプレット１３３は、処理をＳ５０３に戻す。
　【０１８６】一方、Ｓ５０４にて表示サムネイル数変更オペレーションが発生したと判定できた場合，初期画面８０のメニューバー８２中の「表示」がクリックされ、その後で表示されるプルダウンメニュー中の「サムネイル」がクリックされ、その後で表示されるメニューから「３」，「６」又は「９」がクリックされた場合、Ｊａｖａアプレット１３３は、処理をＳ５０６へ進める。このＳ５０６では、Ｊａｖａアプレット１３３は、選択されたサムネイル数，即ち、クリックされた数を記憶する。このＳ５０６を完了すると、Ｊａｖａアプレット１３３は、処理をＳ５０３に戻す。
　【０１８７】一方、Ｓ５０４にて何れかのディレクトリのクリックオペレーションが発生したと判定できた場合，即ち、初期画面８０の左側の窓８５に現在表示されている何れかのアイコン又は文字（以下、単に、ディレクトリと称する）がクリックされた場合、Ｊａｖａアプレット１３３は、処理をＳ５０８に進める。Ｓ５０８では、Ｊａｖａアプレット１３３は、プライマリコピーシステム１とリンクを行い、クリックされたディレクトリに対応するパス名を指定したファイルリスト要求パケットを送信する（管理情報要求部に相当）。
　【０１８８】次のＳ５０９では、Ｊａｖａアプレット１３３は、Ｓ５０８にて送信したファイルリスト要求パケットに対するファイル情報の応答（Ｓ７１５参照）を待つ。このファイル情報（ファイル管理情報）には、ファイルリスト要求パケット中のパス名が示すディレクトリ内の各サブディレクトリのディレクトリ名，当該パス名が示すディレクトリ内に格納されている各ファイルのファイル名，ファイルサイズ，ファイル属性，タイムスタンプ及び頁数，並びに、当該パス名が示すディレクトリに使用可能な空きディスク容量が、含まれている。
　【０１８９】このファイル情報が応答された場合、Ｊａｖａアプレット１３３は、処理をＳ５０９からＳ５１０へ進める。このＳ５１０では、Ｊａｖａアプレット１３３は、ファイル情報に含まれる空きディスク容量に基づいて初期画面８０のステータスバー８４に空きディスク容量を表示するとともに、ファイル情報に含まれるサブディレクトリ名に基づいて、初期画面８０の左側の窓８５内に表示されているツリー中の更新を行う。即ち、図４４及び図４５に示すように、クリックされたディレクトリの下の階層に、各サブディレクトリ名とそのアイコンをツリー表示する。
　【０１９０】次のＳ５１１では、Ｊａｖａアプレット１３３は、Ｓ５０５にて記憶した表示タイプがファイルリスト表示であるかサムネイル表示であるかをチェックする。そして、ファイルリスト表示が記憶されている場合には、Ｓ５１２において、Ｓ５０９にて応答されたファイル情報に基づいて、ファイルリスト表示を行う。即ち、図４４に示すように、初期画面の右側の窓８６に、ファイル情報に含まれる各ファイルのファイル名，ファイルサイズ，ファイル属性，タイムスタンプ及び頁数を、上から順に一覧表示する（表示部に相当）。このＳ５１２を完了すると、Ｊａｖａアプレット１３３は、処理をＳ５０３に戻す。
　【０１９１】これに対して、サムネイル表示が記憶されているとＳ５１１にて判定した場合には、Ｊａｖａアプレット１３３は、Ｓ５１３において、Ｓ５０９にて応答されたファイル情報中に含まれている最初のファイル名を特定する。このＳ５０９を完了すると、Ｊａｖａアプレット１３３は、処理をＳ５１０に進める。
　【０１９２】５１０では、Ｊａｖａアプレット１３３は、変数ｎを初期化して“０”とする。続いてＪａｖａアプレット１３３は、ファイル情報中に含まれる各ファイル名毎に対応するＪＰＥＧサムネイルデータを受信するために、Ｓ５１５乃至Ｓ５２０のループ処理を実行する。
　【０１９３】このループ処理に入って最初のＳ５１５では、Ｊａｖａアプレット１３３は、プライマリコピーシステム１とリンクを行い、Ｓ５１３，Ｓ５２１，Ｓ５２４又はＳ５２５にて特定したファイル名，そのパス名及び要求対象ファイルタイプ（ここではＪＰＥＧサムネイルファイル）を指定したファイルダウンロード要求パケットを送信する（概略画像用ＪＰＥＧファイル要求部に相当）。
　【０１９４】次のＳ５１６では、Ｊａｖａアプレット１３３は、Ｓ５１５にて送信したファイルダウンロード要求パケットに対するＪＰＥＧサムネイルファイル（概略画像用ＪＰＥＧファイル）の応答（Ｓ７２７参照）を待つ。
　【０１９５】ＪＰＥＧサムネイルファイルが応答された場合、Ｊａｖａアプレット１３３は、処理をＳ５１６からＳ５１７へ進める。このＳ５１７では、Ｊａｖａアプレット１３３は、受信したサムネイルＪＰＥＧファイルを、ＲＡＭ３２にセーブする。
　【０１９６】次のＳ５１８では、Ｊａｖａアプレット１３３は、変数ｎを一つインクリメントする。
　【０１９７】次のＳ５１９では、Ｓ５０９にて受信したファイル情報に含まれる全ファイル名に関して、Ｓ５１５のファイルダウンロード要求パケット送信を行ったか否かをチェックする。そして、未だ全ファイル名に関してファイルダウンロード要求パケット送信を行っていない場合には、Ｊａｖａアプレット１３３は、処理をＳ５２０へ進める。
　【０１９８】Ｓ５２０では、Ｊａｖａアプレット１３３は、変数ｎとＳ５０６にて記憶したサムネイル数とが一致しているか否かをチェックする。そして、未だ変数ｎがサムネイル数に達していない場合には、Ｊａｖａアプレット１３３は、Ｓ５２１にてファイル情報中の次のファイル名を特定した後に、新たに特定したファイル名に関するファイルダウンロード要求パケット送信を行うために、処理をＳ５１５に戻す。
　【０１９９】以上のＳ５１５乃至Ｓ５２１のループ処理を繰り返した結果、ファイル情報中の全ファイル名に関してファイルダウンロード要求パケット送信を完了した場合には、Ｊａｖａアプレット１３３は、処理をＳ５１９からＳ５２２へ進める。また、変数ｎがサムネイル数と一致した場合には、Ｊａｖａアプレット１３３は、処理をＳ５２０からＳ５２２へ進める。
　【０２００】Ｓ５２２では、Ｊａｖａアプレット１３３は、ＲＡＭ３２にセーブされているＪＰＥＧサムネイルファイルに基づいて、図４５に示すように、初期画面８０の右側の窓８６中にサムネイルの表示を行う（表示部に相当）。この場合、ファイル情報中の頁数が“１”であるファイル名については、図４５中のＡに示すように、そのファイル名に関して応答されたＪＰＥＧサムネイルファイル中のＪＰＥＧサムネイルデータに基づくサムネイル画像（概略画像）８７，１頁中の１頁目である旨（ｐａｇｅ　１　ＯＦ　１）８８，そのファイル名８９，ファイルサイズ９０が、縦に並べられて表示される。これに対して、ファイル情報中の頁数が複数頁（仮にＸ頁とする）であるファイル名については、図４５中のＢに示すように、サムネイル画像８７の上縁及び右側縁に、画像が重なっているように見せる縁取り８７ａが付加される。また、サムネイル画像８７とファイル名８９との間に、Ｘ頁中のＹ頁目（初期においては“１”）頁目である旨（Ｐａｇｅ　Ｙ　ｏｆ　Ｘ）９１が表示される。但し、「頁目」を示すＹは、スクロールバー８８ａが添付されたテキストボックス８８ｂ内に表示される。従って、このスクロールバー８８ａをマウスで操作することにより、このテキストボックス８８ｂ内に表示されたＹの値を、Ｘの値の範囲内で増減することが可能となっている。このＳ５２２を完了すると、Ｊａｖａアプレット１３３は、処理をＳ５０３に戻す。
　【０２０１】一方、Ｓ５０４にて前頁又は次頁ボタンのクリックオペレーションが発生したと判定できた場合，即ち、図４５に示すようにサムネイル表示中の右側の窓８６内に表示されている前頁ボタン８６ａ又は次頁ボタン８６ｂがクリックされた場合、Ｊａｖａアプレット１３３は、処理をＳ５２３に進める。
　【０２０２】Ｓ５２３では、Ｊａｖａアプレット１３３は、前頁ボタン８６ａがクリックされたのか次頁ボタン８６ｂがクリックされたのかを、チェックする。そして、Ｊａｖａアプレット１３３は、前頁ボタン８６ａがクリックされた場合には処理をＳ５２４に進め、次頁ボタン８６ｂがクリックされた場合には処理をＳ５２５に進める。Ｓ５２４では、Ｊａｖａアプレット１３３は、現在のディレクトリに関して最新のＳ５０９にて応答されたファイル情報内から、現在窓８６にサムネイルが表示されている最後尾のファイル名の次のファイル名を、特定する。これに対して、Ｓ５２５では、Ｊａｖａアプレット１３３は、現在のディレクトリに関して最新のＳ５０９にて応答されたファイル情報内から、現在窓８６にサムネイルが表示されている先頭のファイル名よりも、Ｓ５０６にて記憶したサムネイル数分だけ前のファイル名を、特定する。何れの場合においても、Ｊａｖａアプレット１３３は、次に処理をＳ５１４へ進める。このＳ５１４以下の処理は、既に説明したので、ここではその説明を省略する。
　【０２０３】一方、Ｓ５０４にて複数ページファイルの表示頁ＮＯ．更新オペレーションが発生したと認識できた場合，即ち、右側の窓８６に表示されている何れかのサムネイルのスクロールバー８８ａがマウス４２によって操作されたためにテキストボックス８８ｂ内に表示されている頁数Ｙが増減された場合、Ｊａｖａアプレット１３３は、処理をＳ５２６に進める。
　【０２０４】Ｓ５２６では、Ｊａｖａアプレット１３３は、プライマリコピーシステム１とリンクを行い、更新を求めるファイル名（即ち、頁数Ｙが増減されたテキストボックス８８ｂの下に記載されたファイル名），そのパス名，ファイルタイプ（ここでは、ＪＰＥＧサムネイルファイル）及び、要求対象頁数（即ち、増減後の頁数Ｙ）を指定したファイルダウンロード要求パケットを送信する（概略画像用ＪＰＥＧファイル要求部に相当）。
　【０２０５】次のＳ５２７では、Ｊａｖａアプレット１３３は、Ｓ５２６にて送信したファイルダウンロード要求パケットに対するＪＰＥＧサムネイルファイル（概略画像用ＪＰＥＧファイル）の応答（Ｓ７２７参照）を待つ。
　【０２０６】ＪＰＥＧサムネイルファイルが応答された場合、Ｊａｖａアプレット１３３は、処理をＳ５２７からＳ５２８へ進める。このＳ５２８では、Ｊａｖａアプレット１３３は、受信したサムネイルＪＰＥＧファイルを、ＲＡＭ３２にセーブする。
　【０２０７】次のＳ５２９では、Ｊａｖａアプレット１３３は、ＲＡＭ３２にセーブされているＪＰＥＧサムネイルファイルに基づいて、頁数Ｙが増減されたテキストボックス８８ｂの上に表示されているサムネイル画像８７を、更新する。この結果、増減後の頁数Ｙに対応したサムネイル画像（概略画像）８７が表示されるようになる。このＳ５２９を完了すると、Ｊａｖａアプレット１３３は、処理をＳ５０３に戻す。
　【０２０８】一方、Ｓ５０４にてファイルドロップオペレーションが発生したと認識できた場合，即ち、右側の窓８６に表示されている何れかのファイル名（及びそれに対応するアイコン又はサムネイル画像８７）がドラッグされて、左側の窓８５に表示されている何れかのディレクトリ名（又はそのアイコン）上にドロップされた場合、Ｊａｖａアプレット１３３は、処理をＳ５３０に進める。
　【０２０９】Ｓ５３０では、Ｊａｖａアプレット１３３は、ドロップ先がマイコンピュータ（又はその下階層に属するディレクトリ）であれば処理をＳ５３１へ進め、ドロップ先が他のディレクトリ名であれば処理をＳ５３５へ進める。
　【０２１０】Ｓ５３１では、Ｊａｖａアプレット１３３は、プライマリコピーシステム１とリンクを行い、コピー元ファイル名（即ち、ドラッグされたファイル名）及びそのパス名，コピー先ドライブ名（即ち、ファイル名がドロップされたディレクトリの属する自クライアント端末２のハードディスク３８のドライブ名）及びそのパス名，ファイルタイプ（ここでは、全データを含む画像ファイル）とを指定したファイルダウンロード要求パケットを送信する（画像ファイル要求部に相当）。
　【０２１１】次のＳ５３２では、Ｊａｖａアプレット１３３は、Ｓ５３１にて送信したファイルダウンロード要求パケットに対する画像ファイル（ＪＰＥＧファイル又はＴＩＦＦファイル）の応答（Ｓ７２７参照）を待つ。
　【０２１２】画像ファイルが応答された場合、Ｊａｖａアプレット１３３は、処理をＳ５３２からＳ５３３へ進める。このＳ５３３では、Ｊａｖａアプレット１３３は、受信した画像ファイルを、コピー先ドライブにおけるコピー先パス名によって示されるディレクトリへ、書き込む。
　【０２１３】次のＳ５３４では、Ｊａｖａアプレット１３３は、Ｓ５３１でのファイルダウンロード要求に対する全ての画像ファイルを受信したか否かをチェックする。そして、未だ全ての画像ファイルを受信終了していない場合には、処理をＳ５３２に戻す。これに対して、全ての画像ファイルを受信終了した場合には、Ｊａｖａアプレット１３３は、処理をＳ５０３に戻す。
　【０２１４】これに対してＳ５３５では、Ｊａｖａアプレット１３３は、プライマリコピーシステム１とリンクを行い、コピー元ファイル名（即ち、ドラッグされたファイル名）及びそのパス名とコピー先ドライブ名（即ち、ファイル名がドロップされたディレクトリの属するコピーサーバ１０又は他のクライアント端末２のハードディスク１３，３８のドライブ名）及びそのパス名とを指定したファイルコピー要求パケットを送信する。
　【０２１５】次のＳ５３６では、Ｊａｖａアプレット１３３は、Ｓ５３５にて送信したファイルダウンロード要求パケットに対する応答を待つ。応答があった場合には、Ｊａｖａアプレット１３３は、次のＳ５３７において、正常にコピーを受け付けた旨（Ｓ７３０，Ｓ７３３，Ｓ７３６，Ｓ７４０参照）が応答されたのかエラーが応答されたのかを、チェックする。そして、エラーが応答された場合には、Ｊａｖａアプレット１３３は、Ｓ５４２において、画面上にエラー表示を行った後に、処理をＳ５０３へ戻す。これに対して、正常にコピーを受け付けた旨が応答された場合には、Ｊａｖａアプレット１３３は、処理をＳ５３８へ進める。このＳ５３８では、Ｊａｖａアプレット１３３は、プライマリコピーシステム１とリンクを行い、コピー終了を確認するためのコピー状況確認パケットを送信する。なお、このコピー状況確認パケットには、パラメータとして、処理番号，コピー元ファイル名及びそのパス名とコピー先ドライブ名及びそのパス名が格納されている。
　【０２１６】次のＳ５３９では、Ｊａｖａアプレット１３３は、Ｓ５３８でのコピー状況確認パケットに対する応答（Ｓ７４２，Ｓ７４６参照）の内容をチェックする。そして、Ｊａｖａアプレット１３３は、エラーが応答されていた場合には、Ｓ５４２において、画面上にエラー表示を行った後に、処理をＳ５０３へ戻す。これに対して、継続中である旨（即ち、処理プログレス＜１００％）が応答された場合には、Ｊａｖａアプレット１３３は、Ｓ５４０において、画面上にコピー継続中である旨及び処理プログレスを表示した後に、処理をＳ５３８に戻す。これに対して、終了した旨（即ち、処理プログレス＝１００％）が応答された場合には、Ｊａｖａアプレット１３３は、Ｓ５４１において、画面上にコピーが終了した旨を表示した後に、処理をＳ５０３に戻す。
　【０２１７】一方、Ｓ５０４にてファイル検索オペレーションが発生したと判定できた場合，即ち、初期画面８０のメニューバー８２中の「編集」がクリックされ、その後で表示されるプルダウンメニュー中の「検索」がクリックされることにより、若しくはツールバー８３中の検索ボタン８３ｃがクリックされることにより表示される検索ダイアログ（図示略）内に、検索パス及び検索対象ファイル名又は検索対象ディレクトリ名が入力された場合、Ｊａｖａアプレット１３３は、処理をＳ５４２へ進める。
　【０２１８】Ｓ５４２では、Ｊａｖａアプレット１３３は、図示せぬ検索ダイアログ内に入力された検索パスが自クライアント端末２内のドライブ名を含むか否かを、チェックする。そして、検索パスが自クライアント端末２内のドライブ名を含まない場合には、Ｊａｖａアプレット１３３は、処理をそのままＳ５４４へ進める。これに対して、検索パスが自クライアント端末２内のドライブ名を含む場合には、Ｊａｖａアプレット１３３は、Ｓ５４３において、自クライアント端末２のハードディスク３８内でファイル検索を実行した後に、処理をＳ５４４へ進める。
　【０２１９】このＳ５４４では、Ｊａｖａアプレット１３３は、プライマリコピーシステム１とリンクを行い、図示せぬ検索ダイアログ内に入力された検索範囲（検索を行うパスの範囲）及び検索対象ファイル名又は検索対象ディレクトリ名をパラメータとして含んだファイル検索要求パケットを送信する。
　【０２２０】次のＳ５４５では、Ｊａｖａアプレット１３３は、Ｓ５４４にて送信したファイル検索要求パケットに対する応答（Ｓ７５１参照）を待つ。応答があった場合には、Ｊａｖａアプレット１３３は、次のＳ５４６において、応答内容に基づいて、検索が正常に終了したか否かをチェックする。そして、検索が正常に終了しなかった場合には、Ｊａｖａアプレット１３３は、Ｓ５４８において、画面上にエラー表示を行った後に、処理をＳ５０３に戻す。
　【０２２１】これに対して、検索が正常に終了した場合には、Ｊａｖａアプレット１３３は、全ての検索結果（Ｓ５４３での検索結果，並びに、応答に含まれている検索結果）を、画面上に表示する。このＳ５４７を完了すると、Ｊａｖａアプレット１３３は、処理をＳ５０３に戻す。
　【０２２２】一方、Ｓ５０４にてファイル削除オペレーションが発生したと判定できた場合，即ち、右側の窓８６に表示されている何れかのファイル名又は左側の窓８５に表示されている何れかのディレクトリ名がクリックされた後で、初期画面８０のメニューバー８２中の「ファイル」がクリックされ、その後で表示されるプルダウンメニュー中の「削除」がクリックされた場合，若しくは、何れかのファイル名又はディレクトリ名がクリックされた後に、ツールバー８３中の削除ボタン８３ｄがクリックされた場合、Ｊａｖａアプレット１３３は、処理をＳ５４９へ進める。
　【０２２３】Ｓ５４２では、Ｊａｖａアプレット１３３は、削除パス（即ち、クリックされたファイル名又はディレクトリ名に対応するパス）が自クライアント端末２内のドライブ名を含むか否かを、チェックする。そして、削除パスが自クライアント端末２内のドライブ名を含む場合には、Ｊａｖａアプレット１３３は、Ｓ５５２において、削除対象ファイル（クリックされたファイル名が示すファイル）又は削除対象ディレクトリ（クリックされたディレクトリ名が示すディレクトリ）を、自クライアント端末２のハードディスク３８から削除する。このＳ５５２を完了すると、Ｊａｖａアプレット１３３は、処理をＳ５５３へ進める。
　【０２２４】これに対して、削除パスが自クライアント端末２内のドライブ名を含まない場合には、Ｊａｖａアプレット１３３は、Ｓ５５０において、プライマリコピーシステム１とリンクを行い、検索対象ファイル名又は検索対象ディレクトリ名及びそのパス名をパラメータとして含んだファイル削除要求パケットを送信する。次のＳ５５１では、Ｊａｖａアプレット１３３は、Ｓ５５０にて送信したファイル削除要求パケットに対する応答（Ｓ７５６参照）を待つ。応答があった場合には、Ｊａｖａアプレット１３３は、処理をＳ５５３へ進める。
　【０２２５】Ｓ５５３では、ＨＤＤ制御部１１３は、Ｓ５５２でのファイル削除処理の実行結果，若しくはＳ５５１にてプライマリコピーシステム１から受信した応答に基づいて、ファイル削除が正常になされたか否かをチェックする。そして、ファイル削除が正常になされなかった場合には、Ｊａｖａアプレット１３３は、Ｓ５５５において、画面上にエラー表示を行った後に、処理をＳ５０３に戻す。
　【０２２６】これに対して、ファイル削除が正常になされた場合には、Ｊａｖａアプレット１３３は、Ｓ５５４において、Ｓ５５２でのファイル削除処理の実行結果，若しくはＳ５５１にてプライマリコピーシステム１から受信した応答に含まれるパラメータに基づいて、ステータスバー８４に表示されているディスク空き容量を、ファイル削除後のものに書き換える。このＳ５５４を完了すると、Ｊａｖａアプレット１３３は、処理をＳ５０３に戻す。
　【０２２７】一方、Ｓ５０４にてファイルリネームオペレーションが発生したと判定できた場合，即ち、右側の窓８６に表示されている何れかのファイル名又は左側の窓８５に表示されている何れかのディレクトリ名がクリックされた後で、初期画面８０のメニューバー８２中の「ファイル」がクリックされ、その後で表示されるプルダウンメニュー中の「リネーム」がクリックされ、更に、新たなファイル名又はディレクトリ名がキーボード４１からの入力された場合、Ｊａｖａアプレット１３３は、処理をＳ５５６へ進める。
　【０２２８】Ｓ５５６では、Ｊａｖａアプレット１３３は、リネームパス（即ち、クリックされたファイル名又はディレクトリ名に対応するパス）が自クライアント端末２内のドライブ名を含むか否かを、チェックする。そして、リネームパスが自クライアント端末２内のドライブ名を含む場合には、Ｊａｖａアプレット１３３は、Ｓ５５９において、リネーム対象ファイル（クリックされたファイル名が示すファイル）又はリネーム対象ディレクトリ（クリックされたディレクトリ名が示すディレクトリ）のハードディスク３８内における実際の名称を、キーボード４１から入力された名称に変更する。このＳ５５９を完了すると、ＨＤＤ制御部１１３は、処理をＳ５６０へ進める。
　【０２２９】これに対して、リネームパスが自クライアント端末２内のドライブ名を含まない場合には、Ｊａｖａアプレット１３３は、Ｓ５５７において、プライマリコピーシステム１とリンクを行い、リネーム対象ファイル名又はリネーム対象ディレクトリ名，そのパス名及びキーボード４１から入力された名称をパラメータとして含んだファイルリネーム要求パケットを、送信する。次のＳ５５８では、Ｊａｖａアプレット１３３は、Ｓ５５７にて送信したファイルリネーム要求パケットに対する応答（Ｓ７６１参照）を待つ。応答があった場合には、Ｊａｖａアプレット１３３は、処理をＳ５６０へ進める。
　【０２３０】Ｓ５６０では、ＨＤＤ制御部１１３は、Ｓ５５９でのファイルリネーム処理の実行結果，若しくはＳ５５８にてプライマリコピーシステム１から受信した応答に基づいて、ファイルリネームが正常になされたか否かをチェックする。そして、ファイルリネームが正常になされなかった場合には、Ｊａｖａアプレット１３３は、Ｓ５６２において、画面上にエラー表示を行った後に、処理をＳ５０３に戻す。
　【０２３１】これに対して、ファイルリネームが正常になされた場合には、Ｊａｖａアプレット１３３は、Ｓ５６１において、クリックされたファイル名又はディレクトリ名の表示を、キーボード４１から入力された名称に変更する。このＳ５６１を完了すると、Ｊａｖａアプレット１３３は、処理をＳ５０３に戻す。
　【０２３２】一方、Ｓ５０４にてその他のイベントが発生したと場合、Ｊａｖａアプレット１３３は、Ｓ５０７において、そのイベントに対応した処理を実行した後に、処理をＳ５０３に戻す。
　【０２３３】＜ネットワーク受信部＞次に、コピーサーバ１０上で実行されるネットワーク受信部１１１による処理を、図２６のフローチャートを用いて説明する。図２６に示されるように、ネットワーク受信部１１１は、Ｓ６０１において、ネットワークＮＷを介して何れかのクライアント端末２又は他のコピーシステム１’のコピーサーバ１０（制御部１１２）からパケットを受信するのを待つ。そして、何れかのパケットを受信すると、Ｓ６０２において、ＲＡＭ１１に格納されている制御部管理テーブル（図４１）に基づいて、空状態にある何れかの制御部１１２を選択する。
　【０２３４】次のＳ６０３では、ネットワーク受信部１１１は、Ｓ６０２にて選択した制御部１１２について、制御部管理テーブルに記録されている情報を「空状態」から「ビジー状態」に変更する。
　【０２３５】次のＳ６０４では、ネットワーク受信部１１１は、Ｓ６０１にて受信したパケットからメッセージを取り出して、Ｓ６０２にて選択した制御部１１２に対して通知する。Ｓ６０４を完了すると、ネットワーク受信部１１１は、Ｓ６０１に処理を戻し、次のパケットを待つ。
　【０２３６】＜制御部＞次に、各制御部１１２による処理を、図２７乃至図３４のフローチャートを参照して説明する。各制御部１１２は、Ｓ７０１においてネットワークインタフェース部１１１からのメッセージ（Ｓ６０４参照）の受信を待つ。
　【０２３７】ネットワークインタフェース部１１１からメッセージを受け取ると、制御部１１２は、Ｓ７０２において、受け取ったメッセージの種類をチェックする。そして、受け取ったメッセージが“ＷｅｂＥｘｐｌｏｒｅ”のＵＲＬ（Ｓ４０１参照）であった場合には、制御部１１２は、処理をＳ７０２からＳ７０３へ進める。
　【０２３８】Ｓ７０３では、制御部１１２は、自システムのコピーサーバ１０内に記憶されている内容（即ち、画像ファイルの送受信先として予め登録されている他のコピーシステム１’やクライアント端末２の名称及びＩＰアドレス，Ｊａｖａアプレット１３３のクラスファイル名，その他のパラメータ）に基づいて、ハイパーテキストデータ“ＷｅｂＥｘｐｌｏｒｅ．ｈｔｌｍ”をダイナミックに作成する。
　【０２３９】次のＳ７０４では、制御部１１２は、Ｓ７０３にて作成したハイパーテキストデータ“ＷｅｂＥｘｐｌｏｒｅ．ｈｔｌｍ”を、要求元のクライアント端末２（ウェッブブラウザ３０１）へ送信する。その後、制御部１１２は、Ｓ７１０において、制御部管理テーブルに記録されている自らの情報（即ち、ネットワークインタフェース部１１１から渡された使用制御部番号に対応した情報）を「ビジー状態」から「空状態」に書き換えた後に、処理をＳ７０１に戻す。
　【０２４０】一方、ネットワークインタフェース部１１１から受け取ったメッセージがＪａｖａアプレットのクラスファイル要求メッセージ（Ｓ４０３参照）」であった場合には、制御部１１２は、処理をＳ７０２からＳ７０５へ進める。
　【０２４１】Ｓ７０５では、クラスファイル要求メッセージにおいて要求されているクラスファイルをＨＤＤ制御部１１３から受け取り、順次、これを要求しているクライアント端末２（ウェッブブラウザ３０１）へ送信する（プログラム送信部に相当）。その後、制御部１１２は、Ｓ７１０において、制御部管理テーブルに記録されている自らの情報を「ビジー状態」から「空状態」に書き換えた後に、処理をＳ７０１に戻す。
　【０２４２】一方、ネットワークインタフェース部１１２から受け取ったメッセージがＪａｖａアプレット１３３又は他のコピーシステム１’からのファイルリスト要求（Ｓ５０８，Ｓ７１２参照）であった場合には、制御部１１２は、処理をＳ７０２からＳ７１１へ進める。
　【０２４３】Ｓ７１１では、制御部１１２は、ファイルリスト要求に指定されたパス名が自システム内のドライブ名を含んでいるか否かをチェックする。そして、自システム内のドライブ名を含んでいない場合には、制御部１１２は、Ｓ７１２において、当該パス名によって示される要求先コピーシステム（セカンダリコピーシステム）１’とリンクを行い、ファイルリスト要求パケットを転送する。制御部１１２は、次のＳ７１３において、Ｓ７１２にて転送されたファイルリスト要求パケットに対するファイル情報の応答（Ｓ７１５参照）を待ち、応答があると、処理をＳ７１５へ進める。
　【０２４４】これに対して、ファイルリスト要求に指定されたパス名が自システム内のドライブ名を含んでいる場合には、制御部１１２は、Ｓ７１４において、ハードディスク１３から、当該パス名によって示されるディレクトリのファイル情報を読み出した後に、処理をＳ７１５に進める。
　【０２４５】Ｓ７１５では、制御部１１２は、Ｓ７１４にて自ら読み出したファイル情報をファイルリスト要求元のＪａｖａアプレット１３３又はプライマリコピーシステム１’へ送信する（管理情報応答部に相当）。若しくは、Ｓ７１３にてセカンダリコピーシステム１’から受信したファイル情報を、ファイルリスト要求元のＪａｖａアプレット１３３へ送信する（管理情報応答部に相当）。その後、制御部１１２は、Ｓ７１０において、制御部管理テーブルに記録されている自らの情報を「ビジー状態」から「空状態」に書き換えた後に、処理をＳ７０１に戻す。
　【０２４６】一方、ネットワークインタフェース部１１２から受け取ったメッセージがＪａｖａアプレット１３３又は他のコピーシステム１’からのファイルダウンロード要求（Ｓ５１５，Ｓ５２６，Ｓ５３１，Ｓ７１７参照）であった場合には、制御部１１２は、処理をＳ７０２からＳ７１６へ進める。
　【０２４７】Ｓ７１６では、制御部１１２は、ファイルダウンロード要求に指定されたパス名（Ｓ５３１にて送信されたファイルダウンロード要求の場合にはコピー元として指定されたパス名）が自システム内のドライブ名を含んでいるか否かをチェックする。そして、自システム内のドライブ名を含んでいない場合には、制御部１１２は、Ｓ７１７において、当該パス名によって示される要求先コピーシステム（セカンダリコピーシステム）１’とリンクを行い、ファイルダウンロード要求パケットを転送する。制御部１１２は、次のＳ７１８において、Ｓ７１７にて転送されたファイルダウンロード要求パケットに対する画像ファイルの応答（Ｓ７２７参照）を待ち、応答があると、処理をＳ７２７へ進める。
　【０２４８】これに対して、ファイルダウンロード要求に指定されたパス名が自システム内のドライブ名を含んでいる場合には、制御部１１２は、Ｓ７１９において、ファイルダウンロード要求に指定されたファイルタイプがＪＰＥＧサムネイルファイルであるか全データを含む画像ファイルであるかをチェックする。そして、ＪＰＥＧサムネイルファイルが指定されている場合（Ｓ５１５，Ｓ５２６，Ｓ７１７参照）には、処理をＳ７２０へ進める。
　【０２４９】Ｓ７２０では、制御部１１２は、ファイルダウンロード要求にページ番号の指定があるか否かをチェックする。そして、ページ番号の指定がない場合（Ｓ５１５，Ｓ７１７参照）には、制御部１１２は、Ｓ７２１において、ファイルダウンロード要求に指定されたファイル名に対応したＪＰＥＧファイル又はＴＩＦＦファイルをハードディスク１３から読み出し、先頭の頁用のＪＰＥＧＴｈｕｍｂｎａｉｌ領域６２，７２から、ＪＰＥＧサムネイルデータを抽出して、これをＪＰＥＧファイル（ＪＰＥＧサムネイルファイル）（概略画像用ＪＰＥＧファイル）に格納する。このＳ７２１を完了すると、制御部１１２は、処理をＳ７２７へ進める。
　【０２５０】これに対してファイルダウンロード要求にページ番号の指定がある場合（Ｓ５２６，Ｓ７１７参照）には、制御部１１２は、Ｓ７２２において、ファイルダウンロード要求に指定されたファイル名に対応したＪＰＥＧファイル又はＴＩＦＦファイルをハードディスク１３から読み出し、指定されたページ番号の頁用のＪＰＥＧ　Ｔｈｕｍｂｎａｉｌ領域６２，７２から、ＪＰＥＧサムネイルデータを抽出して、これをＪＰＥＧファイル（ＪＰＥＧサムネイルファイル）（概略画像用ＪＰＥＧファイル）に格納する。このＳ７２２を完了すると、制御部１１２は、処理をＳ７２７へ進める。
　【０２５１】一方、ファイルダウンロード要求に指定されたファイルタイプが全データを含む画像ファイルであった場合（Ｓ５３１，Ｓ７１７参照）には、制御部１１２は、処理をＳ７１９からＳ７２３へ進める。このＳ７２３では、制御部１１２は、ファイルダウンロード要求においてコピー元として指定されたパス名及びファイル名に対応したＪＰＥＧファイル又はＴＩＦＦファイルを、ハードディスク１３から読み出す。
　【０２５２】次のＳ７２４では、制御部１１２は、Ｓ７２３にて読み出した画像ファイルがＪＰＥＧファイルであるかＴＩＦＦファイルであるかをチェックする。そして、ＴＩＦＦファイルであった場合には、処理をそのままＳ７２７へ進める。これに対して、ＪＰＥＧファイルであった場合には、制御部１１２は、Ｓ７２５において、それがＪＰＥＧマルチページファイル（図３８参照）であるかＪＰＥＧシングルページファイル（図３７参照）であるかをチェックする。そして、ＪＰＥＧシングルページファイルである場合には、制御部１１２は、処理をそのままＳ７２７へ進める。これに対して、ＪＰＥＧマルチページファイルである場合には、制御部１１２は、処理をＳ７２６へ進める。
　【０２５３】Ｓ７２６では、制御部１１２は、Ｓ７２３にて読み出したＪＰＥＧマルチページファイルを分解し、個々の頁用のＴｏｔａｌ　ＪＰＥＧ　ｄａｔａ領域６０−１〜Ｘのみからなる複数のＪＰＥＧファイルに分割する。このＳ７２６を完了すると、制御部１１２は、処理をＳ７２７へ進める。
　【０２５４】Ｓ７２７では、制御部１１２は、Ｓ７２１又はＳ７２２にて抽出したＪＰＥＧサムネールデータを格納したＪＰＥＧファイル，Ｓ７２３にて読み出したＪＰＥＧファイル又はＴＩＦＦファイル，若しくはＳ７２６にて分割した複数のＪＰＥＧファイルを、ファイルダウンロード要求元のＪａｖａアプレット１３３又はプライマリコピーシステム１’へ送信する（画像ファイル送信部，概略画像用ＪＰＥＧファイル応答部に相当）。若しくは、Ｓ７１８にてセカンダリコピーシステム１’から受信したＪＰＥＧファイル又はＴＩＦＦファイルを、ファイルダウンロード要求元のＪａｖａアプレット１３３へ送信する（概略画像用ＪＰＥＧファイル応答部に相当）。その後、制御部１１２は、Ｓ７１０において、制御部管理テーブルに記録されている自らの情報を「ビジー状態」から「空状態」に書き換えた後に、処理をＳ７０１に戻す。
　【０２５５】一方、ネットワークインタフェース部１１２から受け取ったメッセージがＪａｖａアプレット１３３又は他のコピーシステム１’からのファイルコピー要求（Ｓ５３５，Ｓ７３９参照）であった場合には、制御部１１２は、処理をＳ７０２からＳ７２８へ進める。
　【０２５６】Ｓ７２８では、制御部１１２は、ファイルコピー要求に指定されているコピー元パス名及びコピー先パス名が共に自システム内のドライブ名を含んでいるか否かをチェックする。そして、コピー元パス名及びコピー先パス名が共に自システム内のドライブ名を含んでいる場合には、制御部１１２は、Ｓ７２９において、ファイルコピー要求に指定されているコピー元パス名及びファイル名によって特定されるコピー元ファイル（ＪＰＥＧファイル又はＴＩＦＦファイル）を読み出し、これをコピー先パス名によって特定されるハードディスク１３内のディレクトリへ、書き込む。次のＳ７３０では、制御部１１２は、Ｊａｖａアプレット１３３よって直接要求された場合に限り、このＪａｖａアプレット１３３に対して、コピーを正常に受け付けた旨を応答する。
　【０２５７】これに対して、ファイルコピー要求に指定されているコピー元パス名及びコピー先パス名の何れかが他システム内のドライブを含んでいる場合には、制御部１１２は、処理をＳ７３１へ進める。Ｓ７３１では、制御部１１２は、ファイルコピー要求に指定されているコピー元パス名が自システム内のドライブ名を含んでおり且つコピー先パス名が他システム内のドライブ名を含んでいるか否かをチェックする。そして、コピー元パス名が自システム内のドライブ名を含んでおり且つコピー先パス名が他システム内のドライブ名を含んでいる場合には、制御部１１２は、Ｓ７３２において、コピー先システム（セカンダリコピーシステム）１’とリンクを行い、ファイルコピー要求に指定されているコピー元パス名及びファイル名によって特定されるコピー元ファイル（ＪＰＥＧファイル又はＴＩＦＦファイル）をハードディスク１３から読み出し、コピー先パスを指定して送信先システムへ送信する。次のＳ７３３では、制御部１１２は、Ｊａｖａアプレット１３３よって直接要求された場合に限り、このＪａｖａアプレット１３３に対して、コピーを正常に受け付けた旨を応答する。
　【０２５８】これに対して、ファイルコピー要求に指定されているコピー元パス名が他システム内のドライブ名を含んでいる場合には、制御部１１２は、処理をＳ７３４へ進める。Ｓ７３４では、制御部１１２は、ファイルコピー要求に指定されているコピー元パス名が他システム内のドライブ名を含んでおり且つコピー先パス名が自システム内のドライブ名を含んでいるか否かをチェックする。そして、コピー元パス名が他システム内のドライブ名を含んでおり且つコピー先パス名が自システム内のドライブ名を含んでいる場合には、制御部１１２は、Ｓ７３５において、コピー元システム（セカンダリコピーシステム）１’とリンクを行い、コピー元ファイル名及びパス名とコピー先パス名を指定したファイル転送要求パケットを転送する。次のＳ７３６では、制御部１１２は、Ｊａｖａアプレット１３３に対して、コピーを正常に受け付けた旨を応答する。次のＳ７３７では、制御部１１２は、Ｓ７３６にて送信したファイル転送要求パケットに対してコピー元システムが画像ファイル（ＪＰＥＧファイル又はＴＩＦＦファイル）の応答してくるのを待つ。そして、画像ファイルの応答（Ｓ７０８参照）があると、制御部１１２は、次のＳ７３８において、受信した画像ファイルのデータを、ファイルコピー要求において指定されていたコピー先パス名に対応するディレクトリに書き込む。
　【０２５９】これに対して、ファイルコピー要求に指定されているコピー先パス名が他システム内のドライブ名を含んでいる場合には、制御部１１２は、処理をＳ７３９へ進める。Ｓ７３９では、制御部１１２は、コピー元システム（セカンダリコピーシステム）１’とリンクを行い、ファイルコピー要求パケットを転送する。次のＳ７４０では、制御部１１２は、Ｊａｖａアプレット１３３に対して、コピーを正常に受け付けた旨を応答する。
　【０２６０】Ｓ７３０，Ｓ７３３，Ｓ７３８，Ｓ７４０の何れかを終了すると、制御部１１２は、Ｓ７１０において、制御部管理テーブルに記録されている自らの情報を「ビジー状態」から「空状態」に書き換えた後に、処理をＳ７０１に戻す。
　【０２６１】一方、ネットワークインタフェース部１１２から受け取ったメッセージが他のコピーシステム１’から送信された画像ファイル（Ｓ７３２参照）であった場合には、制御部１１２は、処理をＳ７０２からＳ７０６へ進める。
　【０２６２】Ｓ７０６では、制御部１１２は、受信した画像ファイルのデータを、指定されたコピー先パスに対応するディレクトリに書き込む。次のＳ７０７では、制御部１１２は、画像ファイルのデータ受信を終了したか否かをチェックする。そして、未だデータ受信を終了していない場合には処理をＳ７０６に戻し、データ受信を終了した場合には、Ｓ７１０において、制御部管理テーブルに記録されている自らの情報を「ビジー状態」から「空状態」に書き換えた後に、処理をＳ７０１に戻す。
　【０２６３】一方、ネットワークインタフェース部１１２から受け取ったメッセージが他のコピーシステム１’から送信されたファイル転送要求（Ｓ７３５参照）であった場合には、制御部１１２は、処理をＳ７０２からＳ７０８へ進める。
　【０２６４】Ｓ７０８では、制御部１１２は、ファイル転送要求に指定されているコピー元パス名及びファイル名によって特定されるコピー元ファイル（ＪＰＥＧファイル又はＴＩＦＦファイル）を読み出し、要求元であるコピー先システム（プライマリコピーシステム）へ送信する。次のＳ７０９では、制御部１１２は、ファイルの全データを送信し終えたか否かをチェックする。そして、未だ全データを送信し終えていない場合には処理をＳ７０８に戻し、全データを送信し終えた場合には、Ｓ７１０において、制御部管理テーブルに記録されている自らの情報を「ビジー状態」から「空状態」に書き換えた後に、処理をＳ７０１に戻す。
　【０２６５】一方、ネットワークインタフェース部１１２から受け取ったメッセージがＪａｖａアプレット１３３又は他のコピーシステム１’からのコピー状況確認であった場合（Ｓ５３８，Ｓ７４４参照）には、制御部１１２は、処理をＳ７０２からＳ７４１へ進める。
　【０２６６】Ｓ７４１では、制御部１１２は、コピー状況確認に指定されているコピー元パス名及びコピー先パス名が共に自システム内のドライブ名を含んでいるか否かをチェックする。そして、コピー元パス名及びコピー先パス名が共に自システム内のドライブ名を含んでいる場合には、制御部１１２は、Ｓ７４２において、コピー状況確認に指定されている処理番号，コピー元パス名及びファイル名，並びにコピー先パス名に基づいて、コピー動作の進捗状況をチェックし、その処理プログレス（％）を、Ｊａｖａアプレット１３３に対して返送する。
　【０２６７】これに対して、ファイルコピー状況確認に指定されているコピー元パス名及びコピー先パス名の何れかが他システム内のドライブを含んでいる場合には、制御部１１２は、処理をＳ７４３へ進める。Ｓ７４３では、制御部１１２は、コピー状況確認の要求元がＪａｖａアプレット１３３であるか他のコピーシステム１’であるかをチェックする。そして、要求元がＪａｖａアプレット１３３であった場合には、制御部１１２は、Ｓ７４４において、コピー先又はコピー元である他のコピーシステム１’に対して、更に、コピー状況確認パケットを送信する。次のＳ７４５では、制御部１１２は、Ｓ７４４にて送信したコピー状況確認パケットを受信したコピーシステム１’からの応答（Ｓ７４７参照）を待つ。そして応答があった場合には、制御部１１２は、処理をＳ７４６へ進める。
　【０２６８】Ｓ７４６では、制御部１１２は、コピー状況確認に指定されている処理番号，コピー元パス名及びファイル名，並びにコピー先パス名に基づいて、自システム内部におけるコピー動作の進捗状況，及び、Ｓ７４５にて他のシステムから応答されたコピー状況（処理プログレス）をチェックし、その処理プログレス（％）を、Ｊａｖａアプレット１３３に対して返送する。
　【０２６９】これに対して、コピー状況確認の要求元が他のコピーシステム（プライマリコピーシステム）１’であった場合には、制御部１１２は、Ｓ７４７において、コピー状況確認に指定されている処理番号，コピー元パス名及びファイル名，並びにコピー先パス名に基づいて、コピー動作の進捗状況をチェックし、その処理プログレス（％）を、要求元のプライマリコピーシステム１’に対して返送する。
　【０２７０】Ｓ７４２，Ｓ７４６，Ｓ７４７の何れかを終了すると、制御部１１２は、Ｓ７１０において、制御部管理テーブルに記録されている自らの情報を「ビジー状態」から「空状態」に書き換えた後に、処理をＳ７０１に戻す。
　【０２７１】一方、ネットワークインタフェース部１１２から受け取ったメッセージがＪａｖａアプレット１３３又は他のコピーシステム１’からのファイル検索要求であった場合（Ｓ５４４，Ｓ７５２参照）であった場合には、制御部１１２は、処理をＳ７０２からＳ７４８へ進める。
　【０２７２】Ｓ７４８では、制御部１１２は、ファイル検索要求に指定されている検索範囲が自システム内のものであるか他システム内のものであるかをチェックする。そして、検索範囲が他システム内のものである場合には、制御部１１２は、Ｓ７４９において、他システム（セカンダリコピーシステム）とリンクを行い、ファイル検索要求パケットを転送する。制御部１１２は、次のＳ７５０において、Ｓ７４９にて転送したファイル検索要求パケットに対する検索結果の応答（Ｓ７５１参照）を待ち、応答があると、処理をＳ７５１へ進める。
　【０２７３】これに対して、ファイル検索要求に指定されている検索範囲が自システム内のものである場合には、制御部１１２は、Ｓ７５２において、ファイル検索要求において指定された検索範囲及び検索対象ファイル名又検索対象ディレクトリ名に従って、自システム内のハードディスク１３内でファイル検索を実行する。このＳ７５２の実行後、制御部１１２は、処理をＳ７５１へ進める。
　【０２７４】Ｓ７５１では、制御部１１２は、Ｓ７５２でのファイル検索によって獲得した検索結果をファイル検索要求元のＪａｖａアプレット１３３又はプライマリコピーシステム１’へ送信する。若しくは、Ｓ７５０にてセカンダリコピーシステム１’から受信したファイル検索結果を、ファイル検索要求元のＪａｖａアプレット１３３へ送信する。その後、制御部１１２は、Ｓ７１０において、制御部管理テーブルに記録されている自らの情報を「ビジー状態」から「空状態」に書き換えた後に、処理をＳ７０１に戻す。
　【０２７５】一方、ネットワークインタフェース部１１２から受け取ったメッセージがＪａｖａアプレット１３３又は他のコピーシステム１’からのファイル削除要求であった場合（Ｓ５５０，Ｓ７５４参照）であった場合には、制御部１１２は、処理をＳ７０２からＳ７５３へ進める。
　【０２７６】Ｓ７５３では、制御部１１２は、ファイル削除要求に指定されている削除対象ファイル又はディレクトリのパス名が自システム内のドライブ名を含むか他システム内のドライブ名を含むかをチェックする。そして、パス名が他システム内のドライブ名を含む場合には、制御部１１２は、Ｓ７５４において、他システム（セカンダリコピーシステム）とリンクを行い、ファイル削除要求パケットを転送する。制御部１１２は、次のＳ７５５において、Ｓ７５４にて転送したファイル削除要求パケットに対する削除結果の応答（Ｓ７５６参照）を待ち、応答があると、処理をＳ７５６へ進める。
　【０２７７】これに対して、ファイル削除要求に指定されている削除対象ファイル又はディレクトリのパス名が自システム内のドライブ名を含む場合には、制御部１１２は、Ｓ７５７において、ファイル削除要求において指定されたパス名及び削除対象ファイル名又はディレクトリ名に従って、削除対象ファイル又は削除対象ディレクトリを削除する。このＳ７５７の実行後、制御部１１２は、処理をＳ７５６へ進める。
　【０２７８】Ｓ７５６では、制御部１１２は、Ｓ７５７での削除の結果（削除されたファイル又はディレクトリが格納されているドライブの空きディスク容量及び総ディスク容量の情報を含む）をファイル削除要求元のＪａｖａアプレット１３３又はプライマリコピーシステム１’へ送信する。若しくは、Ｓ７５５にてセカンダリコピーシステム１’から受信したファイル削除結果を、ファイル削除要求元のＪａｖａアプレット１３３へ送信する。その後、制御部１１２は、Ｓ７１０において、制御部管理テーブルに記録されている自らの情報を「ビジー状態」から「空状態」に書き換えた後に、処理をＳ７０１に戻す。
　【０２７９】一方、ネットワークインタフェース部１１２から受け取ったメッセージがＪａｖａアプレット１３３又は他のコピーシステム１’からのファイルリネーム要求であった場合（Ｓ５５７，Ｓ７５９参照）であった場合には、制御部１１２は、処理をＳ７０２からＳ７５８へ進める。
　【０２８０】Ｓ７５８では、制御部１１２は、ファイルリネーム要求に指定されているリネーム対象ファイル又はディレクトリのパス名が自システム内のドライブ名を含むか他システム内のドライブ名を含むかをチェックする。そして、パス名が他システム内のドライブ名を含む場合には、制御部１１２は、Ｓ７５９において、他システム（セカンダリコピーシステム）とリンクを行い、ファイルリネーム要求パケットを転送する。制御部１１２は、次のＳ７６０において、Ｓ７５９にて転送したファイルリネーム要求パケットに対するリネーム結果の応答（Ｓ７６１参照）を待ち、応答があると、処理をＳ７６１へ進める。
　【０２８１】これに対して、ファイルリネーム要求に指定されているリネーム対象ファイル又はディレクトリのパス名が自システム内のドライブ名を含む場合には、制御部１１２は、Ｓ７６２において、ファイルリネーム要求において指定されたパス名及びリネーム対象ファイル名又はディレクトリ名に従って、リネーム対象ファイル又はリネーム対象ディレクトリを特定し、その名称をファイルリネーム要求に指定された新名称に変更する。このＳ７６２の実行後、制御部１１２は、処理をＳ７６１へ進める。
　【０２８２】Ｓ７６１では、制御部１１２は、Ｓ７６２でのリネームの結果（正常にリネームが完了した旨）をファイルリネーム要求元のＪａｖａアプレット１３３又はプライマリコピーシステム１’へ送信する。若しくは、Ｓ７６０にてセカンダリコピーシステム１’から受信したファイルリネーム結果を、ファイルリネーム要求元のＪａｖａアプレット１３３へ送信する。その後、制御部１１２は、Ｓ７１０において、制御部管理テーブルに記録されている自らの情報を「ビジー状態」から「空状態」に書き換えた後に、処理をＳ７０１に戻す。
　【０２８３】（動作例）次に、上述した構成を有する本実施例によるネットワークコピーファイル管理システムの動作例を、具体的に行う。なお、以下の説明においては、オペレータの操作するクライアント端末２の近所に第１のコピーシステム１が設置されており、遠隔地に第２のコピーシステム１’が設置されているものとする。そのため、オペレータは、第１のコピーシステム１のスキャナ２０に原稿をセットしてそのタッチパネル１８及びキーボード２３を操作することになるので、この第１のコピーシステム１が「プライマリコピーシステム」となり、第２のコピーシステム１’が「セカンダリコピーシステム」となるものとする。
　【０２８４】＜スキャンモードでの画像ファイルの格納＞最初に、プライマリコピーシステム１をスキャンモードに設定して原稿を読み込んだ場合の動作を、図４６のタイムチャートを参照して説明する。この場合、動作の前提として、オペレータは、タッチパネル１８に表示されているスキャンモードボタン５３を押下し、その結果として表示されるスキャンモード基本操作画面（図３６）上で各種のパラメータを設定するとともに、スキャナ２０のフラットベット又はＡＤＦに原稿をセットする。
　【０２８５】このような準備を行った後でオペレータがキーボード２３中のスタートキーを押下すると、オペレーションパネル部１１８は、これらのパラメータ及びスタートキーが押下された旨を含んだキー情報メッセージを、マネジメント部１１４対して送信する（Ｓ００６）。このキー情報メッセージを受け取ったマネジメント部１１４は、このキー情報メッセージに含まれていた各パラメータを保持しつつ、スキャナ部１１５に対して、スキャナ動作確認要求メッセージを送信する（Ｓ１１４）。このスキャナ動作確認要求メッセージを受信したスキャナ部１１５は、スキャナ２０がビジー状態であるかアイドル状態であるかを、マネジメント部１１４に対して応答する（Ｓ２０３）。この応答を受け取ったマネジメント部１１４は、応答がビジー状態であった場合にはビジーを表示するための表示番号を設定した表示切替メッセージを、また、応答がアイドル状態であった場合にはスキャン中を表示するための表示番号を設定した表示切替メッセージを、オペレーションパネル部１１８へ送信する（Ｓ１２２，Ｓ１２４）。この表示切替メッセージを受信したオペレーションパネル部１１８は、ＬＣＤ１９上に、表示番号に従った表示を行う（Ｓ００８）。
　【０２８６】また、スキャナ部１１５からの応答がアイドル状態であった場合には、マネジメント部１１４は、ＨＤＤ制御部１１３に対して、キー情報メッセージに含まれていた各種パラメータを付した「スキャン及びＨＤＤ格納依頼メッセージ」を送信する（Ｓ１２３）。マネジメント部１１４から「スキャン及びＨＤＤ格納依頼メッセージ」を受け取ったＨＤＤ制御部１１３は、スキャナ部１１５に対して、「スキャン及びＨＤＤ格納依頼メッセージ」に付されていた各種パラメータを付したスキャン要求メッセージを送信する（Ｓ３０３）。すると、スキャナ部１１５は、スキャン要求メッセージに付されていた各種パラメータに従って、スキャナ２０のフラットベット又はＡＤＦにセットされている原稿の一頁毎に、スキャンの実行をスキャナ２０に指示する（Ｓ２１１）。
　【０２８７】そして、スキャナ部１１５は、スキャナ２０から所定ライン分のスキャンデータを受信する毎に、受信したスキャンデータをＨＤＤ制御部１１３へ送信する（Ｓ２１３）。そして、各頁の最終ラインを含むスキャンデータを送信し終わると、スキャナ部１１５は、ＨＤＤ制御部１１３に対してスキャン終了メッセージを送信するとともに（Ｓ２１７，Ｓ２１８）、残頁がない場合には、マネジメント部１１４に対して処理終了メッセージを送信する（Ｓ２１９）。ＨＤＤ制御部１１３は、「スキャン及びＨＤＤ格納依頼メッセージ」中のファイルタイプパラメータに応じて、ＪＰＥＧファイル又はＴＩＦＦファイルを作成する。何れの画像ファイルにおいても、原稿が複数頁である場合には、スキャナ部１１５から受信したスキャンデータに基づいて各頁についての画像データ（ＪＰＥＧデータ又は２４ビットＲＧＢデータ）を作成して、画像ファイル内に格納する。さらに、各頁について、夫々、スキャンデータの解像度を落としてＪＰＥＧ圧縮したＪＰＥＧサムネイルデータを作成して、画像ファイル内に格納する。このようにして画像ファイルを作成すると、ＨＤＤ制御部１１３は、マネジメント部１１４に対して処理終了メッセージを送信する（Ｓ３６３，Ｓ３７４）。
　【０２８８】スキャナ部１１５及びＨＤＤ制御部１１３の双方から処理終了メッセージを受信したマネジメント部１１４は、通常のスキャンモード基本操作画面を表示するための表示番号を設定した表示切替メッセージを、オペレーションパネル部１１８へ送信する（Ｓ１０５）。この表示切替メッセージを受信したオペレーションパネル部１１８は、ＬＣＤ１９上に、元のスキャンモード基本操作画面を表示する（Ｓ００８）。
　【０２８９】＜クライアント端末からのファイル操作＞次に、クライアント端末のウェッブブラウザ３０１からプライマリコピーシステム１へのファイル操作の場合の動作を説明する。この場合、オペレータは、クライアント端末２上にウェッブブラウザ３０１を立ち上げ、このウェッブブラウザ３０１上でプライマリコピーシステム１の“ＷｅｂＥｘｐｌｏｒｅ”のＵＲＬを入力して、通信部３０２を介して、ネットワークＮＷへ送出する（Ｓ４０１）。すると、プライマリコピーシステム１のコピーサーバ１０内で実行されているネットワークインタフェース部１１１がこのＵＲＬを受信して、制御部管理テーブルにおいて空状態として管理されている何れかの制御部１１２に対して、このＵＲＬを渡す（Ｓ６０１〜Ｓ６０４）。
　【０２９０】すると、この制御部１１２は、自システム１に画像ファイルの送受信先として登録されている他のコピーシステム（セカンダリコピーシステム）１’及び他のクライアント端末２のＩＰアドレス及び名称についての情報やＪａｖａアプレットのクラスファイル名称等を含むハイパーテキストデータ“ＷｅｂＥｘｐｌｏｒｅ．ｈｔｍｌ”をダイナミックに作成し（Ｓ７０３）、このハイパーテキストデータ“ＷｅｂＥｘｐｌｏｒｅ．ｈｔｍｌ”をクライアント端末２のウェッブブラウザ３０１に送信する（Ｓ７０４）。
　【０２９１】このハイパーテキストデータ“ＷｅｂＥｘｐｌｏｒｅ．ｈｔｍｌ”を受信したウェッブブラウザ３０１は、このハイパーテキストデータ“ＷｅｂＥｘｐｌｏｒｅ．ｈｔｍｌ”内にそのアプレットクラスファイル名称が記載されているＪａｖａアプレットのクラスファイルを、サーバ１０に要求する（Ｓ４０３）。この要求を受信したネットワークインタフェース部１１１は、待ち状態にある何れかの制御部１１２に、その要求を渡す（Ｓ６０１〜Ｓ６０４）。このクラスファイルの要求を受け取った制御部１１２は、指定されたアプレットクラスファイル名称に従って、要求されたクラスファイルを順次ハードディスク１３から読み出して、クライアント端末２のウェッブブラウザ３０１に送信する（Ｓ７０５）。
　【０２９２】このようにして起動に必要な全クラスファイルがクライアント端末２のＲＡＭ３２上に揃うと、ウェッブブラウザ３０１は、そのＪａｖａアプレット１３３を起動する（Ｓ４０５）。このＪａｖａアプレット１３３は、ウェッブブラウザ３０１による表示画面中の指定された領域に、図４２に示す初期画面８０を表示する。
　【０２９３】〔ファイルリスト表示〕次に、初期画面が表示されている状態下、ファイルリスト表示が選択されて（Ｓ５０５）、何れかのディレクトリ名がクリックされた場合における動作を、説明する。
　【０２９４】・プライマリコピーシステム１内のディレクトリ名がクリックされた場合初期画面８０の左側の窓８５中に表示されているプライマリコピーシステム１又はその下層のディレクトリ名をオペレータがクリックすると、図４７に示されるように、Ｊａｖａアプレット１３３は、プライマリコピーシステム１に対して、クリックされたディレクトリ名に対応したパス名を指定したファイルリスト要求パケットを、送信する（Ｓ５０８）。このファイルリスト要求パケットを受信したプライマリコピーシステム１の制御部１１２は、ハードディスク１３から、ファイルリスト要求パケット内において指定されたパス名に対応するディレクトリ内のファイル情報（サブディレクトリ名，並びに、各画像ファイルのファイル名，ファイルサイズ，タイムスタンプ，ファイル属性及び頁数）を読み出して（Ｓ７１４）、このファイル情報を要求元のＪａｖａアプレット１３３へ応答する（Ｓ７１５）。このファイル情報を受信したＪａｖａアプレット１３３は、初期画面の左側の窓８５におけるオペレータによってクリックされたディレクトリ名の下階層に、受信したファイル情報に基づいたサブディレクトリ名のツリー表示を行う（Ｓ５１０）。同時に、ＨＤＤ制御部１１３は、図４４に示されるように、初期画面の右側の窓８６内に、受信したファイル情報の一覧表示（ファイルリスト表示）を行う（Ｓ５１２）。
　【０２９５】・セカンダリコピーシステム１’内のディレクトリ名がクリックされた場合初期画面８０の左側の窓８５中に表示されている何れかのセカンダリコピーシステム１’又はその下層のディレクトリ名をオペレータがクリックすると、図４８に示されるように、Ｊａｖａアプレット１３３は、プライマリコピーシステム１に対して、クリックされたディレクトリ名に対応したパス名を指定したファイルリスト要求パケットを、送信する（Ｓ５０８）。
　【０２９６】このファイルリスト要求パケットを受信したプライマリコピーシステム１の制御部１１２は、ファイルリスト要求パケット内において指定されたパス名に対応するセカンダリコピーシステム１’に対して、ファイルリスト要求パケットを転送する（Ｓ７１２）。
　【０２９７】このファイルリスト要求パケットを受信したセカンダリコピーシステム１’の制御部１１２は、ハードディスク１３から、ファイルリスト要求パケット内において指定されたパス名に対応するディレクトリ内のファイル情報（サブディレクトリ名，並びに、各画像ファイルのファイル名，ファイルサイズ，タイムスタンプ，ファイル属性及び頁数）を読み出して（Ｓ７１４）、このファイル情報を要求元のプライマリコピーシステム１へ応答する（Ｓ７１５）。
　【０２９８】このファイル情報の応答を受信したプライマリコピーシステム１の制御部１１２は、受信したファイル情報を、要求元のＪａｖａアプレット１３３へ応答する（Ｓ７１５）。このファイル情報を受信したＪａｖａアプレット１３３は、初期画面の左側の窓８５におけるオペレータによってクリックされたディレクトリ名の下階層に、受信したファイル情報に基づいたサブディレクトリ名のツリー表示を行う（Ｓ５１０）。同時に、ＨＤＤ制御部１１３は、図４４に示されるように、初期画面の右側の窓８６内に、受信したファイル情報の一覧表示（ファイルリスト表示）を行う（Ｓ５１２）。
　【０２９９】〔サムネイル表示〕次に、初期画面が表示されている状態下、サムネイル表示が選択されて（Ｓ５０５）、何れかのディレクトリ名がクリックされた場合における動作を、説明する。
　【０３００】・プライマリコピーシステム１内のディレクトリ名がクリックされた場合初期画面８０の左側の窓８５中に表示されているプライマリコピーシステム１又はその下層のディレクトリ名をオペレータがクリックすると、図４９に示されるように、ファイルリスト表示の場合と同様にして、ファイル情報がＪａｖａアプレット１３３へ応答され、初期画面８０の左側の窓８５中にツリー表示がなされる（Ｓ５０８，Ｓ７１４，Ｓ７１５、Ｓ５０９，Ｓ５１０）。
　【０３０１】次に、Ｊａｖａアプレット１３３は、受信したファイル情報中に含まれるファイル名のうち最初のものについて、表示タイプパラメータをサムネイルと設定するとともにパス名及びそのファイル名を設定したファイルダウンロード要求パケットを、プライマリコピーシステム１に対して送信する（Ｓ５１５）。このファイルダウンロード要求パケットを受信したプライマリコピーシステム１の制御部１１２は、ファイルダウンロード要求パケット内において指定されたパス名及びファイル名に対応する画像ファイルをハードディスク１３内から読み出すとともに、その画像ファイル中の最初の頁のＪＰＥＧサムネイルデータを抽出し、そのＪＰＥＧサムネイルデータを格納したＪＰＥＧサムネイルファイルを、要求元のＪａｖａアプレット１３３へ送信する（Ｓ７２１，Ｓ７２７）。なお、ファイル情報中に複数のファイル名が含まれる場合には、最初のファイル名から所定個数（予めオペレータによって設定されている表示サムネイル数と同個数）のファイル名について、夫々、上述したファイルダウンロード要求パケット送信（Ｓ５１５）及びＪＰＥＧサムネイルファイルの送信（Ｓ７２７）が、繰り返される。
　【０３０２】所定個数又はファイル情報中の全てのファイル名についてＪＰＥＧサムネイルファイルを受信すると、Ｊａｖａアプレット１３３は、図４５に示すように、受信してセーブしておいた各ＪＰＥＧサムネイルファイルに基づいて、初期画面８０の右側の窓８６内に、サムネイルの表示を行う。
　【０３０３】・セカンダリコピーシステム１’内のディレクトリ名がクリックされた場合初期画面８０の左側の窓８５中に表示されている何れかのセカンダリコピーシステム１’又はその下層のディレクトリ名をオペレータがクリックすると、図５０に示されるように、ファイルリスト表示の場合と同様にして、ファイル情報がＪａｖａアプレット１３３へ応答され、初期画面８０の左側の窓８５中にツリー表示がなされる（Ｓ５０８，Ｓ７１２，Ｓ７１４，Ｓ７１５、Ｓ５０９，Ｓ５１０）。
　【０３０４】次に、Ｊａｖａアプレット１３３は、受信したファイル情報中に含まれるファイル名のうち最初のものについて、表示タイプパラメータをサムネイルと設定するとともにパス名及びそのファイル名を設定したファイルダウンロード要求パケットを、プライマリコピーシステム１に対して送信する（Ｓ５１５）。
　【０３０５】このファイルダウンロード要求パケットを受信したプライマリコピーシステム１の制御部１１２は、ファイルダウンロード要求パケット内において指定されたパス名に対応するセカンダリコピーシステム１’に対して、ファイルダウンロード要求パケットを転送する（Ｓ７１７）。
　【０３０６】このファイルダウンロード要求パケットを受信したセカンダリコピーシステムは、ファイルダウンロード要求パケット内において指定されたパス名及びファイル名に対応する画像ファイルをハードディスク１３内から読み出すとともに、その画像ファイル中の最初の頁のＪＰＥＧサムネイルデータを抽出し、そのＪＰＥＧサムネイルデータを格納したＪＰＥＧサムネイルファイルを、要求元のプライマリコピーシステム１へ送信する（Ｓ７２１，Ｓ７２７）。
　【０３０７】このＪＰＥＧサムネイルファイルを受信したプライマリコピーシステム１の制御部１１２は、受信したＪＰＥＧサムネイルファイルを、要求元のＪａｖａアプレット１３３へ送信する（Ｓ７２７）。
　【０３０８】なお、ファイル情報中に複数のファイル名が含まれる場合には、最初のファイル名から所定個数（予めオペレータによって設定されている表示サムネイル数と同個数）のファイル名について、夫々、上述したファイルダウンロード要求パケットの送信及び転送（Ｓ５１５，Ｓ７１７）及びＪＰＥＧサムネイルファイルの送信（Ｓ７２７）が、繰り返される。
　【０３０９】所定個数又はファイル情報中の全てのファイル名についてＪＰＥＧサムネイルファイルを受信すると、Ｊａｖａアプレット１３３は、図４５に示すように、受信してセーブしておいた各ＪＰＥＧサムネイルファイルに基づいて、初期画面８０の右側の窓８６内に、サムネイルの表示を行う。
　【０３１０】〔ファイルコピー〕次に、ファイルリスト表示又はサムネイル表示がなされている状態下、何れかのファイル名がドラッグされて、何れかのディレクトリ名上にドロップされた場合における動作を、説明する。
　【０３１１】・ドラッグされたファイル名のディレクトリがプライマリコピーシステム１内であり且つドロップされたディレクトリがマイコンピュータ又はその下層のディレクトリであった場合この場合、図５１に示されるように、Ｊａｖａアプレット１３３は、ドラッグされたファイル名及びそのパス名をコピー元として設定するとともにドロップされた自クライアント端末２内のディレクトリに対応するパス名をコピー先として設定したファイルダウンロード要求パケットを、プライマリコピーシステム１に対して送信する（Ｓ５３１）。
　【０３１２】このファイルダウンロード要求パケットを受信したプライマリコピーシステム１の制御部１１２は、ファイルダウンロード要求パケット内においてコピー元として指定されたパス名及びファイル名に対応する画像ファイルをハードディスク１３内から読み出して（Ｓ７２３）、要求元のＪａｖａアプレット１３３に対して送信する（Ｓ７２７）。
　【０３１３】この画像ファイルを受信したＪａｖａアプレット１３３は、受信した画像ファイルを、ハードディスク３８において、コピー先として指定されたパス名に対応するディレクトリへ書き込む（Ｓ５３３）。
　【０３１４】・ドラッグされたファイル名のディレクトリがプライマリコピーシステム１内であり且つドロップされたディレクトリがプライマリコピーシステム１内であった場合この場合、図５２に示されるように、Ｊａｖａアプレット１３３は、ドラッグされたファイル名及びそのパス名をコピー元として設定するとともにドロップされたプライマリコピーシステム１内のディレクトリに対応するパス名をコピー先として設定したファイルダウンロード要求パケットを、プライマリコピーシステム１に対して送信する（Ｓ５３１）。
　【０３１５】このファイルダウンロード要求パケットを受信したプライマリコピーシステム１の制御部１１２は、ファイルダウンロード要求パケット内においてコピー元として指定されたパス名及びファイル名に対応する画像ファイルをハードディスク１３内から読み出して、ハードディスク１３内において、コピー先として指定されたパス名に対応するディレクトリへ書き込む（Ｓ７２９）。同時に、制御部１１２は、要求元のＪａｖａアプレット１３３に対してコピーを受け付けた旨を応答する（Ｓ７３０）。
　【０３１６】この応答を受信したＪａｖａアプレット１３３は、コピー元のファイル名及びパス名とコピー先のパス名とを設定したコピー状況確認パケットを、プライマリコピーシステム１に対して送信する（Ｓ５３８）。
　【０３１７】このコピー状況確認パケットを受信したプライマリコピーシステム１の制御部１１２は、コピー進捗状況（エラー又はプログレス情報）を、要求元のＪａｖａアプレット１３３に対して返送する（Ｓ７４２）。
　【０３１８】このコピー進捗状況を受信したＪａｖａアプレット１３３は、コピー進捗状況に従って、エラー表示（Ｓ５４２），継続中表示（Ｓ５４０）又は終了表示（Ｓ５４１）を行う。
　【０３１９】・ドラッグされたファイル名のディレクトリがプライマリコピーシステム１内であり且つドロップされたディレクトリがセカンダリコピーシステム１’内であった場合この場合、図５３に示されるように、Ｊａｖａアプレット１３３は、ドラッグされたファイル名及びそのパス名をコピー元として設定するとともにドロップされたセカンダリコピーシステム１’内のディレクトリに対応するパス名をコピー先として設定したファイルダウンロード要求パケットを、プライマリコピーシステム１に対して送信する（Ｓ５３１）。
　【０３２０】このファイルダウンロード要求パケットを受信したプライマリコピーシステム１の制御部１１２は、ファイルダウンロード要求パケット内においてコピー元として指定されたパス名及びファイル名に対応する画像ファイルをハードディスク１３内から読み出して、コピー先パス名の情報を付して、コピー先パス名に対応するセカンダリコピーシステム１’に対して送信する（Ｓ７３２）。
　【０３２１】この送信ファイルを受信したセカンダリコピーシステム１’の制御部１１２は、受信した画像ファイルを、ハードディスク１３内において、コピー先として指定されたパス名に対応するディレクトリへ書き込む（Ｓ７０６）。
　【０３２２】同時に、プライマリコピーシステム１の制御部１１２は、要求元のＪａｖａアプレット１３３に対してコピーを受け付けた旨を応答する（Ｓ７３３）。
　【０３２３】この応答を受信したＪａｖａアプレット１３３は、コピー元のファイル名及びパス名とコピー先のパス名とを設定したコピー状況確認パケットを、プライマリコピーシステム１に対して送信する（Ｓ５３８）。
　【０３２４】このコピー状況確認パケットを受信したプライマリコピーシステム１の制御部１１２は、コピー先として指定されたパス名に対応するセカンダリコピーシステム１’に対して、コピー状況確認パケットを送信する（Ｓ７４４）。
　【０３２５】このコピー状況確認パケットを受信したセカンダリコピーシステム１’の制御部１１２は、コピー進捗状況（エラー又はプログレス情報）を、要求元のプライマリコピーシステム１に対して返送する（Ｓ７４７）。
　【０３２６】このコピー進捗状況を受信したプライマリコピーシステム１の制御部１１２は、受信したセカンダリコピーシステム１’のコピー進捗状況及び自システム内におけるコピー進捗状況に基づいてトータルのコピー進捗状況（エラー又はプログレス情報）を決定し、このコピー進捗状況を要求元のＪａｖａアプレット１３３に対して返送する（Ｓ７４６）。
　【０３２７】このコピー進捗状況を受信したＪａｖａアプレット１３３は、コピー進捗状況に従って、エラー表示（Ｓ５４２），継続中表示（Ｓ５４０）又は終了表示（Ｓ５４１）を行う。
　【０３２８】〔ファイル検索〕次に、ファイルリスト表示又はサムネイル表示がなされている状態下、図示せぬ検索ダイアログ中に検索対象ファイル名又はディレクトリ名及び検索範囲が入力された場合における動作を、説明する。
　【０３２９】・入力された検索範囲がプライマリコピーシステム１内であった場合この場合、図５４に示されるように、Ｊａｖａアプレット１３３は、入力されたプライマリコピーシステム１内の検索範囲及び検索対象ファイル名又はディレクトリ名を設定したファイル検索要求パケットを、プライマリコピーシステム１に対して送信する（Ｓ５４４）。
　【０３３０】このファイル検索要求パケットを受信したプライマリコピーシステム１の制御部１１２は、ファイル検索要求パケット内において指定された検索範囲内で、指定された検索対象ファイル名を有するファイル又は指定された検索対象ディレクトリ名を有するディレクトリを検索する（Ｓ７５２）。そして、その検索結果をＪａｖａアプレット１３３へ応答する（Ｓ７５１）。
　【０３３１】この検索結果を受信したＪａｖａアプレット１３３は、受信した検索結果を表示する（Ｓ５４７）。
　【０３３２】・入力された検索範囲がセカンダリコピーシステム１’内であった場合この場合、図５５に示されるように、Ｊａｖａアプレット１３３は、入力されたセカンダリコピーシステム１’内の検索範囲及び検索対象ファイル名又はディレクトリ名を設定したファイル検索要求パケットを、プライマリコピーシステム１に対して送信する（Ｓ５４４）。
　【０３３３】このファイル検索要求パケットを受信したプライマリコピーシステム１の制御部１１２は、ファイル検索要求パケットをセカンダリコピーシステム１’へ転送する（Ｓ７４９）。
　【０３３４】このファイル検索要求パケットを受信したセカンダリコピーシステム１’の制御部１１２は、ファイルダ検索要求パケット内において指定された検索範囲内で、指定された検索対象ファイル名を有するファイル又は指定された検索対象ディレクトリ名を有するディレクトリを検索する（Ｓ７５２）。そして、その検索結果を要求元のプライマリコピーシステム１へ応答する（Ｓ７５１）。
　【０３３５】この検索結果を受信したプライマリコピーシステム１の制御部１１２は、その検索結果をＪａｖａアプレット１３３へ転送する（Ｓ７５１）。
　【０３３６】この検索結果を受信したＪａｖａアプレット１３３は、受信した検索結果を表示する（Ｓ５４７）。
　【０３３７】〔ファイル削除〕次に、ファイルリスト表示又はサムネイル表示がなされている状態下、何れかのファイル名又はサムネイルがクリックされた後に、メニューバー８３から「ファイル」の「削除」がクリックされた場合，若しくは削除ボタン８３ｄがクリックされた場合における動作を、説明する。
　【０３３８】・クリックされた削除対象ファイル又は削除対象ディレクトリがプライマリコピーシステム１内であった場合この場合、図５６に示されるように、Ｊａｖａアプレット１３３は、クリックされた削除対象ファイル名又は削除対象ディレクトリ名及びそのパス名を設定したファイル削除要求パケットを、プライマリコピーシステム１に対して送信する（Ｓ５５０）。
　【０３３９】このファイル削除要求パケットを受信したプライマリコピーシステム１の制御部１１２は、ハードディスク１３から、ファイルダ削除要求パケットによって指定されたパス名及び削除対象ファイル名又は削除対象ディレクトリ名に対応する削除対象ファイル又は削除対象ディレクトリを削除する（Ｓ７５７）。そして、その削除結果（パス名によって特定されるディレクトリが使用可能な空きディスクスペース及び総ディスクスペースの情報を含む）を、Ｊａｖａアプレット１３３へ応答する（Ｓ７５６）。
　【０３４０】この削除結果を受信したＪａｖａアプレット１３３は、受信した削除結果中の空きディスク容量を、ステータスバー８４上に表示する（Ｓ５５４）。
　【０３４１】・クリックされた削除対象ファイル又は削除対象ディレクトリがセカンダリコピーシステム１’内であった場合この場合、図５７に示されるように、Ｊａｖａアプレット１３３は、クリックされた削除対象ファイル名又は削除対象ディレクトリ名及びそのパス名を設定したファイル削除要求パケットを、プライマリコピーシステム１に対して送信する（Ｓ５５０）。
　【０３４２】このファイル削除要求パケットを受信したプライマリコピーシステム１の制御部１１２は、ファイル削除要求パケットをセカンダリコピーシステム１’へ転送する（Ｓ７５４）。
　【０３４３】このファイル削除要求パケットを受信したセカンダリコピーシステム１’の制御部１１２は、ハードディスク１３から、ファイルダ削除要求パケットによって指定されたパス名及び削除対象ファイル名又は削除対象ディレクトリ名に対応する削除対象ファイル又は削除対象ディレクトリを削除する（Ｓ７５７）。そして、その削除結果（パス名によって特定されるディレクトリが使用可能な空きディスクスペース及び総ディスクスペースの情報を含む）を、要求元のプライマリコピーシステム１へ応答する（Ｓ７５６）。
　【０３４４】この削除結果を受信したプライマリコピーシステム１の制御部１１２は、その削除結果をＪａｖａアプレット１３３へ転送する（Ｓ７５６）。
　【０３４５】この削除結果を受信したＪａｖａアプレット１３３は、受信した削除結果中の空きディスク容量を、ステータスバー８４上に表示する（Ｓ５５４）。
　【０３４６】〔ファイルリネーム〕次に、ファイルリスト表示又はサムネイル表示がなされている状態下、何れかのファイル名又はサムネイルがクリックされた後に、メニューバー８３から「ファイル」の「削除」がクリックされ，若しくは削除ボタン８３ｄがクリックされ、更に、新たなファイル名又はディレクトリ名が入力された場合における動作を、説明する。
　【０３４７】・クリックされたリネーム対象ファイル又はリネーム対象ディレクトリがプライマリコピーシステム１内であった場合この場合、図５８に示されるように、Ｊａｖａアプレット１３３は、クリックされたリネーム対象ファイル名又はリネーム対象ディレクトリ名，そのパス名及び新たなファイル名又はディレクトリ名を設定したファイルリネーム要求パケットを、プライマリコピーシステム１に対して送信する（Ｓ５５７）。
　【０３４８】このファイルリネーム要求パケットを受信したプライマリコピーシステム１の制御部１１２は、ハードディスク１３内において、ファイルリネーム要求パケットによって指定されたパス名及びリネーム対象ファイル名又はリネーム対象ディレクトリ名に対応するファイル又はディレクトリの名称を、ファイルリネーム要求パケットによって指定された新たな名称に変更する（Ｓ７６２）。そして、そのリネーム結果を、Ｊａｖａアプレット１３３へ応答する（Ｓ７６１）。
　【０３４９】このリネーム結果を受信したＪａｖａアプレット１３３は、受信したリネーム結果に応じて、リネーム対象ファイル又はリネーム対象ディレクトリについて表示されている名称をリニューする（Ｓ５６１）。
　【０３５０】・クリックされたリネーム対象ファイル又はリネーム対象ディレクトリがセカンダリコピーシステム１’内であった場合この場合、図５９に示されるように、Ｊａｖａアプレット１３３は、クリックされたリネーム対象ファイル名又はリネーム対象ディレクトリ名，そのパス名及び新たなファイル名又はディレクトリ名を設定したファイルリネーム要求パケットを、プライマリコピーシステム１に対して送信する（Ｓ５５７）。
　【０３５１】このファイルリネーム要求パケットを受信したプライマリコピーシステム１の制御部１１２は、ファイルリネーム要求パケットをセカンダリコピーシステム１’へ転送する（Ｓ７５９）。
　【０３５２】このファイルリネーム要求パケットを受信したセカンダリコピーシステム１’の制御部１１２は、ハードディスク１３内において、ファイルリネーム要求パケットによって指定されたパス名及びリネーム対象ファイル名又はリネーム対象ディレクトリ名に対応するファイル又はディレクトリの名称を、ファイルリネーム要求パケットによって指定された新たな名称に変更する（Ｓ７６２）。そして、そのリネーム結果を、要求元のプライマリコピーシステム１へ応答する（Ｓ７６１）。
　【０３５３】このリネーム結果を受信したプライマリコピーシステム１の制御部１１２は、そのリネーム結果をＪａｖａアプレット１３３へ転送する（Ｓ７６１）。
　【０３５４】このリネーム結果を受信したＪａｖａアプレット１３３は、受信したリネーム結果に応じて、リネーム対象ファイル又はリネーム対象ディレクトリについて表示されている名称をリニューする（Ｓ５６１）。
　【０３５５】＜実施形態による効果＞以上説明したように、本実施形態のネットワークコピーファイル管理システムによると、オペレータがコピーサーバ１０のタッチパネル１８からスキャンモード選択ボタン５３を押下して、キーボード２３中のスタートキーを押下すると、スキャナ２０のフラットベット又はＡＤＦにセットされている原稿が読み取られるが、直ちにプリンタ２１において用紙上に印字されることなく、読み取って得られた画像データが画像ファイル（ＪＰＥＧファイル又はＴＩＦＦファイル）に格納されて、ハードディスク１３内に保存される。そのうえで、オペレータがＪａｖａアプレット１３３のクラスファイルをこのコピーサーバ１０からダウンロードして、Ｊａｖａアプレット１３３を実行することにより、このコピーサーバ１０のハードディスク１３に格納されている各画像ファイルの管理情報（ファイル名，ファイルサイズ，タイムスタンプ，ファイル属性，その画像ファイルに格納されている画像データの頁数）や各画像ファイルに格納されている画像データの概略画像（サムネイル）を、選択的に、クライアント端末のディスプレイ４０上に表示することができる。更に、コピーサーバ１０のハードディスク１３内に格納されている特定の画像ファイル自体をクライアント端末２にダウンロードすることができる。よって、クライアント端末２のオペレータは、その画像ファイル内に格納されている画像データに基づく実際の画像を、クライアント端末１のディスプレイ４０上に表示して、その状態（濃度，解像度，配置，色合い，等）を確認することができる。
　【０３５６】
　【発明の効果】以上のように構成された本発明によると、原稿を読み取ることによってコピーシステムの画像読取部が得た画像データを画像ファイルとしてコピーシステム内のディスクに保存するとともに、コンピュータネットワークを介してこのコピーシステムに接続された端末からの要求に応じて、要求された範囲内の複数の画像ファイルの管理情報を端末の表示部上に表示させることができる。このように表示された複数の管理情報のうち何れかの管理情報がオペレータによって特定されると、特定された管理情報に対応する画像ファイルのダウンロードがコピーシステムに要求されるので、要求された画像ファイルを端末にダウンロードすることができる。その結果、端末の画面上でその画像ファイル中の画像データに基づく画像表示を行うことができるので、プリンタによる用紙への印字前に、その画像の状態を確認することができる。
【図面の簡単な説明】
　【図１】本発明の実施の形態であるネットワークファイル管理システムの概略構成図。
　【図２】図１に示すクライアント端末の回路構成を示すブロック図。
　【図３】図１に示す各コピーシステムのコピーサーバ上及びクライアント端末上で夫々実行されるタスクを示すプログラム構成図。
　【図４】オペレーションパネル部が実行する処理を示すフローチャート。
　【図５】マネジメント部が実行する処理を示すフローチャート。
　【図６】マネジメント部が実行する処理を示すフローチャート。
　【図７】スキャナ部が実行する処理を示すフローチャート。
　【図８】スキャナ部が実行する処理を示すフローチャート。
　【図９】ＨＤＤ制御部が実行する処理を示すフローチャート。
　【図１０】ＨＤＤ制御部が実行する処理を示すフローチャート。
　【図１１】ＨＤＤ制御部が実行する処理を示すフローチャート。
　【図１２】ＨＤＤ制御部が実行する処理を示すフローチャート。
　【図１３】ＨＤＤ制御部が実行する処理を示すフローチャート。
　【図１４】ＨＤＤ制御部が実行する処理を示すフローチャート。
　【図１５】ＨＤＤ制御部が実行する処理を示すフローチャート。
　【図１６】ウェッブブラウザが実行する処理を示すフローチャート。
　【図１７】Ｊａｖａアプレットが実行する処理を示すフローチャート。
　【図１８】Ｊａｖａアプレットが実行する処理を示すフローチャート。
　【図１９】Ｊａｖａアプレットが実行する処理を示すフローチャート。
　【図２０】Ｊａｖａアプレットが実行する処理を示すフローチャート。
　【図２１】Ｊａｖａアプレットが実行する処理を示すフローチャート。
　【図２２】Ｊａｖａアプレットが実行する処理を示すフローチャート。
　【図２３】Ｊａｖａアプレットが実行する処理を示すフローチャート。
　【図２４】Ｊａｖａアプレットが実行する処理を示すフローチャート。
　【図２５】Ｊａｖａアプレットが実行する処理を示すフローチャート。
　【図２６】ネットワーク受信部が実行する処理を示すフローチャート。
　【図２７】各制御部が実行する処理を示すフローチャート。
　【図２８】各制御部が実行する処理を示すフローチャート。
　【図２９】各制御部が実行する処理を示すフローチャート。
　【図３０】各制御部が実行する処理を示すフローチャート。
　【図３１】各制御部が実行する処理を示すフローチャート。
　【図３２】各制御部が実行する処理を示すフローチャート。
　【図３３】各制御部が実行する処理を示すフローチャート。
　【図３４】各制御部が実行する処理を示すフローチャート。
　【図３５】ＬＣＤ上に表示されるコピーモード基本操作画面を示す図。
　【図３６】ＬＣＤ上に表示されるスキャンモード基本操作画面を示す図。
　【図３７】ＪＰＥＧシングルページファイルのフォーマット図。
　【図３８】ＪＰＥＧマルチページファイルのフォーマット図。
　【図３９】シングルページＴＩＦＦファイルのフォーマット図。
　【図４０】マルチページＴＩＦＦファイルのフォーマット図。
　【図４１】制御部管理テーブルの概念図。
　【図４２】Ｊａｖａアプレットによって表示される初期画面を示す図。
　【図４３】表示タイプの選択及び表示サムネイル数の設定時におけるメニューバーを示す拡大図。
　【図４４】ファイルリスト表示を示す図。
　【図４５】サムネイル表示を示す図。
　【図４６】スキャンデータの格納時におけるメッセージ送信を示すタイムチャート。
　【図４７】プライマリコピーシステム内のディレクトリに対するファイルリスト表示のためのメッセージ送信を示すタイムチャート。
　【図４８】セカンダリコピーシステム内のディレクトリに対するファイルリスト表示のためのメッセージ送信を示すタイムチャート。
　【図４９】プライマリコピーシステム内のディレクトリに対するサムネイル表示のためのメッセージ送信を示すタイムチャート。
　【図５０】セカンダリコピーシステム内のディレクトリに対するサムネイル表示のためのメッセージ送信を示すタイムチャート。
　【図５１】プライマリコピーシステムからの画像ファイルのダウンロード時におけるメッセージ送信を示すタイムチャート。
　【図５２】プライマリコピーシステム内での画像ファイルのコピー時におけるメッセージ送信を示すタイムチャート。
　【図５３】プライマリコピーシステムからセカンダリコピーシステムへの画像ファイルのコピー時におけるメッセージ送信を示すタイムチャート。
　【図５４】プライマリコピーシステム内での検索時におけるメッセージ送信を示すタイムチャート。
　【図５５】セカンダリコピーシステム内での検索時におけるメッセージ送信を示すタイムチャート。
　【図５６】プライマリコピーシステム内での削除時におけるメッセージ送信を示すタイムチャート。
　【図５７】セカンダリコピーシステム内での削除時におけるメッセージ送信を示すタイムチャート。
　【図５８】プライマリコピーシステム内でのリネーム時におけるメッセージ送信を示すタイムチャート。
　【図５９】セカンダリコピーシステム内でのリネーム時におけるメッセージ送信を示すタイムチャート。
　【符号の説明】
　１　コピーシステム（プライマリコピーシステム）
　１’　コピーシステム（セカンダリコピーシステム）
　２　クライアント端末
　１０　コピーサーバ
　１１　ＲＡＭ
　１３　ハードディスク
　１７　ＣＰＵ
　２０　スキャナ
　２１　プリンタ
　３０　ＣＰＵ
　３２　ＲＡＭ
　３８　ハードディスク
　１１２　制御部
　１１３　ＨＤＤ制御部
　１１４　マネジメント部
　１１５　スキャナ部
　１１８　オペレーションパネル部
　１３１　制御プログラム
　１３２　ハイパーテキストデータ
　１３３　Ｊａｖａアプレット
【図面】